(57)【要約】【課題】  この考案は、ベビーベッド等を使用及び収納する際に、工具を一切使用しないで使用時におけるセット及び不使用時における収納が、ワンタッチで簡単に、極めて短時間（数分以内）にでき、使用時の安全性も十分に保てるワンタッチ折り畳み式ベビーベッド兼ベビーサークル等を提供する。【解決手段】  固定長辺側壁１と前部長辺側壁２の左右両端との間に、回転式連結部材６により中折れ式短辺側壁３ａ、３ｃと３ｂ、３ｄが連結され、固定床板部４上に格納されている、これらの側壁を、前部長辺側壁２とともに、その格納位置から固定床板部４と回転式弾性連結部材８により連結された拡張床板部５上を前方に拡張した後、前部長辺側壁２外壁下部に拡張床板部５側部前縁部を、また、中折れ式短辺側壁３ａ、３ｃ、３ｂ、３ｄ外壁下部に拡張床板部５側部横縁部を脱着式固定部材９ａ、９ｂ及び１０ａ、１０ｂにより、固定し形成されることを特徴とする。【選択図】図７
0003125560.tif 000002
【実用新案登録請求の範囲】
【請求項１】
・中折れ式側壁を含む４面からなる側壁部
・固定床板部と拡張床板部からなる床板部
・側壁と側壁及び固定床板部と拡張床板部とを回転可能に連結する連結手段
・側壁部に床板部を固定する固定手段
からなるワンタッチ折り畳み式ベビーベッド兼ベビーサークル。
【請求項２】
側壁部が
・固定長辺側壁
・前部長辺側壁
・中折れ式短辺側壁
からなる請求項１記載のワンタッチ折り畳み式ベビーベッド兼ベビーサークル。
【請求項３】
床板部が
・側壁等を格納する固定床板部
・格納された側壁を、前方開口縁部側に拡張し、その拡張完了後に、側壁として形成するための基礎部の役割を持ち、上記の固定床板部とともにベビーベッドの床板となる拡張床板部
からなる請求項１記載のワンタッチ折り畳み式ベビーベッド兼ベビーサークル。
【請求項４】
連結手段が
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項１記載のワンタッチ折り畳み式ベビーベッド兼ベビーサークル。
【請求項５】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項１記載のワンタッチ折り畳み式ベビーベッド兼ベビーサークル。
【請求項６】
固定床板部と回転式弾性連結部材により連結され、折り畳まれた状態で収納されている拡張床板部を拡開した後、固定床板部上にある固定長辺側壁の左右両端と他方の拡張時に前方開口縁部側へ、移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により、装着し固定することにより形成されることを特徴とする請求項１記載のワンタッチ折り畳み式ベビーベッド兼ベビーサークル。
【請求項７】
両長辺側壁にのみ、ベビーベッド内の乳幼児の様子を見る覗き窓としての役割を持つ「格子窓」を設けたことを特徴とするワンタッチ折り畳み式ベビーベッド兼ベビーサークル。
【請求項８】
開口縁部側に移動可能な前部長辺側壁の上部に、固定床板部上に格納されている側壁を容易にかつ安全に、前方開口縁部側に拡張するため、及びベビーベッドの側壁収納時に既に拡張している側壁を容易にかつ安全に、固定床板部上に収納するため「ガイド用取っ手」を備えたこと。また、前部長辺側壁下部縁部に、必要に応じて「滑り部材」を備えることができることを特徴とするワンタッチ折り畳み式ベビーベッド兼ベビーサークル。
【請求項９】
前部長辺側壁格子窓の両側に、脱着可能な「小物入れ」を設けたことを特徴とするワンタッチ折り畳み式ベビーベッド兼ベビーサークル。
【請求項１０】
前項の小物入れの内、ティシュペーパー専用の小物入れ（薄型ティシュペーパー箱を前後に２箱入れることが可能）に、予備のティシュペーパー箱を使用中のティシュペーパー箱の後ろに入れた状態で、前にある使用中のティシュペーパー箱本体を小物入れから取り出す際に、既に箱から出ているティシュペーパーが破れないようにするために、小物入れのティシュペーパー「取り出し口上部をカット」していることを特徴とするワンタッチ折り畳み式ベビーベッド兼ベビーサークル。
【請求項１１】
両短辺側壁を中折れ式にするための回転式連結部材は、乳幼児のオムツを取り替える際に、中折れ式短辺側壁の中折れ部を固定長辺側壁及び前部長辺側壁の外側に両開きするため、「中折れ部が開閉できる機能」を併せて持つことを特徴とするワンタッチ折り畳み式ベビーベッド兼ベビーサークル。
【請求項１２】
乳幼児のオムツを取り替える際に、中折れ式短辺側壁の中折れ部を、固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とするワンタッチ折り畳み式ベビーベッド兼ベビーサークル。
【請求項１３】
前項の両長辺側壁と両中折れ式短辺側壁とを連結する両縦縁部のカットは、併せて「指詰め防止」にも役立つことを特徴とするワンタッチ折り畳み式ベビーベッド兼ベビーサークル。
【請求項１４】
両中折れ式短辺側壁内側の中折れ部の両縦縁部についても「指詰め防止」のため、それぞれカットを施したことを特徴とするワンタッチ折り畳み式ベビーベッド兼ベビーサークル。
【請求項１５】
両中折れ式短辺側壁外壁下部に、拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とするワンタッチ折り畳み式ベビーベッド兼ベビーサークル。
【請求項１６】
両中折れ式短辺側壁外壁下部に、拡張床板部側部横縁部を固定する場合の脱着式固定部材の取り付け位置は、乳幼児のオムツを取り替える際に、中折れ式短辺側壁の中折れ部を固定長辺側壁及び前部長辺側壁の外側に両開きするときに、中折れ部の開閉が支障なくできる位置に取り付けたことを特徴とするワンタッチ折り畳み式ベビーベッド兼ベビーサークル。
【請求項１７】
このベビーベッドの収納・移動方式は、狭い場所でも立てたまま、収納移動ができる「立ちスタンド式」であることを特徴とするワンタッチ折り畳み式ベビーベッド兼ベビーサークル。
【請求項１８】
このベビーベッドの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない十分な幅を備えていることを特徴とするワンタッチ折り畳み式ベビーベッド兼ベビーサークル。
【請求項１９】
固定床板部と拡張床板部には、通気性を保つため、「通気孔」を設けたことを特徴とするワンタッチ折り畳み式ベビーベッド兼ベビーサークル。
【請求項２０】
固定床板部と拡張床板部とを連結する回転式弾性連結部材は、拡張床板部の拡開及び収用時に、危険防止のため、回転式弾性連結部材の弾力により拡張床板部を「スローダウン、スローアップできる機能」を持つととも、併せて拡張床板部を収納のため折り畳んだとき、この拡張床板部がスローアップすることで、既に固定床板部上に格納されている側壁等が格納位置側に押し込められることにより、側壁が不用意に開いたり、拡張床板部が倒れたりすることを防止できることを特徴とするワンタッチ折り畳み式ベビーベッド兼ベビーサークル。
【請求項２１】
このベビーサークルの側壁を格納位置に収納したときの側壁の高さと、折り畳まれたときの拡張床板部の高さとが同じであることを特徴とするワンタッチ折り畳み式ベビーベッド兼ベビーサークル。
【請求項２２】
このベビーベッドを収納のため、側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを係止する「係止部材」を備えていることを特徴とするワンタッチ折り畳み式ベビーベッド兼ベビーサークル。
【請求項２３】
前項のベビーベッドの固定長辺側壁外壁上部と拡張床板部底部上部とを係止している係止部材の係止の解除後に、解除した移動側の係止部材を収納するための「係止部材収納止め部」を拡張床板部底部に備えたことを特徴とするワンタッチ折り畳み式ベビーベッド兼ベビーサークル。
【請求項２４】
このベビーベッドの床下部に、使用時の際の移動、また、不使用時の際の収納移動のため、「脱着式キャスター（一部はストップ機能付）」を備えたことを特徴とするワンタッチ折り畳み式ベビーベッド兼ベビーサークル。
【請求項２５】
固定床板部の高さの位置で、固定長辺側壁外壁部又は固定床板部両縁部に、別の同型のワンタッチ折り畳み式ベビーベッド兼ベビーサークルと「接続」するための、「脱着式接続部材」を備え付けることができることを特徴とするワンタッチ折り畳み式ベビーベッド兼ベビーサークル。
【請求項２６】
このベビーベッドは、立ちスタンド式収納時において、脱着可能な「小物入れ」を前部長辺側壁の両側に装着したまま、収納できることを特徴とするワンタッチ折り畳み式ベビーベッド兼ベビーサークル。
【請求項２７】
このベビーベッドは、「専用縦折れ式マットレス」及び「搬送用収納バッグ」を備えることができることを特徴とするワンタッチ折り畳み式ベビーベッド兼ベビーサークル。
【請求項２８】
このベビーベッドは、立ちスタンド式収納時において、固定床板部に格納された側壁と拡張床板部の間に、前部長辺側壁の両側に装着した「脱着式小物入れ」を取り外し、横向きに収納した後、更に、その上に、「専用縦折れ式マットレス」を折り畳んで収納できることを特徴とするワンタッチ折り畳み式ベビーベッド兼ベビーサークル。
【請求項２９】
使用しなくなったベビーベッドは、収納ボックス等としても利用することができることを特徴とするワンタッチ折り畳み式ベビーベッド兼ベビーサークル。
【請求項３０】
・中折れ式側壁を含む４面からなる側壁部
・固定床板部と拡張床板部からなる床板部
・側壁と側壁及び固定床板部と拡張床板部とを回転可能に連結する連結手段
・側壁部に床板部を固定する固定手段
からなるワンタッチ折り畳み式二段ベビーベッド。
【請求項３１】
側壁部が一段目と二段目とも
・一体式固定長辺側壁
・前部長辺側壁
・中折れ式短辺側壁
からなる請求項３０記載のワンタッチ折り畳み式二段ベビーベッド。
【請求項３２】
床板部が一段目と二段目とも
・側壁等を格納する固定床板部
・格納された側壁を前方開口縁部側に拡張し、その拡張完了後に、側壁として形成するための基礎部の役割を持ち、上記の固定床板部とともにベビーベッドの床板となる拡張床板部からなる請求項３０記載のワンタッチ折り畳み式二段ベビーベッド。
【請求項３３】
連結手段が
・長辺側壁と中折れ式短辺側壁とを連結する回転式連結部材
・一段目の中折れ式短辺側壁の中折れ部を連結する回転式連結部材
・二段目の中折れ式短辺側壁の中折れ部を連結する開閉可能な回転式連結部材
・固定床板部と拡張床板部とを連結する回転式弾性連結部材
からなる請求項３０記載のワンタッチ折り畳み式二段ベビーベッド。
【請求項３４】
固定手段が
・一体式固定長辺側壁と一段目と二段目の固定床板部とを固定する固定部材
・一段目の両中折れ式短辺側壁及び前部長辺側壁の上部縁部と二段目の拡張床板部底部の左右縁部及び前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項３０記載のワンタッチ折り畳み式二段ベビーベッド。
【請求項３５】
一段目と二段目を有するワンタッチ折り畳み式二段ベビーベッドにおいて、固定床板部と回転式弾性連結部材により連結され、折り畳まれた状態で収納されている拡張床板部を拡開した（二段目については、一段目の両中折れ式短辺側壁及び前部長辺側壁の上部縁部と二段目の拡張床板部底部の左右縁部と前縁部とを突起ピン式固定部材により接合固定した）後、固定床板部と連結されている一体式固定長辺側壁の左右両端と他方の拡張時に前方開口縁部側へ、移動可能な前部長辺側壁の左右両端との間に、（二段目については、開閉可能な）回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により、装着し固定することにより、一段目は、「小物専用収納スペース」として、二段目は「ベビーベッド」として形成されることを特徴とする請求項３０記載のワンタッチ折り畳み式二段ベビーベッド。
【請求項３６】
二段目の両長辺側壁にのみ、ベビーベッド内の乳幼児の様子を見る覗き窓としての役割を持つ、「格子窓」を設けたことを特徴とするワンタッチ折り畳み式二段ベビーベッド。
【請求項３７】
一段目の拡張後の前部長辺側壁を「小物取り出し口」として使用するため、この側壁を開口し、この開口部に必要に応じて「目隠し」を設けることができることを特徴とするワンタッチ折り畳み式二段ベビーベッド。
【請求項３８】
一段目と二段目の開口縁部側に移動可能な前部長辺側壁の上部に、固定床板部上に格納されている側壁を容易にかつ安全に、前方開口縁部側に拡張するため及びベビーベッドの側壁収納時に、既に拡張している側壁を容易にかつ安全に、固定床板部上に収納するための「ガイド用取っ手」を備えたこと。また、一段目と二段目の前部長辺側壁下部縁部に、必要に応じて「滑り部材」を備えることができることを特徴とするワンタッチ折り畳み式二段ベビーベッド。
【請求項３９】
両短辺側壁を中折れ式にするための回転式連結部材は、二段目については、乳幼児のオムツを取り替える際に、中折れ式短辺側壁の中折れ部を一体式固定長辺側壁及び前部長辺側壁の外側に両開きするため、「中折れ部が開閉できる機能」を併せて持つことを特徴とするワンタッチ折り畳み式二段ベビーベッド。
【請求項４０】
乳幼児のオムツを取り替える際に、二段目の中折れ式短辺側壁の中折れ部を、一体式固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とするワンタッチ折り畳み式二段ベビーベッド。
【請求項４１】
前項の両長辺側壁と両中折れ式短辺側壁とを連結する両縦縁部のカットは、併せて「指詰め防止」にも役立つことを特徴とするワンタッチ折り畳み式二段ベビーベッド。
【請求項４２】
二段目の両中折れ式短辺側壁内側の中折れ部の両縦縁部についても「指詰め防止」のため、それぞれカットを施したことを特徴とするワンタッチ折り畳み式二段ベビーベッド。
【請求項４３】
一段目の側壁が開口縁部側に拡張された状態で、この一段目の両中折れ式短辺側壁及び前部長辺側壁の上部縁部と二段目の拡張床板部底部の左右縁部及び前縁部とを突起ピン式固定部材により接合固定することで、より安全性を備えたことを特徴とするワンタッチ折り畳み式二段ベビーベッド。
【請求項４４】
両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とするワンタッチ折り畳み式二段ベビーベッド。
【請求項４５】
二段目の中折れ式短辺側壁外壁下部に拡張床板部側部横縁部を固定する場合の脱着式固定部材の取り付け位置は、乳幼児のオムツを取り替える際に、中折れ式短辺側壁の中折れ部を、一体式固定長辺側壁及び前部長辺側壁の外側に両開きするとき、中折れ部の開閉が支障なくできる位置に取り付けたことを特徴とするワンタッチ折り畳み式二段ベビーベッド。
【請求項４６】
このベビーベッドの収納・移動方式は、狭い場所でも立てたまま、収納移動ができる「立ちスタンド式」であることを特徴とするワンタッチ折り畳み式二段ベビーベッド。
【請求項４７】
このベビーベッドの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない幅を十分に備えていることを特徴とするワンタッチ折り畳み式二段ベビーベッド。
【請求項４８】
一段目と二段目の固定床板部と拡張床板部に、通気性を保つため、「通気孔」を設けたことを特徴とするワンタッチ折り畳み式二段ベビーベッド。
【請求項４９】
固定床板部と拡張床板部とを連結する回転式弾性連結部材は、拡張床板部の拡開及び収納時に、危険防止のため、回転式弾性連結部材の弾力により、拡張床板部を「スローダウン、スローアップできる機能」を持つとともに、併せて、拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とするワンタッチ折り畳み式二段ベビーベッド。
【請求項５０】
このベビーベッドの一段目と二段目の側壁を、同段の固定床板部の格納位置に収納したときの側壁の高さと、折り畳まれたときの拡張床板部の高さとが、同じであることを特徴とするワンタッチ折り畳み式二段ベビーベッド。
【請求項５１】
このベビーベッドを収納のため、側壁及び拡張床板部を固定床板部上に格納した際に、これら折り畳まれた側壁及び拡張床板部が不用意に開いたり、倒れたりすることがないようにその折り畳み状態を保持するため、二段目のベビーベッドの一体式固定長辺側壁外壁上部と拡張床板部底部上部とを、また、一段目の拡張床板部底部上部と二段目の拡張床板部連結側底部縁部とを係止するための「係止部材」を備えていることを特徴とするワンタッチ折り畳み式二段ベビーベッド。
【請求項５２】
前項の二段目のベビーベッドの一体式固定長辺側壁外壁上部と拡張床板部底部上部とを係止している係止部材の係止解除後に、解除した移動側の係止部材を収納するための「係止部材収納止め部」を同段の拡張床板部底部に備えたことを特徴とするワンタッチ折り畳み式二段ベビーベッド。
【請求項５３】
一段目の床下部に、使用時の際の移動、また、不使用時の際の収納移動のため、「脱着式キャスター（一部はストップ機能付）」を備えたことを特徴とするワンタッチ折り畳み式二段ベビーベッド。
【請求項５４】
一段目と二段目の固定床板部の高さの位置で、一体式長辺側壁外壁部又は固定床板部両縁部に別の同型のワンタッチ折り畳み式二段ベビーベッドと「接続」するための「脱着式接続部材」を備え付けることができることを特徴とするワンタッチ折り畳み式二段ベビーベッド。
【請求項５５】
このベビーベッドには、「専用縦折れ式マットレス」及び「搬送用収納バッグ」を備えることができることを特徴とするワンタッチ折り畳み式二段ベビーベッド。
【請求項５６】
このベビーベッドは、立ちスタンド式収納時において、二段目の固定床板部に格納された側壁と拡張床板部の間に、「専用縦折れ式マットレス」を折り畳んで収納できることを特徴とするワンタッチ折り畳み式二段ベビーベッド。
【請求項５７】
使用しなくなったベビーベッドは、収納ボックス等としても利用できることを特徴とするワンタッチ折り畳み式二段ベビーベッド。
【請求項５８】
・上蓋部（天面柵扉付きペットケージを形成する場合には、上蓋部を天面柵扉部と読み替える。以下同じ。）（この上蓋部は、天面柵扉付きペットケージ又は上蓋付き収納ボックスを形成する場合のみ備える。）
・中折れ式側壁を含む４面からなる側壁部
（ペットサークル又はペットケージを形成する場合は、側壁部を側柵部と読み替える。以下同じ。）
・固定床板部と拡張床板部からなる床板部
・側壁と側壁及び固定床板部と拡張床板部並びに側壁と上蓋部とを回転可能に連結する連結手段
・側壁部と床板部又は前部上蓋又は後部上蓋とを固定する固定手段
・前部上蓋と後部上蓋とをロックする固定手段
からなるワンタッチ折り畳み式ペットサークル及びペットケージ並びに収納ボックス。
【請求項５９】
上蓋部が、両開きの形態を持つ
・前部長辺側壁上部縁部と連結された前部上蓋
・固定長辺側壁上部縁部と連結された後部上蓋
からなる請求項５８記載のワンタッチ折り畳み式ペットケージ及び収納ボックス。
【請求項６０】
側壁部が
・固定長辺側壁
・前部長辺側壁
・中折れ式短辺側壁
からなる請求項５８記載のワンタッチ折り畳み式ペットサークル及びペットケージ並びに収納ボックス。
【請求項６１】
床板部が
・側壁等を格納する固定床板部
・格納された側壁を前方開口縁部側に拡張し、その拡張完了後に、側壁として形成するための基礎部の役割を持ち、上記の固定床板部とともにペットサークル、ペットケージ及び収納ボックスの床板となる拡張床板部
からなる請求項５８記載のワンタッチ折り畳み式ペットサークル及びペットケージ並びに収納ボックス。
【請求項６２】
連結手段が
・前部長辺側壁上部縁部と前部上蓋縁部及び固定長辺側壁上部縁部と後部上蓋縁部とを連結する両開き可能な回転式連結部材
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項５８記載のワンタッチ折り畳み式ペットサークル及びペットケージ並びに収納ボックス。
【請求項６３】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・側壁収納時に、固定長辺側壁外壁と後部上蓋外壁又は前部長辺側壁外壁と前部上蓋外壁とを固定する脱着式固定部材
からなる請求項５８記載のワンタッチ折り畳み式ペットサークル及びペットケージ並びに収納ボックス。
【請求項６４】
固定床板部と回転式弾性連結部材により連結され、折り畳まれた状態で収納されている拡張床板部を拡開した後、固定床板部上にある固定長辺側壁の左右両端と他方の拡張時に前方開口縁部側へ、移動可能な前部長辺側壁の左右両端との間に、開閉可能な回転式連結部材により、両長辺側壁部間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により、装着し固定する（天面柵扉付きペットケージ又は上蓋付き収納ボックスを形成する場合は、併せて、前部上蓋縁部と後部上蓋縁部とを脱着式固定部材により、ロックし固定する。）ことにより、形成されることを特徴とする請求項５８記載のワンタッチ折り畳み式ペットサークル及びペットケージ並びに収納ボックス。
【請求項６５】
ペットケージ又は収納ボックスを形成する場合には、両開きの形態を持つ、両開き天面柵扉又は両開き上蓋を設けることができることを特徴とする請求項５９記載のワンタッチ折り畳み式ペットケージ及び収納ボックス。
【請求項６６】
開口縁部側に移動可能な前部長辺側壁の上部（両開き天面柵扉付きペットケージ又は両開き上蓋付き収納ボックスを形成する場合は、前部長辺側壁上部縁部と連結された前部上蓋の裏側上部）に、固定床板部上に格納されている側壁を容易にかつ安全に、前方開口縁部側に拡張するため、及び側壁収納時に、既に拡張している側壁を容易にかつ安全に、固定床板部上に収納するための「ガイド用取っ手」を備えたこと。また、前部長辺側壁下部縁部に、必要に応じて「滑り部材」を備えることができることを特徴とするワンタッチ折り畳み式ペットサークル及びペットケージ並びに収納ボックス。
【請求項６７】
ペットサークル及びペットケージの前部長辺側壁にペットの出入り口扉を設けることができることを特徴とするワンタッチ折り畳み式ペットサークル及びペットケージ。
【請求項６８】
短辺側壁を中折れ式にするための回転式連結部材は、ペット及びトレー又は収納物品の出し入れ等をする際に、中折れ式短辺側壁の中折れ部を固定長辺側壁及び前部長辺側壁の外側に両開きするため、「中折れ部が開閉できる機能」を併せて持つことを特徴とするワンタッチ折り畳み式ペットサークル及びペットケージ並びに収納ボックス。
【請求項６９】
ペット及びトレー又は収納物品の出し入れ等をする際に、中折れ式短辺側壁の中折れ部を、固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とするワンタッチ折り畳み式ペットサークル及びペットケージ並びに収納ボックス。
【請求項７０】
両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とするワンタッチ折り畳み式ペットサークル及びペットケージ並びに収納ボックス。
【請求項７１】
両中折れ式短辺側壁外壁下部に拡張床板部側部横縁部を固定する場合の脱着式固定部材の取り付け位置は、ペット及びトレー又は収納物品の出し入れ等をする際に、中折れ式短辺側壁の中折れ部を固定長辺側壁及び前部長辺側壁の外側に両開きするとき、中折れ部の開閉が支障なくできる位置に取り付けたことを特徴とするワンタッチ折り畳み式ペットサークル及びペットケージ並びに収納ボックス。
【請求項７２】
このペットサークル、ペットケージ及び収納ボックスの収納・移動方式は、狭い場所でも立てたまま、収納移動ができる「立ちスタンド式」であることを特徴とするワンタッチ折り畳み式ペットサークル及びペットケージ並びに収納ボックス。
【請求項７３】
このペットサークル、ペットケージ及び収納ボックスの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない十分な幅を備えていることを特徴とするワンタッチ折り畳み式ペットサークル及びペットケージ並びに収納ボックス。
【請求項７４】
固定床板部と拡張床板部とを連結する回転式弾性連結部材は、拡張床板部の拡開及び収納時に、危険防止のため、回転式弾性連結部材の弾力により拡張床板部を「スローダウン、スローアップできる機能」を持つとともに、併せて拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とするワンタッチ折り畳み式ペットサークル及びペットケージ並びに収納ボックス。
【請求項７５】
このペットサークル、ペットケージ及び収納ボックスの側壁を格納位置に収納したときの側壁の高さと、折り畳まれたときの拡張床板部の高さとが同じであることを特徴とするワンタッチ折り畳み式ペットサークル及びペットケージ並びに収納ボックス。
【請求項７６】
このペットサークル、ペットケージ及び収納ボックスを収納のため、側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部（天面柵扉付きペットケージ又は上蓋付き収納ボックスを形成する場合は、固定長辺側壁上部縁部と連結された後部上蓋の裏側上部）と拡張床板部底部上部とを係止する「係止部材」を備えていることを特徴とするワンタッチ折り畳み式ペットサークル及びペットケージ並びに収納ボックス。
【請求項７７】
前項のペットサークル、ペットケージ及び収納ボックスの固定長辺側壁外壁上部（天面柵扉付きペットケージ又は上蓋付き収納ボックスを形成する場合は、固定長辺側壁上部縁部と連結された後部上蓋の裏側上部）と拡張床板部底部上部とを係止している係止部材の係止の解除後に、解除した移動側の係止部材を収納するための「係止部材収納止め部」を拡張床板部底部に備えたことを特徴とするワンタッチ折り畳み式ペットサークル及びペットケージ並びに収納ボックス
【請求項７８】
このペットサークル、ペットケージ及び収納ボックスの床下部に、使用時の際の移動、また、不使用時の際の収納移動のため、「脱着式キャスター（一部はストップ機能付）」を備えたことを特徴とするワンタッチ折り畳み式ペットサークル及びペットケージ並びに収納ボックス。
【請求項７９】
固定床板部の高さの位置で、固定長辺側壁外壁部又は固定床板部両縁部に、別の同型のワンタッチ折り畳み式ペットサークル、ペットケージ及び収納ボックスと「接続」するための「脱着式接続部材」を備え付けることができることを特徴とするワンタッチ折り畳み式ペットサークル及びペットケージ並びに収納ボックス。
【請求項８０】
このペットサークル及びペットケージには、「専用トレー」及び「搬送用収納バッグ」を備えることができることを特徴とするワンタッチ折り畳み式ペットサークル及びペットケージ。
【請求項８１】
・上蓋部（ペットケージを形成する場合は、上蓋部を天面柵扉部と読み替える。以下同じ。）（上蓋部は、天面柵扉付きペットケージ又は上蓋付き収納ボックスを形成する場合のみ備える。）
・中折れ式側壁を含む４面からなる側壁部
（ペットケージを形成する場合は、側壁部を側柵部に読み替える。以下同じ。）
・固定床板部と拡張床板部からなる床板部
・側壁と側壁又は固定床板部と拡張床板部又は側壁と上蓋部とを回転可能に連結する連結手段
・側壁部と床板部又は前部上蓋又は後部上蓋又は一体式上蓋とを固定する固定手段
・前部上蓋と後部上蓋又は側壁と一体式上蓋とをロックする固定手段
からなるワンタッチ折り畳み式二段ペットケージ及び収納ボックス。
【請求項８２】
上蓋部が、両開きする形態を持つ
・前部長辺側壁上部縁部と連結された前部上蓋
・一体式固定長辺側壁上部縁部と連結された後部上蓋
上蓋部が、片開きする形態を持つ
・一体式固定長辺側壁上部縁部と連結された一体式上蓋
からなる請求項８１記載のワンタッチ折り畳み式二段ペットケージ及び収納ボックス。
【請求項８３】
側壁部が、一段目と二段目とも
・一体式固定長辺側壁
・前部長辺側壁
・中折れ式短辺側壁
からなる請求項８１記載のワンタッチ折り畳み式二段ペットケージ及び収納ボックス。
【請求項８４】
床板部が、一段目と二段目とも
・側壁等を格納する固定床板部
・格納された側壁を前方開口縁部側に拡張し、その拡張完了後に、側壁として形成するための基礎部の役割を持ち、上記の固定床板部とともにペットケージ又は収納ボックスの床板となる拡張床板部
からなる請求項８１記載のワンタッチ折り畳み式二段ペットケージ及び収納ボックス。
【請求項８５】
連結手段が
・前部長辺側壁上部縁部と前部上蓋縁部及び一体式固定長辺側壁上部縁部と後部上蓋縁部とを連結し、両開きを可能にする回転式連結部材
・一体式固定長辺側壁上部縁部と一体式上蓋縁部とを連結し、両開きを可能にする回転式連結部材
・長辺側壁と中折れ式短辺側壁とを連結する回転式連結部材
・一段目と二段目の中折れ式短辺側壁の中折れ部を連結する開閉可能な回転式連結部材
・固定床板部と拡張床板部とを連結する回転式弾性連結部材
からなる請求項８１記載のワンタッチ折り畳み式二段ペットケージ及び収納ボックス。
【請求項８６】
固定手段が
・一体式固定長辺側壁と一段目と二段目の固定床板部とを固定する固定部材
・一段目の前部長辺側壁上部縁部と二段目の拡張床板部底部前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・一体式固定長辺側壁上部縁部に連結された一体式上蓋縁部と二段目の前部長辺側壁上部とをロックする脱着式固定部材
・側壁収納時に、一体式固定長辺側壁外壁と後部上蓋外壁又は前部長辺側壁外壁と前部上蓋外壁又は一体式固定長辺側壁外壁と一体式上蓋外壁とを固定する脱着式固定部材からなる請求項８１記載のワンタッチ折り畳み式二段ペットケージ及び収納ボックス。
【請求項８７】
一段目と二段目を有するワンタッチ折り畳み式二段ペットケージ及び収納ボックスにおいて固定床板部と回転式弾性連結部材により連結され、折り畳まれた状態で収納されている拡張床板部を拡開した（二段目については、一段目の前部長辺側壁上部縁部と二段目の拡張床板部底部前縁部とを突起ピン式固定部材により接合固定した）後、固定床板部と連結されている一体式固定長辺側壁の左右両端と他方の拡張時に前方開口縁部側へ移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を前部長辺側壁とともに、その格納位置から固定床板部と回転式弾性連結部材により連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により、装着し固定（天面柵扉付きペットケージ又は上蓋付き収納ボックスを形成する場合は、併せて、前部上蓋縁部と後部上蓋縁部とを、又は一体式上蓋縁部と二段目の前部長辺側壁上部とを脱着式固定部材により、ロックし固定する。）することにより、形成されることを特徴とする請求項８１記載のワンタッチ折り畳み式二段ペットケージ及び収納ボックス。
【請求項８８】
二段ペットケージ又は収納ボックスを形成する場合には、両開きの形態を持つ、両開き天面柵扉及び両開き上蓋又は一体式上蓋で片開きの形態を持つ、片開き天面柵扉及び片開き上蓋を設けることができることを特徴とする請求項８２記載のワンタッチ折り畳み式二段ペットケージ及び収納ボックス。
【請求項８９】
開口縁部側に移動可能な前部長辺側壁の上部（両開き天面柵扉付きペットケージ又は両開き上蓋付き収納ボックスを形成する場合は、前部長辺側壁上部縁部と連結された前部上蓋の裏側上部）に、固定床板部上に格納されている側壁を容易にかつ安全に、前方開口縁部側に拡張するため、及びペットケージ及び収納ボックスの側壁収納時に、既に拡張している側壁を容易にかつ安全に、固定床板部上に収納するための「ガイド用取っ手」を備えたこと。また、前部長辺側壁下部縁部に、必要に応じて「滑り部材」を備えることができることを特徴とするワンタッチ折り畳み式二段ペットケージ及び収納ボックス。
【請求項９０】
一段目又は二段目のペットケージの前部長辺側壁にペットの出入り口扉を設けることができることを特徴とするワンタッチ折り畳み式二段ペットケージ。
【請求項９１】
ペットケージの一段目又は二段目を小物専用収納スペースとしても形成することができるものとし、この場合、拡張後の前部長辺側壁を「小物取り出し口」として使用するため、この側壁を開口するとともに、この開口部に必要に応じて「目隠し」を設けることができることを特徴とするワンタッチ折り畳み式二段ペットケージ。
【請求項９２】
両短辺側壁を中折れ式にするための回転式連結部材は、ペット及びトレー又は収納物品の出し入れ等の際に、中折れ式短辺側壁の中折れ部を、一体式固定長辺側壁及び前部長辺側壁の外側に両開きするため、「中折れ部が開閉できる機能」を併せて持つことを特徴とするワンタッチ折り畳み式二段ペットケージ及び収納ボックス。
【請求項９３】
ペット及びトレー又は収納物品の出し入れ等のため、両中折れ式短辺側壁の中折れ部を、一体式固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とするワンタッチ折り畳み式二段ペットケージ及び収納ボックス。
【請求項９４】
一段目の側壁が開口縁部側に拡張された状態で、この一段目の前部長辺側壁上部縁部と二段目の拡張床板部底部前縁部とを突起ピン式固定部材により接合固定することで、より安全性を備えたことを特徴とするワンタッチ折り畳み式二段ペットケージ及び収納ボックス。
【請求項９５】
両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とするワンタッチ折り畳み式二段ペットケージ及び収納ボックス。
【請求項９６】
両中折れ式短辺側壁外壁下部に拡張床板部側部横縁部を固定する場合の脱着式固定部材の取り付け位置は、ペット及びトレー又は収納物品の出し入れ等の際に、中折れ式短辺側壁の中折れ部を、一体式固定長辺側壁及び前部長辺側壁の外側に両開きするとき、中折れ部の開閉が支障なくできる位置に取り付けたことを特徴とするワンタッチ折り畳み式二段ペットケージ及び収納ボックス。
【請求項９７】
このペットケージ又は収納ボックスの収納・移動方式は、狭い場所でも立てたまま、収納移動ができる「立ちスタンド式」であることを特徴とするワンタッチ折り畳み式二段ペットケージ及び収納ボックス。
【請求項９８】
このペットケージ又は収納ボックスの固定床板部の幅は、前部長辺側壁、中折れ式短辺側壁及び拡張床板部を折り畳んで収納するとき、固定床板部上に十分格納できる幅を備えるとともに、立ちスタンド式収納時において、転倒の危険のない幅を十分に備えていることを特徴とするワンタッチ折り畳み式二段ペットケージ及び収納ボックス。
【請求項９９】
固定床板部と拡張床板部とを連結する回転式弾性連結部材は、拡張床板部の拡開及び収納時に、危険防止のため回転式弾性連結部材の弾力により、拡張床板部を「スローダウン、スローアップできる機能」を持つとともに、併せて拡張床板部を収納のため折り畳んだとき、拡張床板部がスローアップすることで、既に固定床板部上に格納されている側壁等が、格納位置側に押し込められることにより、側壁が不用意に開いたり、拡張床板部が倒れたりすることを防止できることを特徴とするワンタッチ折り畳み式二段ペットケージ及び収納ボックス。
【請求項１００】
このペットケージ又は収納ボックスの一段目と二段目の側壁を、同段の固定床板部の格納位置に収納したときの側壁の高さと、折り畳まれたときの拡張床板部の高さとが同じであることを特徴とするワンタッチ折り畳み式二段ペットケージ及び収納ボックス。
【請求項１０１】
このペットケージ又は収納ボックスを収納のため、側壁及び拡張床板部を固定床板部上に格納した際に、これら折り畳まれた側壁及び拡張床板部が不用意に開いたり、倒れたりすることがないようにその折り畳み状態を保持するため、二段目の一体式固定長辺側壁外壁上部（両開き天面柵扉付きペットケージ又は両開き上蓋付き収納ボックスを形成する場合は、一体式固定長辺側壁上部縁部と連結された後部上蓋の裏側上部、また、片開き天面柵扉付きペットケージ及び片開き上蓋付き収納ボックスを形成する場合は、一体式固定長辺側壁上部縁部と連結された一体式上蓋の裏側上部）と拡張床板部底部上部とを、また、一段目の拡張床板部底部上部縁部と二段目の拡張床板部連結側底部縁部とを係止するための「係止部材」を備えていることを特徴とするワンタッチ折り畳み式二段ペットケージ及び収納ボックス。
【請求項１０２】
前項の二段目の一体式固定長辺側壁外壁上部（両開き天面柵扉付きペットケージ又は両開き上蓋付き収納ボックスを形成する場合は、一体式固定長辺側壁上部縁部と連結された後部上蓋の裏側上部、また、片開き天面柵扉付きペットケージ及び片開き上蓋付き収納ボックスを形成する場合は、一体式固定長辺側壁上部縁部と連結された片開き一体式上蓋の裏側上部）と拡張床板部底部上部とを係止している係止部材の係止解除後に、解除した移動側の係止部材を収納するための、「係止部材収納止め部」を拡張床板部底部に備えたことを特徴とするワンタッチ折り畳み式二段ペットケージ及び収納ボックス。
【請求項１０３】
一段目の床下部に、使用時の際の移動、また、不使用時の際の収納移動のため、「脱着式キャスター（一部はストップ機能付）」を備えたことを特徴とするワンタッチ折り畳み式二段ペットケージ及び収納ボックス。
【請求項１０４】
一段目と二段目の固定床板部高さの位置で、一体式長辺側壁外壁部又は固定床板部両縁部に、別の同型のワンタッチ折り畳み式二段ペットケージ及び収納ボックスと「接続」するための「脱着式接続部材」を備え付けることができることを特徴とするワンタッチ折り畳み式二段ペットケージ及び収納ボックス。
【請求項１０５】
このペットケージには、「専用トレー」及び「搬送用収納バッグ」を備えることができることを特徴とするワンタッチ折り畳み式二段ペットケージ。
【考案の詳細な説明】
【技術分野】
【０００１】  この考案は、ベビーベッド等を使用及び収納する際に、工具を一切使用しないで、使用時におけるセット及び不使用時における収納が、ワンタッチで簡単に、極めて短時間（数分以内）にできることにより、工具による組立て及び解体作業が一切不要のワンタッチ折り畳み式ベビーベッド兼ベビーサークル、ペットサークル、ペットケージ及び収納ボックス並びにワンタッチ折り畳み式二段ベビーベッド、ペットケージ及び収納ボックスに関するものである。
【背景技術】
【０００２】▲１▼従来、ベビーベッド等を購入した後に使用する際は、その必要とする側柵を工具により組み立てた後、その床板をセットして使用していた。そして、不使用時の際の収納時には、再び、工具により解体する作業が必要であった。また、ベビーベッド等の側柵のうち短辺側柵が中折れ式と独立した床板又は床板の一部が折り畳まれる一体式でない折り畳み式ベビーベッド等は既にあるが、それでも一部の箇所は、まだ、工具による使用時の組立て及び不使用時の際の解体作業が必要であり、工具による組立て及び解体作業が一切不要のベビーベッド等はなかった。
▲２▼ペットサークル、ペットケージ及び収納ボックスについても、既に折り畳み式のものはあるが、側柵と側柵及び床板（固定床板部と拡張床板部とに分離）とが連結部材により連結され、一体式の形態を持ち、立ちスタンド式による収納・移動方式を取るものはなかった。
【考案の開示】
【考案が解決しようとする課題】
【０００３】これは、次のような問題点があった。
▲１▼ベビーベッド等を購入後、使用する際には、その側柵等を工具により組み立て、また、不使用時の際の収納時には、再び、工具により側柵等を解体し、収納する作業が必要となり、大変面倒で手間の掛かることであった。特に女性にとっては、その組立て及び解体作業は、手間がかかり、一苦労するものであった。また、既に作られているベビーベッド等の側柵のうち短辺側柵が中折れ式と独立した床板又は床板の一部が折り畳まれる一体式でない折り畳み式ベビーベッド等は、それでも一部の箇所は、まだ、工具による組立て及び解体作業が必要であるため、手間がかかり不便であった。さらにベビーベッド等の不使用時の収納にも場所を必要とした。
▲２▼既にある折り畳み式収納ボックスは、小型化したものが多く、物品を収納できる量が少なかった。また、収納ボックスの空ボックスの収納も、立ちスタンド式のものがなかった。
▲３▼既にある折り畳み式ペットサークル又はペットケージは、床板付きでないものが多く、室内でペットを飼う場合は、床板がないと家の床等を汚す心配があった。この場合、専用トレーを使用することになるが、ペットサークル又はペットケージの場所移動には、ペットサークル又はペットケージと専用トレーとを別々に移動する必要があった。また、ペットサークル又はペットケージの不使用時の際の収納にも場所を必要とした。
【課題を解決するための手段】
【０００４】上述の課題を解決する本考案の構成要件について、次に説明する。
以下は、ワンタッチ折り畳み式ベビーベッド兼ベビーサークルについての説明【０００５】・中折れ式側壁を含む４面からなる側壁部
・固定床板部と拡張床板部からなる床板部
・側壁と側壁及び固定床板部と拡張床板部とを回転可能に連結する連結手段
・側壁部に床板部を固定する固定手段
からなる。【０００６】側壁部が
・固定長辺側壁
・前部長辺側壁
・中折れ式短辺側壁
からなる。【０００７】床板部が
・側壁等を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる。【０００８】連結手段が
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる。【０００９】固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる。【００１０】  固定床板部と回転式弾性連結部材により連結され、折り畳まれた状態で収納されている拡張床板部を拡開した後、固定床板部上にある固定長辺側壁の左右両端と他方の拡張時に前方開口縁部側へ移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともにその格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により、装着し固定することにより形成されることを特徴とする。【００１１】  両長辺側壁にのみ、ベビーベッド内の乳幼児の様子を見る覗き窓としての役割を持つ「格子窓」を設けたことを特徴とする。【００１２】  開口縁部側に移動可能な前部長辺側壁の上部に、固定床板部上に格納されている側壁を容易にかつ安全に、前方開口縁部側に拡張するため及びベビーベッドの側壁収納時に既に拡張している側壁を容易にかつ安全に、固定床板部上に収納するため「ガイド用取っ手」を備えたこと。また、前部長辺側壁下部縁部に、必要に応じて「滑り部材」を備えることができることを特徴とする。【００１３】  前部長辺側壁格子窓の両側に、脱着可能な「小物入れ」を設けたことを特徴とする。【００１４】  前項の小物入れの内、ティシュペーパー専用の小物入れ（薄型ティシュペーパー箱を前後に２箱入れることが可能）に、予備のティシュペーパー箱を使用中のティシュペーパー箱の後ろに入れた状態で、前にある使用中のティシュペーパー箱本体を小物入れから取り出す際に、既に箱から出ているティシュペーパーが破れないようにするために、小物入れのティシュペーパー「取り出し口上部をカット」していることを特徴とする。【００１５】  両短辺側壁を中折れ式にするための回転式連結部材は、乳幼児のオムツを取り替える際に、中折れ式短辺側壁の中折れ部を固定長辺側壁及び前部長辺側壁の外側に両開きするため、「中折れ部が開閉できる機能」を併せて持つことを特徴とする。【００１６】  乳幼児のオムツを取り替える際に、中折れ式短辺側壁の中折れ部を、固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする。【００１７】  前項の両長辺側壁と両中折れ式短辺側壁とを連結する両縦縁部のカットは、併せて「指詰め防止」にも役立つことを特徴とする。【００１８】  両中折れ式短辺側壁内側の中折れ部の両縦縁部についても「指詰め防止」のため、それぞれカットを施したことを特徴とする。【００１９】  両中折れ式短辺側壁外壁下部に、拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする。【００２０】  両中折れ式短辺側壁外壁下部に、��張床板部側部横縁部を固定する場合の脱着式固定部材の取り付け位置は、乳幼児のオムツを取り替える際に、中折れ式短辺側壁の中折れ部を、固定長辺側壁及び前部長辺側壁の外側に両開きするときに、中折れ部の開閉が支障なくできる位置に取り付けたことを特徴とする。【００２１】  このベビーベッドの収納・移動方式は、狭い場所でも立てたまま、収納移動ができる「立ちスタンド式」であることを特徴とする。【００２２】  このベビーベッドの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない十分な幅を備えていることを特徴とする。【００２３】  固定床板部と拡張床板部には、通気性を保つため「通気孔」を設けたことを特徴とする。【００２４】  固定床板部と拡張床板部とを連結する回転式弾性連結部材は、拡張床板部の拡開及び収用時に、危険防止のため、回転式弾性連結部材の弾力により拡張床板部を「スローダウン、スローアップできる機能」を持つとともに、併せて拡張床板部を収納のため折り畳んだとき、この拡張床板部がスローアップすることで、既に固定床板部上に格納されている側壁等が格納位置側に押し込められることにより、側壁が不用意に開いたり、拡張床板部が倒れたりすることを防止できることを特徴とする。【００２５】  このベビーサークルの側壁を格納位置に収納したときの側壁の高さと、折り畳まれたときの拡張床板部の高さとが同じであることを特徴とする。【００２６】  このベビーベッドを収納のため、側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを係止する「係止部材」を備えていることを特徴とする。【００２７】  前項のベビーベッドの固定長辺側壁外壁上部と拡張床板部底部上部とを係止している係止部材の係止の解除後に、解除した移動側の係止部材を収納するための「係止部材収納止め部」を拡張床板部底部に備えたことを特徴とする。【００２８】  このベビーベッドの床下部に、使用時の際の移動、また、不使用時の際の収納移動のため、「脱着式キャスター（一部はストップ機能付）」を備えたことを特徴とする。【００２９】  固定床板部の高さの位置で、固定長辺側壁外壁部又は固定床板部両縁部に、別の同型のワンタッチ折り畳み式ベビーベッド兼ベビーサークルと「接続」するための、「脱着式接続部材」を備え付けることができることを特徴とする。【００３０】  このベビーベッドは、立ちスタンド式収納時において、脱着可能な「小物入れ」を前部長辺側壁の両側に装着したまま、収納できることを特徴とする。【００３１】  このベビーベッドは、「専用縦折れ式マットレス」及び「搬送用収納バッグ」を備えることができることを特徴とする。【００３２】  このベビーベッドは、立ちスタンド式収納時において、固定床板部に格納された側壁と拡張床板部の間に、前部長辺側壁の両側に装着した「脱着式小物入れ」を取り外し、横向きに収納した後、更に、その上に、「専用縦��れ式マットレス」を折り畳んで収納できることを特徴とする。【００３３】  使用しなくなったベビーベッドは、収納ボックス等としても利用することができることを特徴とする。【００３４】  以下は、ワンタッチ折り畳み式二段ベビーベッドについての説明【００３５】・中折れ式側壁を含む４面からなる側壁部
・固定床板部と拡張床板部からなる床板部
・側壁と側壁及び固定床板部と拡張床板部とを回転可能に連結する連結手段
・側壁部に床板部を固定する固定手段
からなる。【００３６】側壁部が、一段目と二段目とも
・一体式固定長辺側壁
・前部長辺側壁
・中折れ式短辺側壁
からなる。【００３７】床板部が、一段目と二段目とも
・側壁等を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる。【００３８】連結手段が
・長辺側壁と中折れ式短辺側壁とを連結する回転式連結部材
・一段目の中折れ式短辺側壁の中折れ部を連結する回転式連結部材
・二段目の中折れ式短辺側壁の中折れ部を連結する開閉可能な回転式連結部材
・固定床板部と拡張床板部とを連結する回転式弾性連結部材
からなる。【００３９】固定手段が
・一体式固定長辺側壁と一段目と二段目の固定床板部とを固定する固定部材
・一段目の両中折れ式短辺側壁及び前部長辺側壁の上部縁部と二段目の拡張床板部底部の左右縁部及び前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる。【００４０】  一段目と二段目を有するワンタッチ折り畳み式二段ベビーベッドにおいて、固定床板部と回転式弾性連結部材により連結され、折り畳まれた状態で収納されている拡張床板部を拡開した（二段目については、一段目の両中折れ式短辺側壁及び前部長辺側壁の上部縁部と二段目の拡張床板部底部の左右縁部と前縁部とを突起ピン式固定部材により接合固定した）後、固定床板部と連結されている一体式固定長辺側壁の左右両端と他方の拡張時に前方開口縁部側へ移動可能な前部長辺側壁の左右両端との間に、（二段目については、開閉可能な）回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により、装着し固定することにより、一段目は、「小物専用収納スペース」として、二段目は「ベビーベッド」として形成されることを特徴とする。【００４１】  二段目の両長辺側壁にのみ、ベビーベッド内の乳幼児の様子を見る覗き窓としての役割を持つ、「格子窓」を設けたことを特徴とする。【００４２】  一段目の拡張後の前部長辺側壁を「小物取り出し口」として使用するため、この側壁を開口し、この開口部に必要に応じて「目隠し」を設けることができることを特徴とする。【００４３】  一段目と二段目の開口縁部側に移動可能な前部長辺側壁の上部に、固定床板部上に格納されている側壁を容易にかつ安全に、前方開口縁部側に拡張するため及びベビーベッドの側壁収納時に、既に拡張している側壁を容易にかつ安全に、固定床板部上に収納するための「ガイド用取っ手」を備えたこと。また、一段目と二段目の前部長辺側壁下部縁部に、必要に応じて「滑り部材」を備えることができることを特徴とする。【００４４】  両短辺側壁を中折れ式にするための回転式連結部材は、二段目については、乳幼児のオムツを取り替える際に、中折れ式短辺側壁の中折れ部を一体式固定長辺側壁及び前部長辺側壁の外側に両開きするため、「中折れ部が開閉できる機能」を併せて持つことを特徴とする。【００４５】  乳幼児のオムツを取り替える際に、二段目の中折れ式短辺側壁の中折れ部を、一体式固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする。【００４６】  前項の両長辺側壁と両中折れ式短辺側壁とを連結する両縦縁部のカットは、併せて「指詰め防止」にも役立つことを特徴とする。【００４７】  二段目の両中折れ式短辺側壁内側の中折れ部の両縦縁部についても、「指詰め防止」のため、それぞれカットを施したことを特徴とする。【００４８】  一段目の側壁が開口縁部側に拡張された状態で、この一段目の両中折れ式短辺側壁及び前部長辺側壁の上部縁部と二段目の拡張床板部底部の左右縁部及び前縁部とを突起ピン式固定部材により接合固定することで、より安全性を備えたことを特徴とする。【００４９】  両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする。【００５０】  二段目の中折れ式短辺側壁外壁下部に拡張床板部側部横縁部を固定する場合の脱着式固定部材の取り付け位置は、乳幼児のオムツを取り替える際に、中折れ式短辺側壁の中折れ部を、一体式固定長辺側壁及び前部長辺側壁の外側に両開きするとき、中折れ部の開閉が支障なくできる位置に取り付けたことを特徴とする。【００５１】  このベビーベッドの収納・移動方式は、狭い場所でも立てたまま、収納移動ができる「立ちスタンド式」であることを特徴とする。【００５２】  このベビーベッドの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない幅を十分に備えていることを特徴とする。【００５３】  一段目と二段目の固定床板部と拡張床板部に、通気性を保つため、「通気孔」を設けたことを特徴とする。【００５４】  固定床板部と拡張床板部とを連結する回転式弾性連結部材は、拡張床板部の拡開及び収納時に、危険防止のため、回転式弾性連結部材の弾力により拡張床板部を「スローダウン、スローアップできる機能」を持つとともに、併せて、拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする。【００５５】  このベビーベッドの一段目と二段目の側壁を、同段の固定床板部の格納位置に収納したときの側壁の高さと、折り畳まれたときの拡張床板部の高さとが、同じであることを特徴とする。【００５６】  このベビーベッドを収納のため、側壁及び拡張床板部を固定床板部上に格納した際に、これら折り畳まれた側壁及び拡張床板部が不用意に開いたり、倒れたりすることがないように、その折り畳み状態を保持するため、二段目のベビーベッドの一体式固定長辺側壁外壁上部と二段目の拡張床板部底部上部とを、また、一段目の拡張床板部底部上部と二段目の拡張床板部連結側底部縁部とを係止するための「係止部材」を備えていることを特徴とする。【００５７】  前項の二段目のベビーベッドの一体式固定長辺側壁外壁上部と拡張床板部底部上部とを係止している係止部材の係止解除後に、解除した移動側の係止部材を収納するため「係止部材収納止め部」を同段の拡張床板部底部に備えたことを特徴とする【００５８】  一段目の床下部に、使用時の際の移動のため、また、不使用時の際の収納移動のため、「脱着式キャスター（一部はストップ機能付）」を備えたことを特徴とする。【００５９】  一段目と二段目の固定床板部の高さの位置で、一体式長辺側壁外壁部又は固定床板部両縁部に、別の同型のワンタッチ折り畳み式二段ベビーベッドと「接続」するための「脱着��接続部材」を備え付けることができることを特徴とする。【００６０】  このベビーベッドには、「専用縦折れ式マットレス」及び「搬送用収納バッグ」を備えることができることを特徴とする。【００６１】  このベビーベッドは、立ちスタンド式収納時において、二段目の固定床板部に格納された側壁と拡張床板部の間に、「専用縦折れ式マットレス」を折り畳んで収納できることを特徴とする。【００６２】  使用しなくなったベビーベッドは、収納ボックス等としても利用することができることを特徴とする。【００６３】  以下は、ワンタッチ折り畳み式ペットサークル、ペットケージ及び収納ボックスについての説明【００６４】・上蓋部
（ペットケージを形成する場合には、上蓋部を天面柵扉部と読み替える。以下同じ。）
（この上蓋部は、天面柵扉付きペットケージ又は上蓋付き収納ボックスを形成する場合のみ備える。）
・中折れ式側壁を含む４面からなる側壁部
（ペットサークル又はペットケージを形成する場合は、側壁部を側柵部と読み替える。以下同じ。）
・固定床板部と拡張床板部からなる床板部
・側壁と側壁及び固定床板部と拡張床板部並びに側壁と上蓋部とを回転可能に連結する連結手段
・側壁部と床板部又は前部上蓋又は後部上蓋とを固定する固定手段
・前部上蓋と後部上蓋とをロックする固定手段
からなる。【００６５】上蓋部が、両開きの形態を持つ
・前部長辺側壁上部縁部と連結された前部上蓋
・固定長辺側壁上部縁部と連結された後部上蓋
からなる。【００６６】側壁部が
・固定長辺側壁
・前部長辺側壁
・中折れ式短辺側壁
からなる。【００６７】床板部が
・側壁等を格納する固定床板部
・格納された側壁を前方開口縁部側に拡張し、その拡張完了後に、側壁として形成するための基礎部の役割を持ち、上記の固定床板部とともにペットサークル、ペットケージ及び収納ボックスの床板となる拡張床板部
からなる。【００６８】連結手段が
・前部長辺側壁上部縁部と前部上蓋縁部及び固定長辺側壁上部縁部と後部上蓋縁部とを連結する両開き可能な回転式連結部材
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる。【００６９】固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・側壁収納時に、固定長辺側壁外壁と後部上蓋外壁又は前部長辺側壁外壁と前部上蓋外壁とを固定する脱着式固定部材
からなる。【００７０】  固定床板部と回転式弾性連結部材により連結され、折り畳まれた状態で収納されている拡張床板部を拡開した後、固定床板部上にある固定長辺側壁の左右両端と他方の拡張時に前方開口縁部側へ、移動可能な前部長辺側壁の左右両端との間に、開閉可能な回転式連結部材により、両長辺側壁部間の内側へ折り込み可能な中折れ式短辺側壁が連結された状態で、固定床板部上に折り畳まれて格納されている、これらの側壁を、前部長辺側壁とともに、その格納位置から、固定床板部と回転式弾性連結部材により、連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により、装着し固定する（天面柵扉付きペットケージ又は上蓋付き収納ボックスを形成する場合は、併せて、前部上蓋縁部と後部上蓋縁部とを脱着式固定部材により、ロックし固定する。）ことにより形成されることを特徴とする。【００７１】  ペットケージ又は収納ボックスを形成する場合には、両開きの形態を持つ、両開き天面柵扉又は両開き上蓋を設けることができることを特徴とする。【００７２】  開口縁部側に移動可能な前部長辺側壁の上部（両開き天面柵扉付きペットケージ又は両開き上蓋付き収納ボックスを形成する場合は、前部長辺側壁上部縁部と連結された前部上蓋の裏側上部）に、固定床板部上に格納されている側壁を容易にかつ安全に、前方開口縁部側に拡張するため、及び側壁収納時に、既に拡張している側壁を容易にかつ安全に、固定床板部上に収納するための「ガイド用取っ手」を備えたこと。また、前部長辺側壁下部縁部に、必要に応じて「滑り部材」を備えることができることを特徴とする。【００７３】  ペットサークル及びペットケージの前部長辺側壁にペットの出入り口扉を設けることができることを特徴とする。【００７４】  短辺側壁を中折れ式にするための回転式連結部材は、ペット及びトレー又は収納物品の出し入れ等をする際に、中折れ式短辺側壁の中折れ部を固定長辺側壁及び前部長辺側壁の外側に両開きするため、「中折れ部が開閉できる機能」を併せて持つことを特徴とする。【００７５】  ペット及びトレー又は収納物品の出し入れ等をする際に、中折れ式短辺側壁の中折れ部を、固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする。【００７６】  両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする。【００７７】  両中折れ式短辺側壁外壁下部に拡張床板部側部横縁部を固定する場合の脱着式固定部材の取り付け位置は、ペット及びトレー又は収納物品の出し入れ等をする際に、中折れ式短辺側壁の中折れ部を固定長辺側壁及び前部長辺側壁の外側に両開きするとき、中折れ部の開閉が支障なくできる位置に取り付けたことを特徴とする。【００７８】  このペットサークル、ペットケージ及び収納ボックスの収納・移動方式は、狭い場所でも立てたまま、収納移動ができる「立ちスタンド式」であることを特徴とする。【００７９】  このペットサークル、ペットケージ及び収納ボックスの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない十分な幅を備えていることを特徴とする。【００８０】  固定床板部と拡張床板部とを連結する回転式弾性連結部材は、拡張床板部の拡開及び収納時に、危険防止のため、回転式弾性連結部材の弾力により、拡張床板部を「スローダウン、スローアップできる機能」を持つとともに、併せて拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする。【００８１】  このペットサークル、ペットケージ及び収納ボックスの側壁を格納位置に収納したときの側壁の高さと、折り畳まれたときの拡張床板部の高さとが同じであることを特徴とする。【００８２】  このペットサークル、ペットケージ及び収納ボックスを収納のため、側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部（天面柵扉付きペットケージ又は上蓋付き収納ボックスを形成する場合は、固定長辺側壁上部縁部と連結された後部上蓋の裏側上部）と拡張床板部底部上部とを係止する「係止部材」を備えていることを特徴とする。【００８３】  前項のペットサークル、ペットケージ及び収納ボックスの固定長辺側壁外壁上部（天面柵扉付きペットケージ又は上蓋付き収納ボックスを形成する場合は、固定長辺側壁上部縁部と連結された後部上蓋の裏側上部）と拡張床板部底部上部とを係止している係止部材の係止の解除後に、解除した移動側の係止部材を収納するための「係止部材収納止め部」を拡張床板部底部に備えたことを特徴とする。【００８４】  この収納ボックス又はペットサークルの床下部に、使用時の際の移動のため、また、不使用時の際の収納移動のため、「脱着式キャスター（一部はストップ機能付）」を備えたことを特徴とする。【００８５】  固定床板部の高さの位置で、固定長辺側壁外壁部又は固定床板部両縁部に、別の同型のワンタッチ折り畳み式ペットサークル、ペットケージ及び収納ボックスと「接続」するための「脱着式接続部材」を備え付けることができることを特徴とする。【００８６】  このペットサークル及びペットケージには、「専用トレー」及び「搬送用収納バッグ」を備えることができることを特徴とする。【００８７】  以下は、ワンタッチ折り畳み式二段ペットケージ及び収納ボックスについての説明【００８８】・上蓋部（ペットケージを形成する場合は、上蓋部を天面柵扉部と読み替える。以下同じ。）
（上蓋部は、天面柵扉付きペットケージ又は上蓋付き収納ボックスを形成する場合のみ備える。）
・中折れ式側壁を含む４面からなる側壁部
（ペットケージを形成する場合は、側壁部を側柵部に読み替える。以下同じ。）
・固定床板部と拡張床板部からなる床板部
・側壁と側壁又は固定床板部と拡張床板部又は側壁と上蓋部とを回転可能に連結する連結手段
・側壁部と床板部又は前部上蓋又は後部上蓋又は一体式上蓋とを固定する固定手段
・前部上蓋と後部上蓋又は側壁と一体式上蓋とをロックする固定手段
からなる。【００８９】上蓋部が、両開きする形態を持つ
・前部長辺側壁上部縁部と連結された前部上蓋
・一体式固定長辺側壁上部縁部と連結された後部上蓋
上蓋部が、片開きする形態を持つ
・一体式固定長辺側壁上部縁部と連結された一体式上蓋
からなる。【００９０】側壁部が、一段目と二段目とも
・一体式固定長辺側壁
・前部長辺側壁
・中折れ式短辺側壁
からなる。【００９１】床板部が、一段目と二段目とも
・側壁等を格納する固定床板部
・格納された側壁を前方開口縁部側に拡張し、その拡張完了後に、側壁として形成するための基礎部の役割を持ち、上記の固定床板部とともにペットケージ又は収納ボックスの床板となる拡張床板部
からなる。【００９２】連結手段が
・前部長辺側壁上部縁部と前部上蓋縁部及び一体式固定長辺側壁上部縁部と後部上蓋縁部とを連結し、両開きを可能にする回転式連結部材
・一体式固定長辺側壁上部縁部と一体式上蓋縁部とを連結し、両開きを可能にする回転式連結部材
・長辺側壁と中折れ式短辺側壁とを連結する回転式連結部材
・一段目と二段目の中折れ式短辺側壁中折れ部を連結する開閉可能な回転式連結部材
・固定床板部と拡張床板部とを連結する回転式弾性連結部材
からなる。【００９３】固定手段が
・一体式固定長辺側壁と一段目と二段目の固定床板部とを固定する固定部材
・一段目の前部長辺側壁上部縁部と二段目の拡張床板部底部前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・一体式固定長辺側壁上部縁部に連結された一体式上蓋縁部と二段目の前部長辺側壁上部縁部とをロックする脱着式固定部材
・側壁収納時に一体式固定長辺側壁外壁と後部上蓋外壁又は前部長辺側壁外壁と前部上蓋外壁又は一体式固定長辺側壁外壁と一体式上蓋外壁とを固定する脱着式固定部材からなる。【００９４】  一段目と二段目を有するワンタッチ折り畳み式二段ペットケージ及び収納ボックスにおいて固定床板部と回転式弾性連結部材により連結され、折り畳まれた状態で収納されている拡張床板部を拡開した（二段目については、一段目の前部長辺側壁上部縁部と二段目の拡張床板部底部前縁部とを突起ピン式固定部材により接合固定した）後、固定床板部と連結されている一体式固定長辺側壁の左右両端と他方の拡張時に前方開口縁部側へ、移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により、装着し固定（天面柵扉付きペットケージ又は上蓋付き収納ボックスを形成する場合は、併せて、前部上蓋縁部と後部上蓋縁部とを、又は一体式上蓋縁部と二段目の前部長辺側壁上部縁部とを脱着式固定部材により、ロックし固定する。）することにより形成されることを特徴とする。【００９５】  二段ペットケージ又は収納ボックスを形成する場合には、両開きの形態を持つ、両開き天面柵扉及び両開き上蓋又は一体式上蓋で片開きの形態を持つ、片開き天面柵扉及び片開き上蓋を設けることができることを特徴とする。【００９６】  開口縁部側に移動可能な前部長辺側壁の上部（両開き天面柵扉付きペットケージ又は両開き上蓋付き収納ボックスを形成する場合は、前部長辺側壁上部縁部と連結された前部上蓋の裏側上部）に、固定床板部上に格納されている側壁を容易にかつ安全に、前方開口縁部側に拡張するため、及びペットケージ及び収納ボックスの側壁収納時に、既に拡張している側壁を容易にかつ安全に、固定床板部上に収納するための「ガイド用取っ手」を備えたこと。また、前部長辺側壁下部縁部に、必要に応じて「滑り部材」を備えることができることを特徴とする。【００９７】  一段目又は二段目のペットケージの前部長辺側壁にペットの出入り口扉を設けることができることを特徴とする。【００９８】  ペットケージの一段目又は二段目を小物専用収納スペースとしても形成することができるものとし、この場合、拡張後の前部長辺側壁を「小物取り出し口」として使用するため、この側壁を開口するとともに、この開口部に必要に応じて「目隠し」を設けることができることを特徴とする。【００９９】  両短辺側壁を中折れ式にするための回転式連結部材は、ペット及びトレー又は収納物品の出し入れ等の際に、中折れ式短辺側壁の中折れ部を、一体式固定長辺側壁及び前部長辺側壁の外側に両開きするため、「中折れ部が開閉できる機能」を併せて持つことを特徴とする。【０１００】  ペット及びトレー又は収納物品の出し入れ等のた���、両中折れ式短辺側壁の中折れ部を、一体式固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする。【０１０１】  一段目の側壁が開口縁部側に拡張された状態で、この一段目の前部長辺側壁上部縁部と二段目の拡張床板部底部前縁部とを突起ピン式固定部材により、接合固定することで、より安全性を備えたことを特徴とする。【０１０２】  両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする。【０１０３】  両中折れ式短辺側壁外壁下部に拡張床板部側部横縁部を固定する場合の脱着式固定部材の取り付け位置は、ペット及びトレー又は収納物品の出し入れ等の際に、中折れ式短辺側壁の中折れ部を、一体式固定長辺側壁及び前部長辺側壁の外側に両開きするとき、中折れ部の開閉が支障なくできる位置に取り付けたことを特徴とする。【０１０４】  このペットケージ又は収納ボックスの収納・移動方式は、狭い場所でも立てたまま、収納移動ができる「立ちスタンド式」であることを特徴とする。【０１０５】  このペットケージ又は収納ボックスの固定床板部の幅は、前部長辺側壁、中折れ式短辺側壁及び拡張床板部を折り畳んで収納するとき、固定床板部上に十分格納できる幅を備えるとともに、立ちスタンド式収納時において、転倒の危険のない幅を十分に備えていることを特徴とする。【０１０６】  固定床板部と拡張床板部とを連結する回転式弾性連結部材は、拡張床板部の拡開及び収納時に、危険防止のため回転式弾性連結部材の弾力により、拡張床板部を「スローダウン、スローアップできる機能」を持つとともに、併せて拡張床板部を収納のため折り畳んだとき、拡張床板部がスローアップすることで、既に固定床板部上に格納されている側壁等が、格納位置側に押し込められることにより、側壁が不用意に開いたり、拡張床板部が倒れたりすることを防止できることを特徴とする。【０１０７】  このペットケージ又は収納ボックスの一段目と二段目の側壁を、同段の固定床板部の格納位置に収納したときの側壁の高さと、折り畳まれたときの拡張床板部の高さとが同じであることを特徴とする。【０１０８】  このペットケージ又は収納ボックスを収納のため、側壁及び拡張床板部を固定床板部上に格納した際に、これら折り畳まれた側壁及び拡張床板部が不用意に開いたり、倒れたりすることがないようにその折り畳み状態を保持するため、二段目の一体式固定長辺側壁外壁上部（両開き天面柵扉付きペットケージ又は両開き上蓋付き収納ボックスを形成する場合は、一体式固定長辺側壁上部縁部と連結された後部上蓋の裏側上部、また、片開き天面柵扉付きペットケージ及び片開き上蓋付き収納ボックスを形成する場合は、一体式固定長辺側壁上部縁部と連結された片開き一体式上蓋の裏側上部）と拡張床板部底部上部とを、また、一段目の拡張床板部底部上部縁部と二段目の拡張床板部連結側底部縁部とを係止するための「係止部材」を備えていることを特徴とする。【０１０９】  前項の二段目の一体式固定長辺側壁外壁上部（両開き天面柵扉付きペットケージ又は両開き上蓋付き収納ボックスを形成する場合は、一体式固定長辺側壁上部縁部と連結された後部上蓋の裏側上部、また、片開き天面柵扉付きペットケージ及び片開き上蓋付き収納ボックスを形成する場合は、一体式固定長辺側壁上部縁部と連結された片開き一体式上蓋の裏側上部）と拡張床板部底部上部とを係止している係止部材の係止解除後に、解除した移動側の係止部材を収納するための、「係止部材収納止め部」を拡張床板部底部に備えたことを特徴とする。【０１１０】  一段目の床下部に、使用時の際の移動、また、不使用時の際の収納移動のため、「脱着式キャスター（一部はストップ機能付）」を備えたことを特徴とする。【０１１１】  一段目と二段目の固定床板部高さの位置で、一体式長辺側壁外壁部又は固定床板部両縁部に、別の同型のワンタッチ折り畳み式二段ペットケージ及び収納ボックスと「接続」するための「脱着式接続部材」を備え付けることができることを特徴とする。【０１１２】  このペットケージには、「専用トレー」及び「搬送用収納バッグ」を備えることができることを特徴とする。
【考案の効果】
【０１１３】▲１▼ベビーベッド等を構成する長辺側壁と中折れ式短辺側壁及び固定床板部と拡張床板部とを連結部材で、それぞれ連結したことにより、それぞれ側壁等が折り畳めることができるようになったため、一体式の形態が取れるベビーベッド等が形成できた。
▲２▼一枚の床板部を固定床板部と折り畳みできる拡張床板部とに分離し、さらに、連結部材により連結したことにより、固定床板部上に側壁を折り畳んで格納した後、拡開している拡張床板部を折り畳んで、固定床板部上に収納できるようになったため、ベビーベッド等の収納が簡単にでき、コンパクト化できた。
▲３▼格納されている側壁を、固定床板部及び拡開した拡張床板部上の開口縁部側に、拡張し、拡張完了後に、これらの側壁の下部と、拡張床板部側部とを強固に固定することができる「脱着式固定部材」を装着することにより、より安全なベビーベッド等の形成が可能になった。
▲４▼上記のとおり、ベビーベッド等を構成する側壁等が折り畳める一体式の形態になり、また、ベビーベッド等の形成の手段に、「脱着式固定部材」が使用できることになったことから、工具を一切使用しないで、使用時におけるセット及び不使用時における収納がワンタッチで簡単に、極めて短時間（数分以内）にできるようになったため、女性でも手間をかけずに容易に、ベビーベッド等のセット及び収納ができるようになった。
▲５▼このため、従来、ベビーベッド等の使用時におけるセット及び不使用時における収納の際に必要としていた工具による組立て及び解体作業が一切不要となった。
▲６▼また、収納が立ちスタンド式で、かつ、移動式であるため、狭いスペースでもコンパクトに立てたまま、容易に収納及び移動ができるようになった。
▲７▼そして、搬送用収納バッグを備える（収納ボックスを除く。）ことができるので、自動車等で旅行するときにも、手軽にベビーベッド等の搬送ができるようになり、便利になった。
▲８▼収納ボックスの大きさを任意に設定できることから、小型から大型までのボックスが形成でき、収納できる物品量が増大できる。
▲９▼収納ボックスの空ボックスの収納も、立ちスタンド式なので、狭い場所でも保管できるとともに、空ボックスを搬送する場合にも大量に運搬ができる。
▲１０▼ペットサークル及びペットケージに床板と専用トレーを同時に備えることができたことから、室内で使用するときも、床を汚すことがなくなり、ペットサークル及びペットケージの床板に専用トレーをセットしたまま、使用時の場所移動も容易にできるようになった。また、収納が立ちスタンド式でキャスターが付いており、かつ、移動式であるため、狭いスペースでもコンパクトに立てたまま、容易に収納及び移動ができるようになった。
【考案を実施するための最良の形態】
【０１１４】  本考案であるワンタッチ折り畳み式ベビーベッド兼ベビーサークル、ペットサークル、ペットケージ及び収納ボックスの実施の形態について説明する。（図面参照）【０１１５】  固定床板部４と回転式弾性連結部材８により連結され、折り畳まれた状態で収納されている拡張床板部５を拡開した後、固定床板部４上にある固定長辺側壁１の左右両端と他方の拡張時に前方開口縁部側へ移動可能な前部長辺側壁２の左右両端との間に、開閉可能な回転式連結部材７により、両長辺側壁１，２間の内側へ折り込み可能な中折れ式の短辺側壁３ａ，３ｃと３ｂ，３ｄが連結された状態で、固定床板部４上に折り畳まれて格納されている、これらの側壁を、前部長辺側壁２とともに、その格納位置から固定床板部４と回転式弾性連結部材８により連結された拡張床板部５上をスライドさせながら、前方開口縁部側に拡張し、その拡張完了後に、前部長辺側壁２外壁下部に設けた脱着式固定部材９ｂに、拡張床板部５側部前縁部に設けた脱着式固定部材９ａを、また、中折れ式短辺側壁３ａ，３ｃと３ｂ，３ｄの外壁下部にそれぞれ設けた１０ｂに、拡張床板部５側部横縁部に設けた脱着式固定部材１０ａを装着し固定（天面柵扉付きペットケージ又は上蓋付き収納ボックスを形成する場合は、併せて、前部上蓋３７ａ縁部と後部上蓋３７ｂ縁部とを脱着式固定部材３９ａと３９ｂにより、ロックし固定する。）することにより形成される。【０１１６】  本考案であるワンタッチ折り畳み式二段ベビーベッド、ペットケージ及び収納ボックスの実施の形態について説明する。（図面参照）【０１１７】  一段目と二段目を有する形態において、固定床板部２０ａ、２０ｂと回転式弾性連結部材２５により連結され、折り畳まれた状態で収納されている拡張床板部２１ａ、２１ｂを拡開した（二段式ベビーベッドの二段目については、一段目の両中折れ式短辺側壁１９ａ１、１９ｃ１と１９ｂ１、１９ｄ１及び前部長辺側壁１８ａの上部縁部に設けた突起ピン式固定部材２６ｂに、二段目の拡張床板部２１ｂ底部の左右縁部及び前縁部に設けた突起ピン式固定部材２６ａを接合固定した、また、二段式ペットケージ及び収納ボックスの二段目については、一段目の前部長辺側壁１８ａの上部縁部に設けた突起ピン式固定部材２６ｂに、二段目の拡張床板部２１ｂ底部前縁部に設けた突起ピン式固定部材２６ａを接合固定した）後、固定床板部２０ａ、２０ｂと連結されている一体式固定長辺側壁１７の左右両端と、他方の拡張時に前方開口縁部側へ移動可能な前部長辺側壁１８ａ、１８ｂの左右両端との間に、（二段式ベビーベッドの二段目並びに二段式ペットケージ及び収納ボックスの一段目と二段目については、開閉可能な回転式連結部材２４）回転式連結部材２３により、両長辺側壁１７と１８ａ及び１７と１８ｂ間の内側へ折り込み可能な中折れ式短辺側壁１９ａ、１９ｃと１９ｂ、１９ｄと１９ａ１、１９ｃ１、１９ｂ１、１９ｄ１とが、それぞれ連結された状態で、固定床板部２０ａ、２０ｂ上に折り畳まれて格納されている、これらの側壁を、前部長辺側壁１８ａ、１８ｂとともに、その格納位置から固定床板部２０ａ、２０ｂと回転式弾性連結部材２５により連結された拡張床板部２１ａ、２１ｂ上をスライドさ���ながら前方開口縁部側に拡張し、拡張完了後に前部長辺側壁１８ａ、１８ｂ外壁下部に設けた脱着式固定部材２７ｂに、拡張床板部２１ａ、２１ｂ側部前縁部に設けた脱着式固定部材２７ａを、また、中折れ式短辺側壁１９ａ、１９ｃと１９ｂ、１９ｄと１９ａ１、１９ｃ１と１９ｂ１、１９ｄ１外壁下部に設けた脱着式固定部材２８ｂに、拡張床板部２１ａ、２１ｂ側部横縁部に設けた脱着固定部材２８ａを装着し固定（天面柵扉付きペットケージ又は上蓋付き収納ボックスを形成する場合は、併せて、前部上蓋３７ａ縁部と後部上蓋３７ｂ縁部とを脱着式固定部材３９ａと３９ｂにより、また、一体式上蓋４１縁部と二段目の前部長辺側壁１８ｂ上部縁部とを脱着式固定部材４３ａと４３ｂにより、ロックし固定する。）することにより形成される。【０１１８】  主な実施例について、次に説明する。（図面参照）【０１１９】  固定長辺側壁下部と固定床板部及び一体式固定長辺側壁と固定床板部とを固定する固定部材については、ねじ釘、ボルトねじ、ボルトナット式固定部材、Ｌ字型補強金具、突起ピン式固定部材、その他の補強金具等で強度が保てる安全な部材を任意に選定するとともに、固定場所についても強度が保てる安全な場所を任意に選定する。【０１２０】  ベビーベッドの両長辺側壁１、２及び二段式ベビーベッドの二段目の両長辺側壁１７、１８ｂに、乳幼児を監視するため、覗き窓としての役割を持つ、「格子窓１１、２９」を設けた。この格子窓については、必要に応じて、中折れ式短辺側壁にも設けることを可能とする。【０１２１】  各側壁を固定床板部上の格納位置に収納したときの側壁の高さと、折り畳まれたときの拡張床板部の高さとが同じであることを特徴とするが、必要に応じて、異なる高さのものを形成することも可能とする。【０１２２】  前部長辺側壁２、１８ａ、１８ｂ外壁上部にベビーベッド等のセット及び収納が容易にできるようにするための「ガイド用取っ手１２、３１ａ、３１ｂ」を設けた。天面柵扉ペットケージ又は上蓋付き収納ボックスを形成する場合には、前部長辺側壁上部縁部と連結された前部上蓋の裏側上部に「ガイド用取っ手３６」を設けた。この取っ手の形態については、任意に適当な取っ手を選定することができる。【０１２３】  前部長辺側壁下部縁部に「滑り部材」を必要に応じて備えることができる。滑り部材については、例えば、滑りピン、埋め込み式戸車等で滑り機能をもった任意の部材を選定する。【０１２４】  ベビーベッドの前部長辺側壁２格子窓１１の両側に「脱着式小物入れ１３」を設けた。この「脱着式小物入れ１３」の脱着手段については、任意に適当な方法を選定する。【０１２５】  側壁収納時には、小物入れ１３を前部長辺側壁２に装着したまま、収納できる。【０１２６】  回転式弾性連結部材８、２５は、弾力により、拡張床板部５、２１ａ、２１ｂをスローダウン、スローアップする機能を持つことにより安全性を備えた。この機能を有効に活用するため、適度な弾力効果が得られる弾性部材を選定する。ただし、拡張床板部が軽量な材料で形成される場合で、セット及び収納に危険がないときには、弾性のない回転式連結部材を選定することができる。【０１２７】  中折れ式短辺側壁中折れ部の回転式連結部��７、２４は、７ａ、７ｂ及び２４ａ、２４ｂに分離できることにより、中折れ部を開閉できる機能を持つものとする。（二段式ベビーベッドの一段目を除く。）また、この回転式連結部材が障碍になることなく、中折れ部の「中折れ」がスムーズにでき、側壁を固定床板部に容易に収納できる開閉方式及び部材を選定する事ができる。【０１２８】  突起ピン式固定部材２６ａ、２６ｂについては、突起ピン２６ａを突起ピン挿入口２６ｂにそれぞれ挿入することにより、側壁部と拡張床板部とを接合固定する。（二段式ペットケージ及び収納ボックスを形成する場合は、一段目の中折れ式短辺側壁上部縁部及び二段目の拡張床板部底部左右縁部には、両中折れ式短辺側壁中折れ部を外側に両開きするのに支障になるため、突起ピン式固定部材を設けていない。）【０１２９】  ベビーベッドの中折れ式短辺側壁及び二段式ベビーベッドの二段目の中折れ式短辺側壁の中折れ部の両開き角度を大きくするため、長辺側壁と中折れ式短辺側壁とを連結する側壁の両縦縁部にカットを施した。ただし、長辺側壁と中折れ式短辺側壁とを連結する手段により、本カットを必要としない場合には、カットを施さないことができる。（カット状態を図９及び図１９のみに図示）【０１３０】  ベビーベッドの中折れ式短辺側壁及び二段式ベビーベッドの二段目の中折れ式短辺側壁の中折れ部両縦縁部に「指詰め防止カット」を施した。ただし、中折れ式短辺側壁の中折れ部両縦縁部を連結する手段により、本カットを必要としない場合には、カットを施さないことができる。（カット状態を図９及び図１９のみに図示）【０１３１】  二段式ベビーベッドの二段目のベビーベッドの床板部の高さについては、乳幼児のオムツを取り替える際、腰に負担がかからない高さに設定するものとする。【０１３２】  使用中のティシュペーパー箱を小物入れ１３から取り出すとき、既に箱から出ているティシュペーパーが破れないように小物入れのティシュペーパー「取り出し口の上部をカット」している。【０１３３】  ベビーベッドの立ちスタンド式収納時において、小物入れ１３及び専用縦折れ式マットレス１６とを合わせて収納できる。この場合、前部長辺側壁両側に装着している小物入れ１３を取り外し、固定床板部４上に横置きに収納した後、その上に専用縦折れ式マットレス１６を置いて収納することができる。【０１３４】  二段式ベビーベッドの一段目の小物専用収納スペース取り出し口３０を「目隠し」する手段については、片開き扉、両開き扉、上下開閉扉、スライド式扉、引き戸式扉、アコーデオンカーテン、布カーテン等を設けることができ、開閉方式及び部材も任意に適当なものを選定することができる。【０１３５】  ベビーベッド及び二段式ベビーベッドの固定床板部４、２０ａ、２０ｂと拡張床板部５、２１ａ、２１ｂに「通気孔」を設けた。「通気孔」の形状、大きさ等は、任意に選定することができる。ただし、必要のない場合には、「通気孔」を設けないことができる。【０１３６】  側壁収納時において、折り畳み状態を保持するための「係止部材１４、３２、３３」を設けた。【０１３７】  係止部材１４、３２の係止手段については、例えば、固定側を回動式にした強力マジックテープ、フック式ベルト、磁石式係止部材等の適当な部材を任意に選定できる。（固定側の反対側の移動側が係止部材１４ａとなり、係止部材１４ｂ又は収納止め部材１４ｂ１と接着する。また、固定側の反対側の移動側が係止部材３２ａとなり、係止部材３２ｂ又は収納止め部材３２ｂ１と接着する。）【０１３８】  係止部材３３の係止手段については、適当な任意の部材を選定することができる。この場合、逆に３３ｂを３３ａ側に装着し固定することも可能とする。【０１３９】  ベビーベッド等の固定長辺側壁外壁上部又は一体長辺側壁外壁上部と拡張床板部底部上部とを係止している係止部材の係止解除後に、解除した係止部材の移動側を収納するための「係止部材収納止め部」を拡張床板部底部に備えた。この場合、「係止部材収納止め部」の形態、部材等については、任意に適当なものを選定できる。【０１４０】  ベビーベッド等を別の同型のベビーベッド等と接続する「脱着式接続部材」は、任意に適当な部材を選定できる。【０１４１】  使用時及び収納時の移動のため床下部に「脱着式キャスター１５、３４」を設けた。キャスターの一部は、ストップ機能付きを設けた。このキャスターは、必要のない場合には、設けないことができる。また、このキャスターについては、形成する本考案の形態に応じて、適当な任意のものを選定できる。【０１４２】  収納・移動方式は、コンパクトな立ちスタンド式である。【０１４３】  ベビーベッドに専用縦折れ式マットレス１６を、また、二段式ベビーベッドの二段目に専用縦折れ式マットレス３５を備えることができる。【０１４４】  ペットサークル及びペットケージには、床板上に「専用トレー」を備えることができる。【０１４５】  搬送用収納バッグを備えることができる。（収納ボックスを除く。）【０１４６】  ペットケージ及び収納ボックスについては、上蓋部を設けることができる。ペットケージを形成する場合は、上蓋部を天面柵扉部とする。ただし、天面柵扉部とする必要がない場合には、上蓋部のままで形成することができる。また、収納ボックスの形態についても、必要に応じて、上蓋部を天面柵扉部として、側壁部を側柵部として形成することも可能とする。【０１４７】  前部上蓋及び後部上蓋用取っ手及び一体式上蓋用取っ手の形態は、任意の適当なものを選定することができる。例えば、取り出し又は回転取っ手等を備えることができる。【０１４８】  後部上蓋縁部と前部上蓋縁部又は一体式上蓋縁部と前部長辺側壁上部とをロックする脱着式固定部材の形態は、任意の適当なものを選定することができる。【０１４９】  側壁収納時に、前部上蓋外壁と前部長辺側壁外壁及び後部上蓋外壁と固定長辺側壁外壁とを、また、二段目の前部上蓋外壁と前部長辺側壁外壁及び後部上蓋外壁と一体式長辺側壁外壁とを、また、一体式上蓋外壁と一体式固定長辺側壁外壁とを固定する脱着式固定部材は、必要に応じて設けるものとする。その場合、脱着式固定部材の形態は、任意の適当なものを選定するものとする。例えば、強力マジックテープ、凹凸式固定部材、磁石式固定部材等を選定する。【０１５０】  ペットケージ及び収納ボックスを形成する段数の設定については、必要に応じて、任意に選定することができる。【０１５１】  収納ボックスの大きさについ��も、収納物品の形態に応じて任意に設定できる。【０１５２】  ペットサークル、ペットケージ及び二段式ペットケージの一段目又は二段目のペットケージの前部長辺側壁にペットの出入り口扉を設けることができる。この出入り口扉の形態、開閉方式及び部材については、任意に適当なものを選定することができる。【０１５３】  二段ペットケージの一段目又は二段目に「小物専用収納スペース」を設けることができる。この小物専用収納スペース取り出し口３０の「目隠し」をする手段については、片開き扉、両開き扉、上下開閉扉、スライド式扉、引き戸式扉等を設けることができる。また、この扉の開閉方式と部材等については、任意の適当なものを選定することができる。【０１５４】  前部長辺側壁上部縁部と前部上蓋縁部及び固定長辺側壁上部縁部又は一体式固定長辺側壁上部縁部と後部上蓋縁部とを連結する両開き可能な回転式連結部材４０については、このほかに、上蓋ができる手段及び部材を任意に選定することができる。例えば、心棒式回転蓋等を選定することができる。【０１５５】  二段式ペットケージ及び収納ボックスを形成する場合には、前部上蓋と後部上蓋とが一体になった「一体式上蓋」の形態を設けることができるものとする。この場合、この「一体式上蓋」は、一体式固定長辺側壁上部縁部と一体式上蓋縁部とを両開き可能な回転式連結部材により連結するものとする。この両開き可能な回転式連結部材４０については、このほかに、上蓋ができる手段及び部材を任意に選定することができる。【０１５６】  以上、本考案の実施の形態及び実施例を説明したが、本考案の範囲は、これに限定されるものではない。本考案において使用する天面柵扉、上蓋、側壁、側柵、床板等の材料は、木材に限られるものではなく、例えば、合板、化粧合板、プラスチック、合成樹脂、アルミ、ステンレス、スチール、メタル、鋼材、鉄材等で、本考案を形成する上で強度が保てる安全な材料が使用できるとともに、本考案の形状、デザイン、大きさ、重さ等についても任意に選定することができる。また、室内用と屋外用の用途に応じて、適当な任意の材料及び部材を選定するものとする。
また、上記の本考案において使用する各種部材の材料等についても、金属に限られるものではなく、例えば、プラスチック、合成樹脂、布地等で、本考案を形成する上で、使い易い、また、強度が保てる安全で適当な任意の材質のものが利用でき、また、形状、大きさ、構造、機能性等についても任意に選定することができる。
搬送用収納バッグ（収納ボックスを除く。）についても、丈夫な材料で機能的な形態のものを備えるものとする。
【図面の簡単な説明】
【０１５７】
【図１】本考案のベビーベッドのセット前の側面図（Ａ）である。（（Ａ）は小物入れを前部長辺側壁の格子窓両横に装着したまま収納した場合を示す。）（次へのセット順は、同じアルファベッド記号の図面に進む。次の図２以下についても同じ。）
【図２】本考案のベビーベッドのセット前の側面図（Ｂ）である。（（Ｂ）は小物入れを取り外し、固定床板部上に横置きに収納した後、その上に専用縦折れ式マットレスを合わせて収納した場合を示す。）
【図３】本考案のベビーベッドのセット前の斜視図（Ａ）である。
【図４】本考案のベビーベッドのセット前の斜視図（Ｂ）である。
【図５】本考案のベビーベッドのセット途中の斜視図（Ａ）（Ｂ）である。
【図６】本考案のベビーベッドのセット途中の斜視図（Ａ）（Ｂ）である。
【図７】本考案のベビーベッドのセット途中の斜視図（Ａ）（Ｂ）である。
【図８】本考案のベビーベッドのセット完了後の斜視図（Ａ）（Ｂ）である。
【図９】本考案の中折れ部の一方を両開きした状態及び各側壁の縦縁部に施した指詰め防止カット状態を示す斜視図である。
【図１０】本考案の二段ベビーベッドのセット前の側面図である。
【図１１】本考案の二段ベビーベッドのセット前の斜視図である。
【図１２】本考案の二段ベビーベッドのセット途中の斜視図である。
【図１３】本考案の二段ベビーベッドのセット途中の斜視図である。
【図１４】本考案の二段ベビーベッドのセット途中の斜視図である。
【図１５】本考案の二段ベビーベッドのセット途中の斜視図である。
【図１６】本考案の二段ベビーベッドのセット途中の斜視図である。
【図１７】本考案の二段ベビーベッドのセット途中の斜視図である。
【図１８】本考案の二段ベビーベッドのセット完了後の斜視図である。
【図１９】本考案の二段ベビーベッドの二段目の中折れ部の一方を両開きした状態及び各側壁の縦縁部に施した指詰め防止カット状態を示す斜視図である。
【図２０】本考案の収納ボックスのセット完了後の斜視図である。
【図２１】本考案の二段収納ボックスのセット完了後の斜視図である。
【図２２】本考案の両開き天面柵扉ペットケージ又は両開き上蓋付き収納ボックスのセット前の側面図である。
【図２３】本考案の両開き上蓋付き収納ボックスのセット完了後の斜視図である。
【図２４】本考案の両開き天面柵扉付き二段ペットケージ又は両開き上蓋付き二段収納ボックスのセット前の側面図である。
【図２５】本考案の両開き上蓋付き二段収納ボックスのセット完了後の斜視図である。
【図２６】本考案のペットサークルのセット完了後の斜視図である。
【図２７】本考案の二段ペットケージ（一段目が小物専用収納スペース）のセット完了後の斜視図である。
【図２８】本考案の二段ペットケージ（一、二段目ともペット入れ）のセット完了後の斜視図である。
【図２９】本考案の二段ペットケージ（一、二段目ともペット入れ）の一、二段目の中折れ部の一方を両開きした状態の斜視図である。
【図３０】本考案の両開き上蓋付きペットケージのセット完了後の斜視図である。
【図３１】本考案の両開き上蓋付き二段ペットケージ（一段目が小物専用収納スペース）のセット完了後の斜視図である。
【図３２】本考案の両開き上蓋付き二段ペットケージ（二段目が小物専用収納スペース）のセット完了後の斜視図である。
【図３３】本考案の両開き上蓋付き二段ペットケージ（一、二段目ともペット入れ）のセット完了後の斜視図である。
【図３４】本考案の片開き天面柵扉付き二段ペットケージ又は片開き上蓋付き二段収納ボックスのセット前の側面図である。
【図３５】本考案の片開き天面柵扉付き二段ペットケージ（一、二段目ともペット入れ）のセット完了後の斜視図である。
【符号の説明】
【０１５８】１                  固定長辺側壁
２                  前部長辺側壁
３ａ、３ｃ          左側の中折れ部短辺側壁
３ｂ、３ｄ          右側の中折れ部短辺側壁
４                  固定床板部
５                  拡張床板部
６                  回転連結部材
７ａ、７ｂ          中折れ部を両開きした状態の開閉可能な回転連結部材
７                  中折れ部を閉じた状態の開閉可能な回転連結部材
８                  回転弾性連結部材
９ａ、９ｂ          装着前の脱着式固定部材
９                  装着後の脱着式固定部材
１０ａ、１０ｂ      装着前の脱着式固定部材
１０                装着後の脱着式固定部材
１１                格子窓
１２                ガイド用取っ手
１３                小物入れ
１４ａ、１４ｂ      係止前の係止部材（部材１４ａは図示せず。）
１４                係止後の係止部材
１４ｂ１            係止解除後に、係止部材１４ａの移動側を収納固定する収納止め部材
１５                キャスター
１６                専用縦折れ式マットレス
１７                一体式固定長辺側壁
１８ａ、１８ｂ      前部長辺側壁
１９ａ、１９ｃ      左側の二段目中折れ式短辺側壁
１９ｂ、１９ｄ      右側の二段目中折れ式短辺側壁
１９ａ１、１９ｃ１  左側の一段目中折れ式短辺側壁
１９ｂ１、１９ｄ１  右側の一段目中折れ式短辺側壁
２０ａ、２０ｂ      固定床板部
２１ａ、２１ｂ      拡張床板部
２２                回転式連結部材
２３                中折れ部の回転式連結部材
２４ａ、２４ｂ      中折れ部を両開きした状態の開閉可能な回転式連結部材
２４                中折れ部を閉じた状態の開閉可能な回転連結部材
２５                回転式弾性連結部材
２６ａ、２６ｂ      装着前の突起ピン式固定部材
２６                装着後の突起ピン式固定部材（部材２６は図示せず。）
２７ａ、２７ｂ      装着前の脱着式固定部材
２７                装着後の脱着式固定部材
２８ａ、２８ｂ      装着前の脱着式固定部材
２８                装着後の脱着式固定部材
３０                小物取り出し口
３１ａ、３１ｂ      ガイド用取っ手
３２ａ、３２ｂ      係止前の係止部材
３２                係止後の係止部材
３２ｂ１            係止解除後に、係止部材３２ａの移動側を収納固定する収納止め部
３３ａ、３３ｂ      係止前の係止部材
３３                係止後の係止部材
３４                キャスター
３５                専用縦折れ式マットレス
３６                前部上蓋の裏側上部に設けたガイド用取っ手
３７ａ              前部上蓋
３７ｂ              後部上蓋
３８ａ              前部上蓋用取っ手（図２２、２４には図示せず。）
３８ｂ              後部上蓋用取っ手（図２２、２４には図示せず。）
３９ａ              前部上蓋のロック前の脱着式固定部材（部材４４と共通図）
３９ｂ              後部上蓋のロック前の脱着式固定部材（部材４４と共通図）
３９                前部上蓋と後部上蓋とをロックした脱着式固定部材
４０                両開き可能な回転式連結部材
４１                一体式上蓋
４２                一体式上蓋用取っ手（部材４４と共通図）
４３ａ、４３ｂ      ロック前の脱着式固定部材（一体式上蓋前縁部と前部長辺側壁上部縁部とをロックする。）
４３                ロック後の脱着式固定部材（一体式上蓋前縁部と前部長辺側壁上部縁部とをロックする。）
４４ａ、４４ｂ      装着前の脱着式固定部材（この部材は図示せず。）
４４                装着後の脱着式固定部材（部材３９ａ、３９ｂ、４２と共通図）
（側壁収納時に、前部上蓋外壁と前部長辺側壁外壁及び後部上蓋外壁と固定長辺側壁外壁とを、また、二段目の前部上蓋外壁と前部長辺側壁外壁及び二段目の後部上蓋外壁と一体式固定長辺側壁外壁とを、また、一体式上蓋外壁と一体式固定長辺側壁外壁とを固定する。）
【図１】
0003125560.tif 000003
【図２】
0003125560.tif 000004
【図３】
0003125560.tif 000005
【図４】
0003125560.tif 000006
【図５】
0003125560.tif 000007
【図６】
0003125560.tif 000008
【図７】
0003125560.tif 000009
【図８】
0003125560.tif 000010
【図９】
0003125560.tif 000011
【図１０】
0003125560.tif 000012
【図１１】
0003125560.tif 000013
【図１２】
0003125560.tif 000014
【図１３】
0003125560.tif 000015
【図１４】
0003125560.tif 000016
【図１５】
0003125560.tif 000017
【図１６】
0003125560.tif 000018
【図１７】
0003125560.tif 000019
【図１８】
0003125560.tif 000020
【図ｌ９】
0003125560.tif 000021
【図２０】
0003125560.tif 000022
【図２１】
0003125560.tif 000023
【図２２】
0003125560.tif 000024
【図２３】
0003125560.tif 000025
【図２４】
0003125560.tif 000026
【図２５】
0003125560.tif 000027
【図２６】
0003125560.tif 000028
【図２７】
0003125560.tif 000029
【図２８】
0003125560.tif 000030
【図２９】
0003125560.tif 000031
【図３０】
0003125560.tif 000032
【図３１】
0003125560.tif 000033
【図３２】
0003125560.tif 000034
【図３３】
0003125560.tif 000035
【図３４】
0003125560.tif 000036
【図３５】
0003125560.tif 000037
【手続補正書】
【提出日】平成17年12月17日(2005.12.17)
【手続補正１】
【補正対象書類名】実用新案登録請求の範囲
【補正対象項目名】全文
【補正方法】変更
【補正の内容】
【実用新案登録請求の範囲】
【請求項１】
・中折れ式側壁を含む４面からなる側壁部
・固定床板部と拡張床板部からなる床板部
・側壁と側壁及び固定床板部と拡張床板部とを回転可能に連結する連結手段
・側壁部に床板部を固定する固定手段
からなるワンタッチ折り畳み式ベビーベッド兼ベビーサークル。
【請求項２】
側壁部が
・固定長辺側壁
・前部長辺側壁
・中折れ式短辺側壁
からなる請求項１記載のワンタッチ折り畳み式ベビーベッド兼ベビーサークル。
【請求項３】
床板部が
・側壁等を格納する固定床板部
・格納された側壁を、前方開口縁部側に拡張し、その拡張完了後に、側壁として形成するための基礎部の役割を持ち、上記の固定床板部とともにベビーベッドの床板となる拡張床板部
からなる請求項１記載のワンタッチ折り畳み式ベビーベッド兼ベビーサークル。
【請求項４】
連結手段が
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項１記載のワンタッチ折り畳み式ベビーベッド兼ベビーサークル。
【請求項５】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項１記載のワンタッチ折り畳み式ベビーベッド兼ベビーサークル。
【請求項６】
固定床板部と回転式弾性連結部材により連結され、折り畳まれた状態で収納されている拡張床板部を拡開した後、固定床板部上にある固定長辺側壁の左右両端と他方の拡張時に前方開口縁部側へ、移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により、装着し固定することにより形成されることを特徴とする請求項１記載のワンタッチ折り畳み式ベビーベッド兼ベビーサークル。
【請求項７】
両長辺側壁にのみ、ベビーベッド内の乳幼児の様子を見る覗き窓としての役割を持つ「格子窓」を設けたことを特徴とする請求項１又は２記載のワンタッチ折り畳み式ベビーベッド兼ベビーサークル。
【請求項８】
開口縁部側に移動可能な前部長辺側壁の上部に、固定床板部上に格納されている側壁を容易にかつ安全に、前方開口縁部側に拡張するため、及びベビーベッドの側壁収納時に既に拡張している側壁を容易にかつ安全に、固定床板部上に収納するため「ガイド用取っ手」を備えたこと。また、前部長辺側壁下部縁部に、必要に応じて「滑り部材」を備えることができることを特徴とする請求項１又は２記載のワンタッチ折り畳み式ベビーベッド兼ベビーサークル。
【請求項９】
前部長辺側壁格子窓の両側に、脱着可能な「小物入れ」を設けたことを特徴とする請求項１又は２記載のワンタッチ折り畳み式ベビーベッド兼ベビーサークル。
【請求項１０】
前項の小物入れの内、ティシュペーパー専用の小物入れ（薄型ティシュペーパー箱を前後に２箱入れることが可能）に、予備のティシュペーパー箱を使用中のティシュペーパー箱の後ろに入れた状態で、前にある使用中のティシュペーパー箱本体を小物入れから取り出す際に、既に箱から出ているティシュペーパーが破れないようにするために、小物入れのティシュペーパー「取り出し口上部をカット」していることを特徴とする請求項１又は２記載のワンタッチ折り畳み式ベビーベッド兼ベビーサークル。
【請求項１１】
両短辺側壁を中折れ式にするための回転式連結部材は、乳幼児のオムツを取り替える際に、中折れ式短辺側壁の中折れ部を固定長辺側壁及び前部長辺側壁の外側に両開きするため、「中折れ部が開閉できる機能」を併せて持つことを特徴とする請求項１、２又は４記載のワンタッチ折り畳み式ベビーベッド兼ベビーサークル。
【請求項１２】
乳幼児のオムツを取り替える際に、中折れ式短辺側壁の中折れ部を、固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする請求項１又は２記載のワンタッチ折り畳み式ベビーベッド兼ベビーサークル。
【請求項１３】
前項の両長辺側壁と両中折れ式短辺側壁とを連結する両縦縁部のカットは、併せて「指詰め防止」にも役立つことを特徴とする請求項１又は２記載のワンタッチ折り畳み式ベビーベッド兼ベビーサークル。
【請求項１４】
両中折れ式短辺側壁内側の中折れ部の両縦縁部についても「指詰め防止」のため、それぞれカットを施したことを特徴とする請求項１又は２記載のワンタッチ折り畳み式ベビーベッド兼ベビーサークル。
【請求項１５】
両中折れ式短辺側壁外壁下部に、拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする請求項１、２又は５記載のワンタッチ折り畳み式ベビーベッド兼ベビーサークル。
【請求項１６】
両中折れ式短辺側壁外壁下部に、拡張床板部側部横縁部を固定する場合の脱着式固定部材の取り付け位置は、乳幼児のオムツを取り替える際に、中折れ式短辺側壁の中折れ部を固定長辺側壁及び前部長辺側壁の外側に両開きするときに、中折れ部の開閉が支障なくできる位置に取り付けたことを特徴とする請求項１、２又は５記載のワンタッチ折り畳み式ベビーベッド兼ベビーサークル。
【請求項１７】
このベビーベッドの収納・移動方式は、狭い場所でも立てたまま、収納移動ができる「立ちスタンド式」であることを特徴とする請求項１記載のワンタッチ折り畳み式ベビーベッド兼ベビーサークル。
【請求項１８】
このベビーベッドの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない十分な幅を備えていることを特徴とする請求項１又は２記載のワンタッチ折り畳み式ベビーベッド兼ベビーサークル。
【請求項１９】
固定床板部と拡張床板部には、通気性を保つため、「通気孔」を設けたことを特徴とする請求項１記載のワンタッチ折り畳み式ベビーベッド兼ベビーサークル。
【請求項２０】
固定床板部と拡張床板部とを連結する回転式弾性連結部材は、拡張床板部の拡開及び収用時に、危険防止のため、回転式弾性連結部材の弾力により拡張床板部を「スローダウン、スローアップできる機能」を持つとともに、併せて拡張床板部を収納のため折り畳んだとき、この拡張床板部がスローアップすることで、既に固定床板部上に格納されている側壁等が格納位置側に押し込められることにより、側壁が不用意に開いたり、拡張床板部が倒れたりすることを防止できることを特徴とする請求項１、２又は４記載のワンタッチ折り畳み式ベビーベッド兼ベビーサークル。
【請求項２１】
このベビーサークルの側壁を格納位置に収納したときの側壁の高さと、折り畳まれたときの拡張床板部の高さとが同じであることを特徴とする請求項１又は２記載のワンタッチ折り畳み式ベビーベッド兼ベビーサークル。
【請求項２２】
このベビーベッドを収納のため、側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを係止する「係止部材」を備えていることを特徴とする請求項１又は２記載のワンタッチ折り畳み式ベビーベッド兼ベビーサークル。
【請求項２３】
前項のベビーベッドの固定長辺側壁外壁上部と拡張床板部底部上部とを係止している係止部材の係止の解除後に、解除した移動側の係止部材を収納するための「係止部材収納止め部」を拡張床板部底部に備えたことを特徴とする請求項１又は２記載のワンタッチ折り畳み式ベビーベッド兼ベビーサークル。
【請求項２４】
このベビーベッドの床下部に、使用時の際の移動、また、不使用時の際の収納移動のため、「脱着式キャスター（一部はストップ機能付）」を備えたことを特徴とする請求項１記載のワンタッチ折り畳み式ベビーベッド兼ベビーサークル。
【請求項２５】
固定床板部の高さの位置で、固定長辺側壁外壁部又は固定床板部両縁部に、別の同型のワンタッチ折り畳み式ベビーベッド兼ベビーサークルと「接続」するための、「脱着式接続部材」を備え付けることができることを特徴とする請求項１又は２記載のワンタッチ折り畳み式ベビーベッド兼ベビーサークル。
【請求項２６】
このベビーベッドは、立ちスタンド式収納時において、脱着可能な「小物入れ」を前部長辺側壁の両側に装着したまま、収納できることを特徴とする請求項１又は２記載のワンタッチ折り畳み式ベビーベッド兼ベビーサークル。
【請求項２７】
このベビーベッドは、「専用縦折れ式マットレス」及び「搬送用収納バッグ」を備えることができることを特徴とする請求項１記載のワンタッチ折り畳み式ベビーベッド兼ベビーサークル。
【請求項２８】
このベビーベッドは、立ちスタンド式収納時において、固定床板部に格納された側壁と拡張床板部の間に、前部長辺側壁の両側に装着した「脱着式小物入れ」を取り外し、横向きに収納した後、更に、その上に、「専用縦折れ式マットレス」を折り畳んで収納できることを特徴とする請求項１又は２記載のワンタッチ折り畳み式ベビーベッド兼ベビーサークル。
【請求項２９】
使用しなくなったベビーベッドは、収納ボックス等としても利用することができることを特徴とする請求項１記載のワンタッチ折り畳み式ベビーベッド兼ベビーサークル。
【請求項３０】
・中折れ式側壁を含む４面からなる側壁部
・固定床板部と拡張床板部からなる床板部
・側壁と側壁及び固定床板部と拡張床板部とを回転可能に連結する連結手段
・側壁部に床板部を固定する固定手段
からなるワンタッチ折り畳み式二段ベビーベッド。
【請求項３１】
側壁部が一段目と二段目とも
・一体式固定長辺側壁
・前部長辺側壁
・中折れ式短辺側壁
からなる請求項３０記載のワンタッチ折り畳み式二段ベビーベッド。
【請求項３２】
床板部が一段目と二段目とも
・側壁等を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる請求項３０記載のワンタッチ折り畳み式二段ベビーベッド。
【請求項３３】
連結手段が
・長辺側壁と中折れ式短辺側壁とを連結する回転式連結部材
・一段目の中折れ式短辺側壁の中折れ部を連結する回転式連結部材
・二段目の中折れ式短辺側壁の中折れ部を連結する開閉可能な回転式連結部材
・固定床板部と拡張床板部とを連結する回転式弾性連結部材
からなる請求項３０記載のワンタッチ折り畳み式二段ベビーベッド。
【請求項３４】
固定手段が
・一体式固定長辺側壁と一段目と二段目の固定床板部とを固定する固定部材
・一段目の両中折れ式短辺側壁及び前部長辺側壁の上部縁部と二段目の拡張床板部底部の左右縁部及び前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項３０記載のワンタッチ折り畳み式二段ベビーベッド。
【請求項３５】
一段目と二段目を有するワンタッチ折り畳み式二段ベビーベッドにおいて、固定床板部と回転式弾性連結部材により連結され、折り畳まれた状態で収納されている拡張床板部を拡開した（二段目については、一段目の両中折れ式短辺側壁及び前部長辺側壁の上部縁部と二段目の拡張床板部底部の左右縁部と前縁部とを突起ピン式固定部材により接合固定した）後、固定床板部と連結されている一体式固定長辺側壁の左右両端と他方の拡張時に前方開口縁部側へ、移動可能な前部長辺側壁の左右両端との間に、（二段目については、開閉可能な）回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により、装着し固定することにより、一段目は、「小物専用収納スペース」として、二段目は「ベビーベッド」として形成されることを特徴とする請求項３０記載のワンタッチ折り畳み式二段ベビーベッド。
【請求項３６】
二段目の両長辺側壁にのみ、ベビーベッド内の乳幼児の様子を見る覗き窓としての役割を持つ、「格子窓」を設けたことを特徴とする請求項３０又は３１記載のワンタッチ折り畳み式二段ベビーベッド。
【請求項３７】
一段目の拡張後の前部長辺側壁を「小物取り出し口」として使用するため、この側壁を開口し、この開口部に必要に応じて「目隠し」を設けることができることを特徴とする請求項３０又は３１記載のワンタッチ折り畳み式二段ベビーベッド。
【請求項３８】
一段目と二段目の開口縁部側に移動可能な前部長辺側壁の上部に、固定床板部上に格納されている側壁を容易にかつ安全に、前方開口縁部側に拡張するため及びベビーベッドの側壁収納時に、既に拡張している側壁を容易にかつ安全に、固定床板部上に収納するための「ガイド用取っ手」を備えたこと。また、一段目と二段目の前部長辺側壁下部縁部に、必要に応じて「滑り部材」を備えることができることを特徴とする請求項３０又は３１記載のワンタッチ折り畳み式二段ベビーベッド。
【請求項３９】
両短辺側壁を中折れ式にするための回転式連結部材は、二段目については、乳幼児のオムツを取り替える際に、中折れ式短辺側壁の中折れ部を一体式固定長辺側壁及び前部長辺側壁の外側に両開きするため、「中折れ部が開閉できる機能」を併せて持つことを特徴とする請求項３０、３１又は３３記載のワンタッチ折り畳み式二段ベビーベッド。
【請求項４０】
乳幼児のオムツを取り替える際に、二段目の中折れ式短辺側壁の中折れ部を、一体式固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする請求項３０又は３１記載のワンタッチ折り畳み式二段ベビーベッド。
【請求項４１】
前項の両長辺側壁と両中折れ式短辺側壁とを連結する両縦縁部のカットは、併せて「指詰め防止」にも役立つことを特徴とする請求項３０又は３１記載のワンタッチ折り畳み式二段ベビーベッド。
【請求項４２】
二段目の両中折れ式短辺側壁内側の中折れ部の両縦縁部についても「指詰め防止」のため、それぞれカットを施したことを特徴とする請求項３０又は３１記載のワンタッチ折り畳み式二段ベビーベッド。
【請求項４３】
一段目の側壁が開口縁部側に拡張された状態で、この一段目の両中折れ式短辺側壁及び前部長辺側壁の上部縁部と二段目の拡張床板部底部の左右縁部及び前縁部とを突起ピン式固定部材により接合固定することで、より安全性を備えたことを特徴とする請求項３０又は３１記載のワンタッチ折り畳み式二段ベビーベッド。
【請求項４４】
両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする請求項３０、３１又は３４記載のワンタッチ折り畳み式二段ベビーベッド。
【請求項４５】
二段目の中折れ式短辺側壁外壁下部に拡張床板部側部横縁部を固定する場合の脱着式固定部材の取り付け位置は、乳幼児のオムツを取り替える際に、中折れ式短辺側壁の中折れ部を、一体式固定長辺側壁及び前部長辺側壁の外側に両開きするとき、中折れ部の開閉が支障なくできる位置に取り付けたことを特徴とする請求項３０、３１又は３４記載のワンタッチ折り畳み式二段ベビーベッド。
【請求項４６】
このベビーベッドの収納・移動方式は、狭い場所でも、立てたまま、収納移動ができる「立ちスタンド式」であることを特徴とする請求項３０記載のワンタッチ折り畳み式二段ベビーベッド。
【請求項４７】
このベビーベッドの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない幅を十分に備えていることを特徴とする請求項３０又は３１記載のワンタッチ折り畳み式二段ベビーベッド。
【請求項４８】
一段目と二段目の固定床板部と拡張床板部に、通気性を保つため、「通気孔」を設けたことを特徴とする請求項３０記載のワンタッチ折り畳み式二段ベビーベッド。
【請求項４９】
固定床板部と拡張床板部とを連結する回転式弾性連結部材は、拡張床板部の拡開及び収納時に、危険防止のため、回転式弾性連結部材の弾力により、拡張床板部を「スローダウン、スローアップできる機能」を持つとともに、併せて、拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする請求項３０、３１又は３３記載のワンタッチ折り畳み式二段ベビーベッド。
【請求項５０】
このベビーベッドの一段目と二段目の側壁を、同段の固定床板部の格納位置に収納したときの側壁の高さと、折り畳まれたときの拡張床板部の高さとが、同じであることを特徴とする請求項３０又は３１記載のワンタッチ折り畳み式二段ベビーベッド。
【請求項５１】
このベビーベッドを収納のため、側壁及び拡張床板部を固定床板部上に格納した際に、これら折り畳まれた側壁及び拡張床板部が不用意に開いたり、倒れたりすることがないようにその折り畳み状態を保持するため、二段目のベビーベッドの一体式固定長辺側壁外壁上部と拡張床板部底部上部とを、また、一段目の拡張床板部底部上部と二段目の拡張床板部連結側底部縁部とを係止するための「係止部材」を備えていることを特徴とする請求項３０又は３１記載のワンタッチ折り畳み式二段ベビーベッド。
【請求項５２】
前項の二段目のベビーベッドの一体式固定長辺側壁外壁上部と拡張床板部底部上部とを係止している係止部材の係止解除後に、解除した移動側の係止部材を収納するための「係止部材収納止め部」を同段の拡張床板部底部に備えたことを特徴とする請求項３０又は３１記載のワンタッチ折り畳み式二段ベビーベッド。
【請求項５３】
一段目の床下部に、使用時の際の移動、また、不使用時の際の収納移動のため、「脱着式キャスター（一部はストップ機能付）」を備えたことを特徴とする請求項３０記載のワンタッチ折り畳み式二段ベビーベッド。
【請求項５４】
一段目と二段目の固定床板部の高さの位置で、一体式長辺側壁外壁部又は固定床板部両縁部に別の同型のワンタッチ折り畳み式二段ベビーベッドと「接続」するための「脱着式接続部材」を備え付けることができることを特徴とする請求項３０又は３１記載のワンタッチ折り畳み式二段ベビーベッド。
【請求項５５】
このベビーベッドには、「専用縦折れ式マットレス」及び「搬送用収納バッグ」を備えることができることを特徴とする請求項３０記載のワンタッチ折り畳み式二段ベビーベッド。
【請求項５６】
このベビーベッドは、立ちスタンド式収納時において、二段目の固定床板部に格納された側壁と拡張床板部の間に、「専用縦折れ式マットレス」を折り畳んで収納できることを特徴とする請求項３０又は３１記載のワンタッチ折り畳み式二段ベビーベッド。
【請求項５７】
使用しなくなったベビーベッドは、収納ボックス等としても利用できることを特徴とする請求項３０記載のワンタッチ折り畳み式二段ベビーベッド。
【請求項５８】
・上蓋部（天面柵扉付きペットケージを形成する場合には、上蓋部を天面柵扉部と読み替える。以下同じ。）（この上蓋部は、天面柵扉付きペットケージ又は上蓋付き収納ボックスを形成する場合のみ備える。）
・中折れ式側壁を含む４面からなる側壁部
（ペットサークル又はペットケージを形成する場合は、側壁部を側柵部と読み替える。以下同じ。）
・固定床板部と拡張床板部からなる床板部
・側壁と側壁及び固定床板部と拡張床板部並びに側壁と上蓋部とを回転可能に連結する連結手段
・側壁部と床板部又は前部上蓋又は後部上蓋とを固定する固定手段
・前部上蓋と後部上蓋とをロックする固定手段
からなるワンタッチ折り畳み式ペットサークル及びペットケージ並びに収納ボックス。
【請求項５９】
上蓋部が、両開きの形態を持つ
・前部長辺側壁上部縁部と連結された前部上蓋
・固定長辺側壁上部縁部と連結された後部上蓋
からなる請求項５８記載のワンタッチ折り畳み式ペットケージ及び収納ボックス。
【請求項６０】
側壁部が
・固定長辺側壁
・前部長辺側壁
・中折れ式短辺側壁
からなる請求項５８記載のワンタッチ折り畳み式ペットサークル及びペットケージ並びに収納ボックス。
【請求項６１】
床板部が
・側壁等を格納する固定床板部
・格納された側壁を前方開口縁部側に拡張し、その拡張完了後に、側壁として形成するための基礎部の役割を持ち、上記の固定床板部とともにペットサークル、ペットケージ及び収納ボックスの床板となる拡張床板部
からなる請求項５８記載のワンタッチ折り畳み式ペットサークル及びペットケージ並びに収納ボックス。
【請求項６２】
連結手段が
・前部長辺側壁上部縁部と前部上蓋縁部及び固定長辺側壁上部縁部と後部上蓋縁部とを連結する両開き可能な回転式連結部材
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項５８記載のワンタッチ折り畳み式ペットサークル及びペットケージ並びに収納ボックス。
【請求項６３】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・側壁収納時に、固定長辺側壁外壁と後部上蓋外壁又は前部長辺側壁外壁と前部上蓋外壁とを固定する脱着式固定部材
からなる請求項５８記載のワンタッチ折り畳み式ペットサークル及びペットケージ並びに収納ボックス。
【請求項６４】
固定床板部と回転式弾性連結部材により連結され、折り畳まれた状態で収納されている拡張床板部を拡開した後、固定床板部上にある固定長辺側壁の左右両端と他方の拡張時に前方開口縁部側へ、移動可能な前部長辺側壁の左右両端との間に、開閉可能な回転式連結部材により、両長辺側壁部間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により、装着し固定する（天面柵扉付きペットケージ又は上蓋付き収納ボックスを形成する場合は、併せて、前部上蓋縁部と後部上蓋縁部とを脱着式固定部材により、ロックし固定する。）ことにより、形成されることを特徴とする請求項５８記載のワンタッチ折り畳み式ペットサークル及びペットケージ並びに収納ボックス。
【請求項６５】
ペットケージ又は収納ボックスを形成する場合には、両開きの形態を持つ、両開き天面柵扉又は両開き上蓋を設けることができることを特徴とする請求項５９記載のワンタッチ折り畳み式ペットケージ及び収納ボックス。
【請求項６６】
開口縁部側に移動可能な前部長辺側壁の上部（両開き天面柵扉付きペットケージ又は両開き上蓋付き収納ボックスを形成する場合は、前部長辺側壁上部縁部と連結された前部上蓋の裏側上部）に、固定床板部上に格納されている側壁を容易にかつ安全に、前方開口縁部側に拡張するため、及び側壁収納時に、既に拡張している側壁を容易にかつ安全に、固定床板部上に収納するための「ガイド用取っ手」を備えたこと。また、前部長辺側壁下部縁部に、必要に応じて「滑り部材」を備えることができることを特徴とする請求項５８、５９又は６０記載のワンタッチ折り畳み式ペットサークル及びペットケージ並びに収納ボックス。
【請求項６７】
ペットサークル及びペットケージの前部長辺側壁にペットの出入り口扉を設けることができることを特徴とする請求項５８又は６０記載のワンタッチ折り畳み式ペットサークル及びペットケージ。
【請求項６８】
短辺側壁を中折れ式にするための回転式連結部材は、ペット及びトレー又は収納物品の出し入れ等をする際に、中折れ式短辺側壁の中折れ部を固定長辺側壁及び前部長辺側壁の外側に両開きするため、「中折れ部が開閉できる機能」を併せて持つことを特徴とする請求項５８、６０又は６２記載のワンタッチ折り畳み式ペットサークル及びペットケージ並びに収納ボックス。
【請求項６９】
ペット及びトレー又は収納物品の出し入れ等をする際に、中折れ式短辺側壁の中折れ部を、固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする請求項５８又は６０記載のワンタッチ折り畳み式ペットサークル及びペットケージ並びに収納ボックス。
【請求項７０】
両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で中折れ部下部の両側にそれぞれ取り付けたことを特徴とする請求項５８、６０又は６３記載のワンタッチ折り畳み式ペットサークル及びペットケージ並びに収納ボックス。
【請求項７１】
両中折れ式短辺側壁外壁下部に拡張床板部側部横縁部を固定する場合の脱着式固定部材の取り付け位置は、ペット及びトレー又は収納物品の出し入れ等をする際に、中折れ式短辺側壁の中折れ部を固定長辺側壁及び前部長辺側壁の外側に両開きするとき、中折れ部の開閉が支障なくできる位置に取り付けたことを特徴とする請求項５８、６０又は６３記載のワンタッチ折り畳み式ペットサークル及びペットケージ並びに収納ボックス。
【請求項７２】
このペットサークル、ペットケージ及び収納ボックスの収納・移動方式は、狭い場所でも立てたまま、収納移動ができる「立ちスタンド式」であることを特徴とする請求項５８記載のワンタッチ折り畳み式ペットサークル及びペットケージ並びに収納ボックス。
【請求項７３】
このペットサークル、ペットケージ及び収納ボックスの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない十分な幅を備えていることを特徴とする請求項５８又は６０記載のワンタッチ折り畳み式ペットサークル及びペットケージ並びに収納ボックス。
【請求項７４】
固定床板部と拡張床板部とを連結する回転式弾性連結部材は、拡張床板部の拡開及び収納時に、危険防止のため、回転式弾性連結部材の弾力により拡張床板部を「スローダウン、スローアップできる機能」を持つとともに、併せて拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする請求項５８、６０又は６２記載のワンタッチ折り畳み式ペットサークル及びペットケージ並びに収納ボックス。
【請求項７５】
このペットサークル、ペットケージ及び収納ボックスの側壁を格納位置に収納したときの側壁の高さと、折り畳まれたときの拡張床板部の高さとが同じであることを特徴とする請求項５８又は６０記載のワンタッチ折り畳み式ペットサークル及びペットケージ並びに収納ボックス。
【請求項７６】
このペットサークル、ペットケージ及び収納ボックスを収納のため、側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部（天面柵扉付きペットケージ又は上蓋付き収納ボックスを形成する場合は、固定長辺側壁上部縁部と連結された後部上蓋の裏側上部）と拡張床板部底部上部とを係止する「係止部材」を備えていることを特徴とする請求項５８、５９又は６０記載のワンタッチ折り畳み式ペットサークル及びペットケージ並びに収納ボックス。
【請求項７７】
前項のペットサークル、ペットケージ及び収納ボックスの固定長辺側壁外壁上部（天面柵扉付きペットケージ又は上蓋付き収納ボックスを形成する場合は、固定長辺側壁上部縁部と連結された後部上蓋の裏側上部）と拡張床板部底部上部とを係止している係止部材の係止の解除後に、解除した移動側の係止部材を収納するための「係止部材収納止め部」を拡張床板部底部に備えたことを特徴とする請求項５８、５９又は６０記載のワンタッチ折り畳み式ペットサークル及びペットケージ並びに収納ボックス
【請求項７８】
このペットサークル、ペットケージ及び収納ボックスの床下部に、使用時の際の移動、また、不使用時の際の収納移動のため、「脱着式キャスター（一部はストップ機能付）」を備えたことを特徴とする請求項５８記載のワンタッチ折り畳み式ペットサークル及びペットケージ並びに収納ボックス。
【請求項７９】
固定床板部の高さの位置で、固定長辺側壁外壁部又は固定床板部両縁部に、別の同型のワンタッチ折り畳み式ペットサークル、ペットケージ及び収納ボックスと「接続」するための「脱着式接続部材」を備え付けることができることを特徴とする請求項５８又は６０記載のワンタッチ折り畳み式ペットサークル及びペットケージ並びに収納ボックス。
【請求項８０】
このペットサークル及びペットケージには、「専用トレー」及び「搬送用収納バッグ」を備えることができることを特徴とする請求項５８記載のワンタッチ折り畳み式ペットサークル及びペットケージ。
【請求項８１】
・上蓋部（ペットケージを形成する場合は、上蓋部を天面柵扉部と読み替える。以下同じ。）（上蓋部は、天面柵扉付きペットケージ又は上蓋付き収納ボックスを形成する場合のみ備える。）
・中折れ式側壁を含む４面からなる側壁部
（ペットケージを形成する場合は、側壁部を側柵部に読み替える。以下同じ。）
・固定床板部と拡張床板部からなる床板部
・側壁と側壁又は固定床板部と拡張床板部又は側壁と上蓋部とを回転可能に連結する連結手段
・側壁部と床板部又は前部上蓋又は後部上蓋又は一体式上蓋とを固定する固定手段
・前部上蓋と後部上蓋又は側壁と一体式上蓋とをロックする固定手段
からなるワンタッチ折り畳み式二段ペットケージ及び収納ボックス。
【請求項８２】
上蓋部が、両開きする形態を持つ
・前部長辺側壁上部縁部と連結された前部上蓋
・一体式固定長辺側壁上部縁部と連結された後部上蓋
上蓋部が、片開きする形態を持つ
・一体式固定長辺側壁上部縁部と連結された一体式上蓋
からなる請求項８１記載のワンタッチ折り畳み式二段ペットケージ及び収納ボックス。
【請求項８３】
側壁部が、一段目と二段目とも
・一体式固定長辺側壁
・前部長辺側壁
・中折れ式短辺側壁
からなる請求項８１記載のワンタッチ折り畳み式二段ペットケージ及び収納ボックス。
【請求項８４】
床板部が、一段目と二段目とも
・側壁等を格納する固定床板部
・格納された側壁を前方開口縁部側に拡張し、その拡張完了後に、側壁として形成するための基礎部の役割を持ち、上記の固定床板部とともにペットケージ又は収納ボックスの床板となる拡張床板部
からなる請求項８１記載のワンタッチ折り畳み式二段ペットケージ及び収納ボックス。
【請求項８５】
連結手段が
・前部長辺側壁上部縁部と前部上蓋縁部及び一体式固定長辺側壁上部縁部と後部上蓋縁部とを連結し、両開きを可能にする回転式連結部材
・一体式固定長辺側壁上部縁部と一体式上蓋縁部とを連結し、両開きを可能にする回転式連結部材
・長辺側壁と中折れ式短辺側壁とを連結する回転式連結部材
・一段目と二段目の中折れ式短辺側壁中折れ部を連結する開閉可能な回転式連結部材
・固定床板部と拡張床板部とを連結する回転式弾性連結部材
からなる請求項８１記載のワンタッチ折り畳み式二段ペットケージ及び収納ボックス。
【請求項８６】
固定手段が
・一体式固定長辺側壁と一段目と二段目の固定床板部とを固定する固定部材
・一段目の前部長辺側壁上部縁部と二段目の拡張床板部底部前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・一体式固定長辺側壁上部縁部に連結された一体式上蓋縁部と二段目の前部長辺側壁上部とをロックする脱着式固定部材
・側壁収納時に、一体式固定長辺側壁外壁と後部上蓋外壁又は前部長辺側壁外壁と前部上蓋外壁又は一体式固定長辺側壁外壁と一体式上蓋外壁とを固定する脱着式固定部材
からなる請求項８１記載のワンタッチ折り畳み式二段ペットケージ及び収納ボックス。
【請求項８７】
一段目と二段目を有するワンタッチ折り畳み式二段ペットケージ及び収納ボックスにおいて固定床板部と回転式弾性連結部材により連結され、折り畳まれた状態で収納されている拡張床板部を拡開した（二段目については、一段目の前部長辺側壁上部縁部と二段目の拡張床板部底部前縁部とを突起ピン式固定部材により接合固定した）後、固定床板部と連結されている一体式固定長辺側壁の左右両端と他方の拡張時に前方開口縁部側へ移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を前部長辺側壁とともに、その格納位置から固定床板部と回転式弾性連結部材により連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により、装着し固定（天面柵扉付きペットケージ又は上蓋付き収納ボックスを形成する場合は、併せて、前部上蓋縁部と後部上蓋縁部とを、又は一体式上蓋縁部と二段目の前部長辺側壁上部とを脱着式固定部材により、ロックし固定する。）することにより、形成されることを特徴とする請求項８１記載のワンタッチ折り畳み式二段ペットケージ及び収納ボックス。
【請求項８８】
二段ペットケージ又は収納ボックスを形成する場合には、両開きの形態を持つ、両開き天面柵扉及び両開き上蓋又は一体式上蓋で片開きの形態を持つ、片開き天面柵扉及び片開き上蓋を設けることができることを特徴とする請求項８２記載のワンタッチ折り畳み式二段ペットケージ及び収納ボックス。
【請求項８９】
開口縁部側に移動可能な前部長辺側壁の上部（両開き天面柵扉付きペットケージ又は両開き上蓋付き収納ボックスを形成する場合は、前部長辺側壁上部縁部と連結された前部上蓋の裏側上部）に、固定床板部上に格納されている側壁を容易にかつ安全に、前方開口縁部側に拡張するため、及びペットケージ及び収納ボックスの側壁収納時に、既に拡張している側壁を容易にかつ安全に、固定床板部上に収納するための「ガイド用取っ手」を備えたこと。また、前部長辺側壁下部縁部に、必要に応じて「滑り部材」を備えることができることを特徴とする請求項８１、８２又は８３記載のワンタッチ折り畳み式二段ペットケージ及び収納ボックス。
【請求項９０】
一段目又は二段目のペットケージの前部長辺側壁にペットの出入り口扉を設けることができることを特徴とする請求項８１又は８３記載のワンタッチ折り畳み式二段ペットケージ。
【請求項９１】
ペットケージの一段目又は二段目を小物専用収納スペースとしても形成することができるものとし、この場合、拡張後の前部長辺側壁を「小物取り出し口」として使用するため、この側壁を開口するとともに、この開口部に必要に応じて「目隠し」を設けることができることを特徴とする請求項８１又は８３記載のワンタッチ折り畳み式二段ペットケージ。
【請求項９２】
両短辺側壁を中折れ式にするための回転式連結部材は、ペット及びトレー又は収納物品の出し入れ等の際に、中折れ式短辺側壁の中折れ部を、一体式固定長辺側壁及び前部長辺側壁の外側に両開きするため「中折れ部が開閉できる機能」を併せて持つことを特徴とする請求項８１、８３又は８５記載のワンタッチ折り畳み式二段ペットケージ及び収納ボックス。
【請求項９３】
ペット及びトレー又は収納物品の出し入れ等のため、両中折れ式短辺側壁の中折れ部を一体式固定長辺側壁及び前部長辺側壁の外側に、両開きするときの角度がより大きくなるよう、長辺側壁と中折れ式短辺側壁とを連結する両縦縁部に、それぞれ「カットを施した」ことを特徴とする請求項８１又は８３記載のワンタッチ折り畳み式二段ペットケージ及び収納ボックス。
【請求項９４】
一段目の側壁が開口縁部側に拡張された状態で、この一段目の前部長辺側壁上部縁部と二段目の拡張床板部底部前縁部とを突起ピン式固定部材により接合固定することで、より安全性を備えたことを特徴とする請求項８１、８３又は８６記載のワンタッチ折り畳み式二段ペットケージ及び収納ボックス。
【請求項９５】
両中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする請求項８１、８３又は８６記載のワンタッチ折り畳み式二段ペットケージ及び収納ボックス。
【請求項９６】
両中折れ式短辺側壁外壁下部に拡張床板部側部横縁部を固定する場合の脱着式固定部材の取り付け位置は、ペット及びトレー又は収納物品の出し入れ等の際に、中折れ式短辺側壁の中折れ部を、一体式固定長辺側壁及び前部長辺側壁の外側に両開きするとき、中折れ部の開閉が支障なくできる位置に取り付けたことを特徴とする請求項８１、８３又は８６記載のワンタッチ折り畳み式二段ペットケージ及び収納ボックス。
【請求項９７】
このペットケージ又は収納ボックスの収納・移動方式は、狭い場所でも立てたまま、収納移動ができる「立ちスタンド式」であることを特徴とする請求項８１記載のワンタッチ折り畳み式二段ペットケージ及び収納ボックス。
【請求項９８】
このペットケージ又は収納ボックスの固定床板部の幅は、前部長辺側壁、中折れ式短辺側壁及び拡張床板部を折り畳んで収納するとき、固定床板部上に十分格納できる幅を備えるとともに、立ちスタンド式収納時において、立ちスタンドが転倒の危険のない幅を十分に備えていることを特徴とする請求項８１又は８３記載のワンタッチ折り畳み式二段ペットケージ及び収納ボックス。
【請求項９９】
固定床板部と拡張床板部とを連結する回転式弾性連結部材は、拡張床板部の拡開及び収納時に、危険防止のため回転式弾性連結部材の弾力により、拡張床板部を「スローダウン、スローアップできる機能」を持つとともに、併せて拡張床板部を収納のため折り畳んだとき、拡張床板部がスローアップすることで、既に固定床板部上に格納されている側壁等が、格納位置側に押し込められることにより、側壁が不用意に開いたり、拡張床板部が倒れたりすることを防止できることを特徴とする請求項８１、８３又は８５記載のワンタッチ折り畳み式二段ペットケージ及び収納ボックス。
【請求項１００】
このペットケージ又は収納ボックスの一段目と二段目の側壁を、同段の固定床板部の格納位置に収納したときの側壁の高さと、折り畳まれたときの拡張床板部の高さとが同じであることを特徴とする請求項８１又は８３記載のワンタッチ折り畳み式二段ペットケージ及び収納ボックス。
【請求項１０１】
このペットケージ又は収納ボックスを収納のため、側壁及び拡張床板部を固定床板部上に格納した際に、これら折り畳まれた側壁及び拡張床板部が不用意に開いたり、倒れたりすることがないようにその折り畳み状態を保持するため、二段目の一体式固定長辺側壁外壁上部（両開き天面柵扉付きペットケージ又は両開き上蓋付き収納ボックスを形成する場合は、一体式固定長辺側壁上部縁部と連結された後部上蓋の裏側上部、また、片開き天面柵扉付きペットケージ及び片開き上蓋付き収納ボックスを形成する場合は、一体式固定長辺側壁上部縁部と連結された一体式上蓋の裏側上部）と拡張床板部底部上部とを、また、一段目の拡張床板部底部上部縁部と二段目の拡張床板部連結側底部縁部とを係止するための「係止部材」を備えていることを特徴とする請求項８１、８２又は８３記載のワンタッチ折り畳み式二段ペットケージ及び収納ボックス。
【請求項１０２】
前項の二段目の一体式固定長辺側壁外壁上部（両開き天面柵扉付きペットケージ又は両開き上蓋付き収納ボックスを形成する場合は、一体式固定長辺側壁上部縁部と連結された後部上蓋の裏側上部、また、片開き天面柵扉付きペットケージ及び片開き上蓋付き収納ボックスを形成する場合は、一体式固定長辺側壁上部縁部と連結された片開き一体式上蓋の裏側上部）と拡張床板部底部上部とを係止している係止部材の係止解除後に、解除した移動側の係止部材を収納するための、「係止部材収納止め部」を拡張床板部底部に備えたことを特徴とする請求項８１、８２又は８３記載のワンタッチ折り畳み式二段ペットケージ及び収納ボックス。
【請求項１０３】
一段目の床下部に、使用時の際の移動、また、不使用時の際の収納移動のため、「脱着式キャスター（一部はストップ機能付）」を備えたことを特徴とする請求項８１記載のワンタッチ折り畳み式二段ペットケージ及び収納ボックス。
【請求項１０４】
一段目と二段目の固定床板部高さの位置で、一体式長辺側壁外壁部又は固定床板部両縁部に、別の同型のワンタッチ折り畳み式二段ペットケージ及び収納ボックスと「接続」するための、「脱着式接続部材」を備え付けることができることを特徴とする請求項８１又は８３記載のワンタッチ折り畳み式二段ペットケージ及び収納ボックス。
【請求項１０５】
このペットケージには、「専用トレー」及び「搬送用収納バッグ」を備えることができることを特徴とする請求項８１記載のワンタッチ折り畳み式二段ペットケージ。
【手続補正２】
【補正対象書類名】明細書
【補正対象項目名】０１３７
【補正方法】変更
【補正の内容】
【０１３７】  係止部材１４、３２の係止手段については、例えば、固定側を回動式にした強力面ファスナー、フック式ベルト、磁石式係止部材等の適当な部材を任意に選定できる。（固定側の反対側の移動側が係止部材１４ａとなり、係止部材１４ｂ又は収納止め部材１４ｂ１と接着する。また、固定側の反対側の移動側が係止部材３２ａとなり、係止部材３２ｂ又は収納止め部材３２ｂ１と接着する。）
【手続補正３】
【補正対象書類名】明細書
【補正対象項目名】０１４９
【補正方法】変更
【補正の内容】
【０１４９】  側壁収納時に、前部上蓋外壁と前部長辺側壁外壁及び後部上蓋外壁と固定長辺側壁外壁とを、また、二段目の前部上蓋外壁と前部長辺側壁外壁及び後部上蓋外壁と一体式長辺側壁外壁とを、また、一体式上蓋外壁と一体式固定長辺側壁外壁とを固定する脱着式固定部材は、必要に応じて設けるものとする。その場合、脱着式固定部材の形態は、任意の適当なものを選定するものとする。例えば、強力面ファスナー、凹凸式固定部材、磁石式固定部材等を選定する。
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
・中折れ式側壁を含む４面からなる側壁部
・固定床板部と拡張床板部からなる床板部
・側壁と側壁又は固定床板部と拡張床板部とを回転可能に連結する連結手段
・側壁部に床板部を固定する固定手段
からなるワンタッチ折り畳み式ベビーベッド兼ベビーサークル。
【請求項２】
側壁部が
・固定長辺側壁
・前部長辺側壁
・中折れ式短辺側壁
からなる請求項１記載のワンタッチ折り畳み式ベビーベッド兼ベビーサークル。
【請求項３】
床板部が
・側壁を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる請求項１記載のワンタッチ折り畳み式ベビーベッド兼ベビーサークル。
【請求項４】
連結手段が
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項１記載のワンタッチ折り畳み式ベビーベッド兼ベビーサークル。
【請求項５】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項１記載のワンタッチ折り畳み式ベビーベッド兼ベビーサークル。
【請求項６】
固定床板部と回転式弾性連結部材により連結され、折り畳まれた状態で収納されている拡張床板部を拡開した後、固定床板部上に固定された固定長辺側壁の左右両端と他方の拡張時に前方開口縁部側へ、移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により装着し固定することにより、形成されることを特徴とする請求項１記載のワンタッチ折り畳み式ベビーベッド兼ベビーサークル。
【請求項７】
固定長辺側壁及び前部長辺側壁にのみ、ベビーベッド内の乳幼児の様子を見る覗き窓としての役割を持つ、格子窓を設けたことを特徴とする請求項１又は２記載のワンタッチ折り畳み式ベビーベッド兼ベビーサークル。
【請求項８】
固定床板部上に格納されている側壁を容易にかつ安全に、前方開口縁部側に拡張するため、並びにベビーベッドの側壁収納時に、既に拡張している側壁を容易にかつ安全に、固定床板部上に格納するため、開口縁部側に移動可能な前部長辺側壁外壁上部に、ガイド用取っ手を備えたこと。更に、側壁の拡張及び収納を円滑にするため、必要に応じて、前部長辺側壁下部縁部に滑り部材を、床板部上に埋め込み式レールを備え付けることができることを特徴とする請求項１又は２記載のワンタッチ折り畳み式ベビーベッド兼ベビーサークル。
【請求項９】
前部長辺側壁の格子窓の両側に、脱着可能な小物入れを設けたことを特徴とする請求項１又は２記載のワンタッチ折り畳み式ベビーベッド兼ベビーサークル。
【請求項１０】
前項の小物入れの内、薄型ティシュペーパー箱を前後に２箱入れることが可能なティシュペーパー専用の小物入れに、予備のティシュペーパー箱を使用中のティシュペーパー箱の後ろ側に入れた状態で、前にある使用中のティシュペーパー箱本体を小物入れから取り出す際に、既に箱から出ているティシュペーパーが破れないようにするために、小物入れのティシュペーパー取り出し口上部をカットしていることを特徴とする請求項１又は９記載のワンタッチ折り畳み式ベビーベッド兼ベビーサークル。
【請求項１１】
中折れ式短辺側壁の中折れ部を中折れ式にするための回転式連結部材は、乳幼児のオムツを取り替える際に、中折れ式短辺側壁の中折れ部を固定長辺側壁及び前部長辺側壁の外側に、両開きできる開閉機能を併せて持つことを特徴とする請求項１、２又は４記載のワンタッチ折り畳み式ベビーベッド兼ベビーサークル。
【請求項１２】
乳幼児のオムツを取り替える際に、中折れ式短辺側壁の中折れ部を、固定長辺側壁及び前部長辺側壁の外側に、両開きするときの角度がより大きくなるよう、長辺側壁と中折れ式短辺側壁とを連結する縦縁部に、それぞれカットを施したことを特徴とする請求項１又は２記載のワンタッチ折り畳み式ベビーベッド兼ベビーサークル。
【請求項１３】
前項の長辺側壁と中折れ式短辺側壁とを連結する縦縁部のカットは、併せて指詰め防止にも役立つことを特徴とする請求項１又は２記載のワンタッチ折り畳み式ベビーベッド兼ベビーサークル。
【請求項１４】
中折れ式短辺側壁内側の中折れ部の縦縁部についても指詰め防止のため、それぞれカットを施したことを特徴とする請求項１又は２記載のワンタッチ折り畳み式ベビーベッド兼ベビーサークル。
【請求項１５】
中折れ式短辺側壁外壁下部に、拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする請求項１、２又は５記載のワンタッチ折り畳み式ベビーベッド兼ベビーサークル。
【請求項１６】
中折れ式短辺側壁外壁下部に、拡張床板部側部横縁部を固定する場合の脱着式固定部材の取り付け位置は、乳幼児のオムツを取り替える際に、中折れ式短辺側壁の中折れ部を固定長辺側壁及び前部長辺側壁の外側に両開きするときに、中折れ部の開閉が支障なくできる位置に取り付けたことを特徴とする請求項１、２又は５記載のワンタッチ折り畳み式ベビーベッド兼ベビーサークル。
【請求項１７】
このベビーベッドの収納・移動方式は、狭い場所でも立てたまま、収納移動ができる立ちスタンド式であることを特徴とする請求項１記載のワンタッチ折り畳み式ベビーベッド兼ベビーサークル。
【請求項１８】
このベビーベッドの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項１又は２記載のワンタッチ折り畳み式ベビーベッド兼ベビーサークル。
【請求項１９】
固定床板部と拡張床板部には、通気性を保つため、通気孔を設けたことを特徴とする請求項１又は３記載のワンタッチ折り畳み式ベビーベッド兼ベビーサークル。
【請求項２０】
固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて拡張床板部を収納のため折り畳んだとき、この拡張床板部がスローアップすることで、既に固定床板部上に格納されている側壁等が格納位置側に押し込められることにより、側壁が不用意に開いたり、拡張床板部が倒れたりすることを防止できることを特徴とする請求項１、２、３又は４記載のワンタッチ折り畳み式ベビーベッド兼ベビーサークル。
【請求項２１】
このベビーベッドの側壁を格納位置に収納したときの側壁の高さと、折り畳まれたときの拡張床板部の高さとが同じであることを特徴とする請求項１又は２記載のワンタッチ折り畳み式ベビーベッド兼ベビーサークル。
【請求項２２】
このベビーベッドの側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを係止する係止部材を備えていることを特徴とする請求項１、２又は３記載のワンタッチ折り畳み式ベビーベッド兼ベビーサークル。
【請求項２３】
前項により、係止している移動式係止部材の係止解除後に、移動する側の係止部材を収納するための係止部材収納止め部を拡張床板部底部に備えたことを特徴とする請求項１又は３記載のワンタッチ折り畳み式ベビーベッド兼ベビーサークル。
【請求項２４】
このベビーベッドの床下部に、使用時の際の移動、また、不使用時の際の収納移動のため、一部ストップ機能付き脱着式キャスターを備えたことを特徴とする請求項１記載のワンタッチ折り畳み式ベビーベッド兼ベビーサークル。
【請求項２５】
固定床板部の高さの位置で、固定長辺側壁外壁部又は固定床板部両縁部に、別の同型のワンタッチ折り畳み式ベビーベッド兼ベビーサークルと接続するための、脱着式接続部材を備え付けることができることを特徴とする請求項１、２又は３記載のワンタッチ折り畳み式ベビーベッド兼ベビーサークル。
【請求項２６】
このベビーベッドは、立ちスタンド式収納時において、脱着可能な小物入れを前部長辺側壁の両側に装着したまま、固定床板部上に収納できることを特徴とする請求項１、２又は９記載ワンタッチ折り畳み式ベビーベッド兼ベビーサークル。
【請求項２７】
このベビーベッドは、専用縦折れ式マットレス及び搬送用収納バッグを備えることができることを特徴とする請求項１記載のワンタッチ折り畳み式ベビーベッド兼ベビーサークル。
【請求項２８】
このベビーベッドは、立ちスタンド式収納時において、固定床板部に格納された側壁と拡張床板部の間に、前部長辺側壁の両側に装着した脱着式小物入れを取り外し、横向きに収納した後、更に、その上に、専用縦折れ式マットレスを折り畳んで収納できることを特徴とする請求項１、２、３又は９記載のワンタッチ折り畳み式ベビーベッド兼ベビーサークル。
【請求項２９】
使用しなくなったベビーベッドは、収納ボックス等としても利用することができることを特徴とする請求項１記載のワンタッチ折り畳み式ベビーベッド兼ベビーサークル。
【請求項３０】
・中折れ式側壁を含む４面からなる側壁部
・固定床板部と拡張床板部からなる床板部
・側壁と側壁又は固定床板部と拡張床板部とを回転可能に連結する連結手段
・側壁部に床板部を固定する固定手段
からなるワンタッチ折り畳み式二段ベビーベッド。
【請求項３１】
側壁部が一段目と二段目とも
・一体式固定長辺側壁
・前部長辺側壁
・中折れ式短辺側壁
からなる請求項３０記載のワンタッチ折り畳み式二段ベビーベッド。
【請求項３２】
床板部が一段目と二段目とも
・側壁を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる請求項３０記載のワンタッチ折り畳み式二段ベビーベッド。
【請求項３３】
連結手段が
・長辺側壁と中折れ式短辺側壁とを連結する回転式連結部材
・一段目の中折れ式短辺側壁の中折れ部を連結する回転式連結部材
・二段目の中折れ式短辺側壁の中折れ部を連結する開閉可能な回転式連結部材
・固定床板部と拡張床板部とを連結する回転式弾性連結部材
からなる請求項３０記載のワンタッチ折り畳み式二段ベビーベッド。
【請求項３４】
固定手段が
・一体式固定長辺側壁と一段目と二段目の固定床板部とを固定する固定部材
・一段目の中折れ式短辺側壁及び前部長辺側壁の上部縁部と二段目の拡張床板部底部の左右縁部及び前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項３０記載のワンタッチ折り畳み式二段ベビーベッド。
【請求項３５】
一段目と二段目を有するワンタッチ折り畳み式二段ベビーベッドにおいて、一段目については、固定床板部と回転式弾性連結部材により連結され、折り畳まれた状態で収納されている拡張床板部を拡開した後、固定床板部上に固定された一体式固定長辺側壁の左右両端と他方の拡張時に前方開口縁部側へ、移動可能な前部長辺側壁の左右両端との間に、回転式連結部材により、また、二段目については、一段目の中折れ式短辺側壁及び前部長辺側壁の上部縁部と二段目の拡張床板部底部の左右縁部と前縁部とを突起ピン式固定部材により接合固定した後、固定床板部に固定された一体式固定長辺側壁の左右両端と他方の拡張時に前方開口縁部側へ、移動可能な前部長辺側壁の左右両端との間に、開閉可能な回転式連結部材により、一段目と二段目とも、長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により装着し固定することにより、一段目は、小物専用収納スペースとして、二段目はベビーベッドとして形成されることを特徴とする請求項３０記載のワンタッチ折り畳み式二段ベビーベッド。
【請求項３６】
二段目の一体式固定長辺側壁及び前部長辺側壁にのみ、ベビーベッド内の乳幼児の様子を見る覗き窓としての役割を持つ、格子窓を設けたことを特徴とする請求項３０又は３１記載のワンタッチ折り畳み式二段ベビーベッド。
【請求項３７】
一段目の拡張後の前部長辺側壁を、小物取り出し口として使用するため、この側壁を開口し、この開口部に必要に応じて目隠しを設けることができることを特徴とする請求項３０又は３１記載のワンタッチ折り畳み式二段ベビーベッド。
【請求項３８】
固定床板部上に格納されている側壁を容易にかつ安全に、前方開口縁部側に拡張するため並びに側壁収納時に、既に拡張している側壁を容易にかつ安全に、固定床板部上に収納するため、一段目と二段目の開口縁部側に移動可能な前部長辺側壁外壁上部に、ガイド用取っ手を備えたこと。更に、側壁の拡張及び収納を円滑にするため、必要に応じて、一段目と二段目の前部長辺側壁下部縁部に滑り部材を、当該床板部上に埋め込み式レールを備え付けることができることを特徴とする請求項３０又は３１記載のワンタッチ折り畳み式二段ベビーベッド。
【請求項３９】
短辺側壁中折れ部を中折れ式にするための回転式連結部材は、二段目については、乳幼児のオムツを取り替える際に、中折れ式短辺側壁の中折れ部を一体式固定長辺側壁及び前部長辺側壁の外側に、両開きできる開閉機能を併せて持つことを特徴とする請求項３０、３１又は３３記載のワンタッチ折り畳み式二段ベビーベッド。
【請求項４０】
乳幼児のオムツを取り替える際に、二段目の中折れ式短辺側壁の中折れ部を、一体式固定長辺側壁及び前部長辺側壁の外側に、両開きするときの角度がより大きくなるよう、長辺側壁と中折れ式短辺側壁とを連結する縦縁部にそれぞれカットを施したことを特徴とする請求項３０又は３１記載のワンタッチ折り畳み式二段ベビーベッド。
【請求項４１】
前項の長辺側壁と中折れ式短辺側壁とを連結する縦縁部のカットは、併せて指詰め防止にも役立つことを特徴とする請求項３０又は３１記載のワンタッチ折り畳み式二段ベビーベッド。
【請求項４２】
二段目の中折れ式短辺側壁内側の中折れ部の縦縁部についても、指詰め防止のため、それぞれカットを施したことを特徴とする請求項３０又は３１記載のワンタッチ折り畳み式二段ベビーベッド。
【請求項４３】
一段目の側壁が開口縁部側に拡張された状態で、この一段目の中折れ式短辺側壁及び前部長辺側壁の上部縁部と二段目の拡張床板部底部の左右縁部及び前縁部とを突起ピン式固定部材により接合固定することで、より安全性を備えたことを特徴とする請求項３０又は３１記載のワンタッチ折り畳み式二段ベビーベッド。
【請求項４４】
中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする請求項３０、３１又は３４記載のワンタッチ折り畳み式二段ベビーベッド。
【請求項４５】
二段目の中折れ式短辺側壁外壁下部に拡張床板部側部横縁部を固定する場合の脱着式固定部材の取り付け位置は、乳幼児のオムツを取り替える際に、中折れ式短辺側壁の中折れ部を、一体式固定長辺側壁及び前部長辺側壁の外側に両開きするとき、中折れ部の開閉が支障なくできる位置に取り付けたことを特徴とする請求項３０、３１又は３４記載のワンタッチ折り畳み式二段ベビーベッド。
【請求項４６】
このベビーベッドの収納・移動方式は、狭い場所でも、立てたまま、収納移動ができる立ちスタンド式であることを特徴とする請求項３０記載のワンタッチ折り畳み式二段ベビーベッド。
【請求項４７】
このベビーベッドの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項３０、３１又は３２記載のワンタッチ折り畳み式二段ベビーベッド。
【請求項４８】
一段目と二段目の固定床板部と拡張床板部に、通気性を保つため、通気孔を設けたことを特徴とする請求項３０又は３２記載のワンタッチ折り畳み式二段ベビーベッド。
【請求項４９】
固定床板部と拡張床板部とを連結する回転式弾性連結部材は、拡張床板部の拡開及び収納時に、危険防止のため、回転式弾性連結部材の弾力により、拡張床板部をスローダウン、スローアップできる機能を持つとともに、併せて、拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする請求項３０、３１、３２又は３３記載のワンタッチ折り畳み式二段ベビーベッド。
【請求項５０】
このベビーベッドの一段目と二段目の側壁を、同段の固定床板部の格納位置に収納したときの側壁の高さと、折り畳まれたときの拡張床板部の高さとが、同じであることを特徴とする請求項３０、３１又は３２記載のワンタッチ折り畳み式二段ベビーベッド。
【請求項５１】
このベビーベッドの側壁及び拡張床板部を固定床板部上に格納した際に、これら折り畳まれた側壁及び拡張床板部が不用意に開いたり、倒れたりすることがないようにその折り畳み状態を保持するため、二段目のベビーベッドの一体式固定長辺側壁外壁上部と拡張床板部底部上部とを、また、一段目の拡張床板部底部上部と二段目の拡張床板部連結側底部縁部とを係止するための係止部材を備えていることを特徴とする請求項３０、３１又は３２記載のワンタッチ折り畳み式二段ベビーベッド。
【請求項５２】
前項により、一段目の拡張床板部底部上部と二段目の拡張床板部連結側底部縁部とを係止するための係止部材を除き、それぞれ係止している移動式係止部材の係止解除後に、移動する側の係止部材を収納するための係止部材収納止め部を当該拡張床板部底部に備えたことを特徴とする請求項３０又は３２記載のワンタッチ折り畳み式二段ベビーベッド。
【請求項５３】
一段目の床下部に、使用時の際の移動、また、不使用時の際の収納移動のため、一部ストップ機能付き脱着式キャスターを備えたことを特徴とする請求項３０記載のワンタッチ折り畳み式二段ベビーベッド。
【請求項５４】
一段目と二段目の固定床板部の高さの位置で、一体式長辺側壁外壁部又は固定床板部両縁部に、別の同型のワンタッチ折り畳み式二段ベビーベッドと接続するための脱着式接続部材を備え付けることができることを特徴とする請求項３０、３１又は３２記載のワンタッチ折り畳み式二段ベビーベッド。
【請求項５５】
このベビーベッドには、専用縦折れ式マットレス及び搬送用収納バッグを備えることができることを特徴とする請求項３０記載のワンタッチ折り畳み式二段ベビーベッド。
【請求項５６】
このベビーベッドは、立ちスタンド式収納時において、二段目の固定床板部に格納された側壁と拡張床板部の間に、専用縦折れ式マットレスを折り畳んで収納できることを特徴とする請求項３０、３１又は３２記載のワンタッチ折り畳み式二段ベビーベッド。
【請求項５７】
使用しなくなったベビーベッドは、収納ボックス等としても利用できることを特徴とする請求項３０記載のワンタッチ折り畳み式二段ベビーベッド。
【請求項５８】
・中折れ式側柵を含む４面からなる側柵部
・固定床板部と拡張床板部からなる床板部
・側柵と側柵及び固定床板部と拡張床板部とを回転可能に連結する連結手段
・側柵部に床板部を固定する固定手段
からなるワンタッチ折り畳み式ペットサークル。
【請求項５９】
側柵部が
・固定長辺側柵
・前部長辺側柵
・中折れ式短辺側柵
からなる請求項５８記載のワンタッチ折り畳み式ペットサークル。
【請求項６０】
床板部が
・側柵を格納する固定床板部
・格納された側柵を前方開口縁部側に拡張しその拡張完了後に、側柵として形成するための基礎部の役割を持ち、上記の固定床板部とともにペットサークルの床板となる拡張床板部
からなる請求項５８記載のワンタッチ折り畳み式ペットサークル。
【請求項６１】
連結手段が
・長辺側柵と中折れ式短辺側柵とを連結する回転式連結部材
・中折れ式短辺側柵の中折れ部を連結する開閉可能な回転式連結部材
・固定床板部と拡張床板部とを連結する回転式弾性連結部材
からなる請求項５８記載のワンタッチ折り畳み式ペットサークル。
【請求項６２】
固定手段が
・固定長辺側柵下部と固定床板部とを固定する固定部材
・前部長辺側柵外柵下部に拡張床板部側部前縁部を固定する脱着式固定部材
・中折れ式短辺側柵外柵下部に拡張床板部側部横縁部を固定する脱着式固定部材
からなる請求項５８記載のワンタッチ折り畳み式ペットサークル。
【請求項６３】
固定床板部と回転式弾性連結部材により連結され、折り畳まれた状態で収納されている拡張床板部を拡開した後、固定床板部上に固定された固定長辺側柵の左右両端と他方の拡張時に前方開口縁部側へ、移動可能な前部長辺側柵の左右両端との間に、開閉可能な回転式連結部材により、両長辺側柵部間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により連結された拡張床板部上をスライドさせながら、前方開口縁部側に拡張し、その拡張完了後に、前部長辺側柵外柵下部に拡張床板部側部前縁部を、また、中折れ式短辺側柵外柵下部に拡張床板部側部横縁部を脱着式固定部材により装着し固定することにより、形成されることを特徴とする請求項５８記載のワンタッチ折り畳み式ペットサークル。
【請求項６４】
固定床板部上に格納されている側柵を容易にかつ安全に、前方開口縁部側に拡張するため、並びに側柵収納時に、既に拡張している側柵を容易にかつ安全に、固定床板部上に収納するため、開口縁部側に移動可能な前部長辺側柵の上部に、ガイド用取っ手を備えたこと。更に、側壁の拡張及び収納を円滑にするため、必要に応じて、前部長辺側柵下部縁部に滑り部材を、床板部上に埋め込み式レールを、備え付けることができることを特徴とする請求項５８、５９又は６０記載のワンタッチ折り畳み式ペットサークル。
【請求項６５】
ペットサークルの前部長辺側柵にペットの出入り口扉を設けることができることを特徴とする請求項５８又は５９記載のワンタッチ折り畳み式ペットサークル。
【請求項６６】
短辺側柵中折れ部を中折れ式にするための回転式連結部材は、ペット及びトレー出し入れ等をする際に、中折れ式短辺側柵の中折れ部を固定長辺側柵及び前部長辺側柵の外側に、両開きできる開閉機能を併せて持つことを特徴とする請求項５８、５９又は６１記載のワンタッチ折り畳み式ペットサークル。
【請求項６７】
ペット及びトレーの出し入れ等をする際に、中折れ式短辺側柵の中折れ部を、固定長辺側柵及び前部長辺側柵の外側に、両開きするときの角度がより大きくなるよう長辺側柵と中折れ式短辺側柵とを連結する両縦縁部に、それぞれカットを施したことを特徴とする請求項５８又は５９記載のワンタッチ折り畳み式ペットサークル。
【請求項６８】
中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側にそれぞれ取り付けたことを特徴とする請求項５８又は６２記載のワンタッチ折り畳み式ペットサークル。
【請求項６９】
中折れ式短辺側柵外柵下部に拡張床板部側部横縁部を固定する場合の脱着式固定部材の取り付け位置は、ペット及びトレーの出し入れ等をする際に、中折れ式短辺側柵の中折れ部を固定長辺側柵及び前部長辺側柵の外側に両開きするとき、中折れ部の開閉が支障なくできる位置に取り付けたことを特徴とする請求項５８又は６２記載のワンタッチ折り畳み式ペットサークル。
【請求項７０】
このペットサークルの収納・移動方式は、狭い場所でも立てたまま、収納移動ができる立ちスタンド式であることを特徴とする請求項５８記載のワンタッチ折り畳み式ペットサークル。
【請求項７１】
このペットサークルの固定床板部の幅は、前部長辺側柵及び中折れ式短辺側柵を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを、備え付けることができることを特徴とする請求項５８、５９又は６０記載のワンタッチ折り畳み式ペットサークル。
【請求項７２】
固定床板部と拡張床板部とを連結する回転式弾性連結部材は、拡張床板部の拡開及び収納時に、危険防止のため回転式弾性連結部材の弾力により拡張床板部をスローダウン、スローアップできる機能を持つとともに、併せて拡張床板部を収納のため折り畳んだとき、この拡張床板部がスローアップすることで、既に固定床板部上に格納されている側柵が、格納位置側に押し込められることにより、側柵が不用意に開いたり、拡張床板部が倒れたりすることを防止できることを特徴とする請求項５８、６０又は６１記載のワンタッチ折り畳み式ペットサークル。
【請求項７３】
このペットサークルの側柵を格納位置に収納したときの側柵の高さと、折り畳まれたときの拡張床板部の高さとが同じであることを特徴とする請求項５８、５９又は６０記載のワンタッチ折り畳み式ペットサークル。
【請求項７４】
このペットサークルの側柵及び拡張床板部を固定床板部上に格納した際に、これら折り畳まれた側柵及び拡張床板部が不用意に開いたり、倒れたりすることがないように、その折り畳み状態を保持するため、固定長辺側柵外柵上部と拡張床板部底部上部とを係止する係止部材を備えていることを特徴とする請求項５８、５９又は６０記載のワンタッチ折り畳み式ペットサークル。
【請求項７５】
前項により、係止している移動式係止部材の係止の解除後に、移動する側の係止部材を収納するための係止部材収納止め部を拡張床板部底部に備えたことを特徴とする請求項５８又は６０記載のワンタッチ折り畳み式ペットサークル。
【請求項７６】
このペットサークルの床下部に、使用時の際の移動、また、不使用時の際の収納移動のため、一部ストップ機能付き脱着式キャスターを備えたことを特徴とする請求項５８記載のワンタッチ折り畳み式ペットサークル。
【請求項７７】
固定床板部の高さの位置で、固定長辺側柵外柵部又は固定床板部両縁部に、別の同型のワンタッチ折り畳み式ペットサークルと接続するための脱着式接続部材を備え付けることができることを特徴とする請求項５８、５９又は６０記載のワンタッチ折り畳み式ペットサークル。
【請求項７８】
このペットサークルには、専用トレー及び搬送用収納バッグを備えることができることを特徴とする請求項５８記載のワンタッチ折り畳み式ペットサークル。
【請求項７９】
・天面柵扉の形態を持つ上蓋部
・中折れ式側柵を含む４面からなる側柵部
・固定床板部と拡張床板部からなる床板部
・側柵と側柵又は固定床板部と拡張床板部又は側柵と上蓋部とを回転可能に連結する連結手段
・側柵部に床板部を固定する固定手段
・前部上蓋と後部上蓋又は側柵部と一体式上蓋とをロックする固定手段
からなる請求項７９記載のワンタッチ折り畳み式ペットケージ。
【請求項８０】
上蓋部が、両開きの形態を持つ
・前部長辺側柵上部縁部に連結された前部上蓋
・固定長辺側柵上部縁部に連結された後部上蓋
上蓋部が、片開きする形態を持つ
・固定長辺側柵上部縁部に連結された一体式上蓋
からなる請求項７９記載のワンタッチ折り畳み式ペットケージ。
【請求項８１】
側柵部が
・固定長辺側柵
・前部長辺側柵
・中折れ式短辺側柵
からなる請求項７９記載のワンタッチ折り畳み式ペットケージ。
【請求項８２】
床板部が
・側柵を格納する固定床板部
・格納された側柵を前方開口縁部側に拡張し、その拡張完了後に、側柵として形成するための基礎部の役割を持ち、上記の固定床板部とともにペットケージの床板となる拡張床板部
からなる請求項７９記載のワンタッチ折り畳み式ペットケージ。
【請求項８３】
連結手段が
・前部長辺側柵上部縁部と前部上蓋縁部及び固定長辺側柵上部縁部と後部上蓋縁部とを連結する両開き可能な回転式連結部材
・固定長辺側柵上部縁部と一体式上蓋縁部とを連結する両開き可能な回転式連結部材
・長辺側柵と中折れ式短辺側柵とを連結する回転式連結部材
・中折れ式短辺側柵の中折れ部を連結する開閉可能な回転式連結部材
・固定床板部と拡張床板部とを連結する回転式弾性連結部材
からなる請求項７９記載のワンタッチ折り畳み式ペットケージ。
【請求項８４】
固定手段が
・固定長辺側柵下部と固定床板部とを固定する固定部材
・前部長辺側柵外柵下部に拡張床板部側部前縁部を固定する脱着式固定部材
・中折れ式短辺側柵外柵下部に拡張床板部側部横縁部を固定する脱着式固定部材
・前部上蓋縁部と後部上蓋縁部とをロックする脱着式固定部材
・固定長辺側柵上部縁部に連結された一体式上蓋縁部と前部長辺側柵上部とをロックする脱着式固定部材
・側壁収納時に、固定長辺側柵外柵と後部上蓋外柵又は前部長辺側柵外柵と前部上蓋外柵とを固定する脱着式固定部材
からなる請求項７９記載のワンタッチ折り畳み式ペットケージ。
【請求項８５】
固定床板部と回転式弾性連結部材により連結され、折り畳まれた状態で収納されている拡張床板部を拡開した後、固定床板部上に固定された固定長辺側柵の左右両端と他方の拡張時に前方開口縁部側へ、移動可能な前部長辺側柵の左右両端との間に、開閉可能な回転式連結部材により、両長辺側柵部間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により連結された拡張床板部上をスライドさせながら、前方開口縁部側に拡張し、その拡張完了後に、前部長辺側柵外柵下部に拡張床板部側部前縁部を、また、中折れ式短辺側柵外柵下部に拡張床板部側部横縁部を脱着式固定部材により装着し固定することにより、また、両開き天面柵扉付きペットケージを形成する場合は、前部上蓋縁部と後部上蓋縁部とを脱着式固定部材によりロックし固定することにより、さらに、片開き天面柵扉付きペットケージを形成する場合は、固定長辺側柵上部縁部に連結された一体式上蓋縁部と前部長辺側柵上部とを脱着式固定部材によりロックし固定することにより、形成されることを特徴とする請求項７９記載のワンタッチ折り畳み式ペットケージ。
【請求項８６】
ペットケージを形成する場合には、上蓋が、両開きの形態を持つ、両開き天面柵扉を、また、一体式上蓋で片開きの形態を持つ、片開き天面柵扉を設けることができることを特徴とする請求項７９又は８０記載のワンタッチ折り畳み式ペットケージ。
【請求項８７】
固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合には、開口縁部側に移動可能な前部長辺側柵の上部に、また、両開き天面柵扉付きペットケージを形成する場合には、前部長辺側柵上部縁部に連結された前部上蓋の裏側上部に、ガイド用取っ手を備えたこと。更に、側壁の拡張及び収納を円滑にするため、必要に応じて、前部長辺側柵下部縁部に滑り部材を、床板部上に埋め込み式レールを備え付けることができることを特徴とする請求項７９、８０又は８１記載のワンタッチ折り畳み式ペットケージ。
【請求項８８】
ペットケージの前部長辺側柵に、ペットの出入り口扉を設けることができることを特徴とする請求項７９又は８１記載のワンタッチ折り畳み式ペットケージ。
【請求項８９】
短辺側柵中折れ部を中折れ式にするための回転式連結部材は、ペット及びトレーの出し入れ等をする際に、中折れ式短辺側柵の中折れ部を固定長辺側柵及び前部長辺側柵の外側に、両開きできる開閉機能を併せて持つことを特徴とする請求項７９、８１又は８３記載のワンタッチ折り畳み式ペットケージ。
【請求項９０】
ペット及びトレーの出し入れ等をする際に、中折れ式短辺側柵の中折れ部を固定長辺側柵及び前部長辺側柵の外側に、両開きするときの角度がより大きくなるよう長辺側柵と中折れ式短辺側柵とを連結する両縦縁部に、それぞれカットを施したことを特徴とする請求項７９又は８１記載のワンタッチ折り畳み式ペットケージ。
【請求項９１】
中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側に、それぞれ取り付けたことを特徴とする請求項７９、８１又は８４記載のワンタッチ折り畳み式ペットケージ。
【請求項９２】
中折れ式短辺側柵外柵下部に拡張床板部側部横縁部を固定する場合の脱着式固定部材の取り付け位置は、ペット及びトレーの出し入れ等をする際に、中折れ式短辺側柵の中折れ部を固定長辺側柵及び前部長辺側柵の外側に両開きするとき、中折れ部の開閉が支障なくできる位置に取り付けたことを特徴とする請求項７９、８１又は８４記載のワンタッチ折り畳み式ペットケージ。
【請求項９３】
このペットケージの収納・移動方式は、狭い場所でも立てたまま、収納移動ができる立ちスタンド式であることを特徴とする請求項７９記載のワンタッチ折り畳み式ペットケージ。
【請求項９４】
このペットケージの固定床板部の幅は、前部長辺側柵及び中折れ式短辺側柵部を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項７９、８１又は８２記載のワンタッチ折り畳み式ペットケージ。
【請求項９５】
固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて、拡張床板部を収納のため折り畳んだとき、この拡張床板部がスローアップすることで、既に固定床板部上に格納されている側柵が、格納位置側に押し込められることにより、側柵が不用意に開いたり、拡張床板部が倒れたりすることを防止できることを特徴とする請求項７９、８１、８２又は８３記載のワンタッチ折り畳み式ペットケージ。
【請求項９６】
このペットケージの側柵を格納位置に収納したときの側柵の高さと、折り畳まれたときの拡張床板部の高さとが同じであることを特徴とする請求項７９、８１又は８２記載のワンタッチ折り畳み式ペットケージ。
【請求項９７】
このペットケージの側柵及び拡張床板部を固定床板部上に格納した際に、これら折り畳まれた側柵及び拡張床板部が不用意に開いたり、倒れたりすることがないように、その折り畳み状態を保持するため、両開き天面柵扉付きペットケージを形成する場合には、固定長辺側柵上部縁部に連結された後部上蓋の裏側上部と拡張床板部底部上部とを、また、片開き天面柵扉付きペットケージを形成する場合は、一体式固定長辺側柵上部縁部に連結された一体式上蓋の裏側上部と拡張床板部底部上部とを係止する係止部材を備えていることを特徴とする請求項５８又は６０記載のワンタッチ折り畳み式ペットケージ。
【請求項９８】
前項により、それぞれ係止している移動式係止部材の係止の解除後に、移動する側の係止部材を収納するための係止部材収納止め部を拡張床板部底部に備えたことを特徴とする請求項７９、８１又は８２記載のワンタッチ折り畳み式ペットケージ
【請求項９９】
このペットケージの床下部に、使用時の際の移動、また、不使用時の際の収納移動のため、一部ストップ機能付き脱着式キャスターを備えたことを特徴とする請求項７９又は８２記載のワンタッチ折り畳み式ペットケージ。
【請求項１００】
固定床板部の高さの位置で、固定長辺側柵外柵部又は固定床板部両縁部に、別の同型のワンタッチ折り畳み式ペットケージと接続するための脱着式接続部材を備え付けることができることを特徴とする請求項７９、８１又は８２記載のワンタッチ折り畳み式ペットケージ。
【請求項１０１】
このペットケージには、専用トレー及び搬送用収納バッグを備えることができることを特徴とする請求項７９記載のワンタッチ折り畳み式ペットケージ。
【請求項１０２】
・天面柵扉の形態を持つ上蓋部
・中折れ式側柵を含む４面からなる側柵部
・固定床板部と拡張床板部からなる床板部
・側柵と側柵又は固定床板部と拡張床板部又は側柵と上蓋部とを回転可能に連結する連結手段
・側柵部に床板部を固定する固定手段
・前部上蓋と後部上蓋又は側柵と一体式上蓋とをロックする固定手段
からなるワンタッチ折り畳み式二段ペットケージ
【請求項１０３】
上蓋部が、両開きする形態を持つ
・前部長辺側柵上部縁部に連結された前部上蓋
・一体式固定長辺側柵上部縁部に連結された後部上蓋
上蓋部が、片開きする形態を持つ
・一体式固定長辺側柵上部縁部に連結された一体式上蓋
からなる請求項１０２記載のワンタッチ折り畳み式二段ペットケージ。
【請求項１０４】
側柵部が、一段目と二段目とも
・一体式固定長辺側柵
・前部長辺側柵
・中折れ式短辺側柵
からなる請求項１０２記載のワンタッチ折り畳み式二段ペットケージ。
【請求項１０５】
床板部が、一段目と二段目とも
・側柵を格納する固定床板部
・格納された側柵を前方開口縁部側に拡張し、その拡張完了後に、側柵として形成するための基礎部の役割を持ち、上記の固定床板部とともにペットケージの床板となる拡張床板部
からなる請求項１０２記載のワンタッチ折り畳み式二段ペットケージ。
【請求項１０６】
連結手段が
・前部長辺側柵上部縁部と前部上蓋縁部及び一体式固定長辺側柵上部縁部と後部上蓋縁部とを連結し、両開きを可能にする回転式連結部材
・一体式固定長辺側柵上部縁部と一体式上蓋縁部とを連結し、両開きを可能にする回転式連結部材
・長辺側柵と中折れ式短辺側柵とを連結する回転式連結部材
・一段目と二段目の中折れ式短辺側柵の中折れ部を連結する開閉可能な回転式連結部材
・固定床板部と拡張床板部とを連結する回転式弾性連結部材
からなる請求項１０２記載のワンタッチ折り畳み式二段ペットケージ。
【請求項１０７】
固定手段が
・一体式固定長辺側柵と一段目と二段目の固定床板部とを固定する固定部材
・一段目の前部長辺側柵上部縁部と二段目の拡張床板部底部前縁部とを接合固定する突起ピン式固定部材
・前部長辺側柵外柵下部に拡張床板部側部前縁部を固定する脱着式固定部材
・中折れ式短辺側柵外柵下部に拡張床板部側部横縁部を固定する脱着式固定部材
・前部上蓋縁部と後部上蓋縁部とをロックする脱着式固定部材
・一体式固定長辺側柵上部縁部に連結された一体式上蓋縁部と二段目の前部長辺側柵上部縁部とをロックする脱着式固定部材
・側柵収納時に、一体式固定長辺側柵外柵と後部上蓋外柵又は前部長辺側柵外柵と前部上蓋外柵又は一体式固定長辺側柵外柵と一体式上蓋外柵とを固定する脱着式固定部材
からなる請求項１０２記載のワンタッチ折り畳み式二段ペットケージ。
【請求項１０８】
一段目と二段目を有するワンタッチ折り畳み式二段ペットケージにおいて、一段目については、固定床板部と回転式弾性連結部材により連結され、折り畳まれた状態で収納されている拡張床板部を拡開した後、固定床板部上に固定された一体式固定長辺側柵の左右両端と他方の拡張時に前方開口縁部側へ、移動可能な前部長辺側柵の左右両端との間に、開閉可能な回転式連結部材により、また、二段目については、一段目の前部長辺側柵の上部縁部と二段目の拡張床板部底部の前縁部とを突起ピン式固定部材により接合固定した後、固定床板部に固定された一体式固定長辺側柵の左右両端と他方の拡張時に前方開口縁部側へ、移動可能な前部長辺側柵の左右両端との間に、開閉可能な回転式連結部材により、一段目と二段目とも、長辺側柵間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により、連結された拡張床板部上をスライドさせながら前方開口縁部側に拡張し、拡張完了後に、前部長辺側柵外柵下部に拡張床板部側部前縁部を、中折れ式短辺側柵外柵下部に拡張床板部側部横縁部を脱着式固定部材により装着し固定することにより、また、両開き天面柵扉付きペットケージを形成する場合は、前部上蓋縁部と後部上蓋縁部とを、さらに、片開き天面柵扉付きペットケージを形成する場合は、一体式固定長辺側柵上部縁部に連結された一体式上蓋縁部と二段目の前部長辺側柵上部縁部とを脱着式固定部材によりロックし固定することにより、形成されることを特徴とする請求項３０記載のワンタッチ折り畳み式二段ペットケージ。
【請求項１０９】
二段ペットケージを形成する場合には、上蓋が、両開きの形態を持つ、両開き天面柵扉を、また、一体式上蓋で片開きの形態を持つ、片開き天面柵扉を設けることができることを特徴とする請求項１０３記載のワンタッチ折り畳み式二段ペットケージ。
【請求項１１０】
固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合は、開口縁部側に移動可能な前部長辺側柵の上部に、また、両開き天面柵扉付きペットケージを形成する場合は、前部長辺側柵上部縁部に連結された前部上蓋の裏側上部に、ガイド用取っ手を備えたこと。更に、側柵の拡張及び収納を円滑にするため、必要に応じて、前部長辺側柵下部縁部に滑り部材を、床板部上に埋め込み式レールを備え付けることができることを特徴とする請求項１０２、１０３又は１０４記載のワンタッチ折り畳み式二段ペットケージ。
【請求項１１１】
一段目又は二段目のペットケージの前部長辺側柵にペットの出入り口扉を設けることができることを特徴とする請求項１０２又は１０４記載のワンタッチ折り畳み式二段ペットケージ。
【請求項１１２】
ペットケージの一段目又は二段目を、小物専用収納スペースとしても形成することができるものとし、この場合、拡張後の前部長辺側柵を小物取り出し口として使用するため、この側柵を開口するとともに、この開口部に必要に応じて目隠しを設けることができることを特徴とする請求項１０２又は１０４記載のワンタッチ折り畳み式二段ペットケージ。
【請求項１１３】
短辺側柵の中折れ部を中折れ式にするための回転式連結部材は、ペット及びトレーの出し入れ等の際に、中折れ式短辺側柵の中折れ部を、一体式固定長辺側柵及び前部長辺側柵の外側に、両開きできる開閉機能を、併せて持つことを特徴とする請求項１０２、１０４又は１０６記載のワンタッチ折り畳み式二段ペットケージ。
【請求項１１４】
ペット及びトレーの出し入れ等のため、中折れ式短辺側柵の中折れ部を一体式固定長辺側柵及び前部長辺側柵の外側に、両開きするときの角度がより大きくなるよう、長辺側柵と中折れ式短辺側柵とを連結する両縦縁部に、それぞれカットを施したことを特徴とする請求項１０２又は１０４記載のワンタッチ折り畳み式二段ペットケージ。
【請求項１１５】
一段目の側柵が開口縁部側に拡張された状態で、この一段目の前部長辺側柵上部縁部と二段目の拡張床板部底部前縁部とを突起ピン式固定部材により接合固定することで、より安全性を備えたことを特徴とする請求項１０２、１０４又は１０７記載のワンタッチ折り畳み式二段ペットケージ。
【請求項１１６】
中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側に、それぞれ取り付けたことを特徴とする請求項１０２、１０４又は１０７記載のワンタッチ折り畳み式二段ペットケージ。
【請求項１１７】
中折れ式短辺側柵外柵下部に拡張床板部側部横縁部を固定する場合の脱着式固定部材の取り付け位置は、ペット及びトレーの出し入れ等の際に、中折れ式短辺側柵の中折れ部を、一体式固定長辺側柵及び前部長辺側柵の外側に両開きするとき、中折れ部の開閉が支障なくできる位置に取り付けたことを特徴とする請求項１０２、１０４又は１０７記載のワンタッチ折り畳み式二段ペットケージ。
【請求項１１８】
このペットケージの収納・移動方式は、狭い場所でも立てたまま、収納移動ができる立ちスタンド式であることを特徴とする請求項１０２記載のワンタッチ折り畳み式二段ペットケージ。
【請求項１１９】
このペットケージの固定床板部の幅は、前部長辺側柵及び中折れ式短辺側柵を折り畳んで収納するとき、固定床板部上に十分格納できる幅を備えるとともに、立ちスタンド式収納時において、立ちスタンドが転倒の危険のないよう、必要に応じて固定床板部底部に備えたキャスターの位置が調整できる伸縮式キャスターを備え付けることができることを特徴とする請求項１０２又は１０４記載のワンタッチ折り畳み式二段ペットケージ。
【請求項１２０】
固定床板部と拡張床板部とを連結する回転式弾性連結部材は、拡張床板部の拡開及び収納時に、危険防止のため、回転式弾性連結部材の弾力により、拡張床板部をスローダウン、スローアップできる機能を持つとともに、併せて拡張床板部を収納のため折り畳んだとき、拡張床板部がスローアップすることで、既に固定床板部上に格納されている側柵が、格納位置側に押し込められることにより、側柵が不用意に開いたり拡張床板部が倒れたりすることを防止できることを特徴とする請求項１０２、１０４又は１０６記載のワンタッチ折り畳み式二段ペットケージ。
【請求項１２１】
このペットケージの一段目と二段目の側柵を、同段の固定床板部の格納位置に収納したときの側柵の高さと、折り畳まれたときの拡張床板部の高さとが同じであることを特徴とする請求項１０２、１０４又は１０５記載のワンタッチ折り畳み式二段ペットケージ。
【請求項１２２】
このペットケージの側柵及び拡張床板部を固定床板部上に格納した際に、これら折り畳まれた側柵及び拡張床板部が不用意に開いたり、倒れたりすることがないように、その折り畳み状態を保持するため、二段目の一体式固定長辺側柵外柵上部と拡張床板部底部上部とを、両開き天面柵扉付きペットケージを形成する場合は、一体式固定長辺側柵上部縁部に連結された後部上蓋の裏側上部と拡張床板部底部上部とを、また、片開き天面柵扉付きペットケージを形成する場合は、一体式固定長辺側柵上部縁部に連結された一体式上蓋の裏側上部と拡張床板部底部上部とを、さらに、一段目の拡張床板部底部上部縁部と二段目の拡張床板部連結側底部縁部とを係止するための係止部材を備えていることを特徴とする請求項１０２、１０３、１０４又は１０５記載のワンタッチ折り畳み式二段ペットケージ。
【請求項１２３】
前項により、一段目の拡張床板部底部上部縁部と二段目の拡張床板部連結側底部縁部とを係止するための係止部材を除き、それぞれ係止している移動式係止部材の係止解除後に、移動する側の係止部材を収納するための、係止部材収納止め部を拡張床板部底部に備えたことを特徴とする請求項１０２又は１０５記載のワンタッチ折り畳み式二段ペットケージ。
【請求項１２４】
一段目の床下部に、使用時の際の移動、また、不使用時の際の収納移動のため、一部ストップ機能付き脱着式キャスターを備えたことを特徴とする請求項１０２記載のワンタッチ折り畳み式二段ペットケージ。
【請求項１２５】
一段目と二段目の固定床板部の高さの位置で、一体式長辺側柵外柵部又は固定床板部両縁部に、別の同型のワンタッチ折り畳み式二段ペットケージ接続するための脱着式接続部材を備え付けることができることを特徴とする請求項１０２、１０４又は１０５記載のワンタッチ折り畳み式二段ペットケージ。
【請求項１２６】
このペットケージには、専用トレー及び搬送用収納バッグを備えることができることを特徴とする請求項１０２記載のワンタッチ折り畳み式二段ペットケージ。
【請求項１２７】
・上蓋を形成する場合の上蓋部
・中折れ式側壁を含む４面からなる側壁部
・固定床板部と拡張床板部からなる床板部
・側壁と側壁又は固定床板部と拡張床板部又は側壁と上蓋部とを回転可能に連結する連結手段
・側壁部に床板部を固定する固定手段
・前部上蓋と後部上蓋とをロックする固定手段
からなるワンタッチ折り畳み式収納ボックス。
【請求項１２８】
上蓋部が、両開きの形態を持つ
・前部長辺側壁上部縁部と連結された前部上蓋
・固定長辺側壁上部縁部と連結された後部上蓋
からなる請求項１２７記載のワンタッチ折り畳み式収納ボックス。
【請求項１２９】
側壁部が
・固定長辺側壁
・前部長辺側壁
・中折れ式短辺側壁
からなる請求項１２７記載のワンタッチ折り畳み式収納ボックス。
【請求項１３０】
床板部が
・側壁を格納する固定床板部
・格納された側壁を前方開口縁部側に拡張し、その拡張完了後に、側壁として形成するための基礎部の役割を持ち、上記の固定床板部とともに収納ボックスの床板となる拡張床板部からなる請求項１２７記載のワンタッチ折り畳み式収納ボックス。
【請求項１３１】
連結手段が
・前部長辺側壁上部縁部と前部上蓋縁部及び固定長辺側壁上部縁部と後部上蓋縁部とを連結する両開き可能な回転式連結部材
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項１２７記載のワンタッチ折り畳み式収納ボックス。
【請求項１３２】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・側壁収納時に、固定長辺側壁外壁と後部上蓋外壁又は前部長辺側壁外壁と前部上蓋外壁とを固定する脱着式固定部材
からなる請求項１２７記載のワンタッチ折り畳み式収納ボックス。
【請求項１３３】
固定床板部と回転式弾性連結部材により連結され、折り畳まれた状態で収納されている拡張床板部を拡開した後、固定床板部上に固定された固定長辺側壁の左右両端と他方の拡張時に前方開口縁部側へ、移動可能な前部長辺側壁の左右両端との間に、開閉可能な回転式連結部材により、両長辺側壁部間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、中折れ式短辺側壁外壁下部に拡張床板部側部横縁部を、脱着式固定部材により装着し固定するにより、また、両開き上蓋付き収納ボックスを形成する場合は、前部上蓋縁部と後部上蓋縁部とを脱着式固定部材によりロック固定することにより、形成されることを特徴とする請求項１２７記載のワンタッチ折り畳み式収納ボックス。
【請求項１３４】
収納ボックスを形成する場合には、上蓋が、両開きの形態を持つ、両開き上蓋を設けることができることを特徴とする請求項１２８記載のワンタッチ折り畳み式収納ボックス。
【請求項１３５】
固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたこと。更に、側壁の拡張及び収納を円滑にするため、必要に応じて、前部長辺側壁下部縁部に滑り部材を、床板部上に埋め込み式レールを備え付けることができることを特徴とする請求項１２７、１２８又は１２９記載のワンタッチ折り畳み式収納ボックス。
【請求項１３６】
短辺側壁中折れ部を中折れ式にするための回転式連結部材は、収納物品の出し入れ等をする際に中折れ式短辺側壁の中折れ部を固定長辺側壁及び前部長辺側壁の外側に、両開きできる開閉機能を併せて持つことを特徴とする請求項１２７、１２９又は１３１記載のワンタッチ折り畳み式収納ボックス。
【請求項１３７】
収納物品の出し入れ等をする際に、中折れ式短辺側壁の中折れ部を、固定長辺側壁及び前部長辺側壁の外側に、両開きするときの角度がより大きくなるよう長辺側壁と中折れ式短辺側壁とを連結する両縦縁部に、それぞれカットを施したことを特徴とする請求項１２７又は１２９記載のワンタッチ折り畳み式収納ボックス。
【請求項１３８】
中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする請求項１２７又は１３２記載のワンタッチ折り畳み式収納ボックス。
【請求項１３９】
中折れ式短辺側壁外壁下部に拡張床板部側部横縁部を固定する場合の脱着式固定部材の取り付け位置は、収納物品の出し入れ等をする際に、中折れ式短辺側壁の中折れ部を固定長辺側壁及び前部長辺側壁の外側に両開きするとき、中折れ部の開閉が支障なくできる位置に取り付けたことを特徴とする請求項１２７又は１３２記載のワンタッチ折り畳み式収納ボックス。
【請求項１４０】
この収納ボックスの収納・移動方式は、狭い場所でも立てたまま、収納移動ができる立ちスタンド式であることを特徴とする請求項１２７記載のワンタッチ折り畳み式収納ボックス。
【請求項１４１】
この収納ボックスの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを、備え付けることができることを特徴とする請求項１２７、１２９又は１３０記載のワンタッチ折り畳み式収納ボックス。
【請求項１４２】
固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて、拡張床板部を収納のため、折り畳んだとき、この拡張床板部がスローアップすることで、既に固定床板部上に格納されている側壁が、格納位置側に押し込められることにより、側壁が不用意に開いたり、拡張床板部が倒れたりすることを防止できることを特徴とする請求項１２７、１２９、１３０又は１３１記載のワンタッチ折り畳み式収納ボックス。
【請求項１４３】
この収納ボックスの側壁を格納位置に収納したときの側壁の高さと、折り畳まれたときの拡張床板部の高さとが、同じであることを特徴とする請求項１２７、１２９又は１３０記載のワンタッチ折り畳み式収納ボックス。
【請求項１４４】
この収納ボックスの側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを、また、上蓋付き収納ボックスを形成する場合は、固定長辺側壁上部縁部に連結された後部上蓋裏側上部と拡張床板部底部上部とを係止する係止部材を備えていることを特徴とする請求項１２７、１２９又は１３０記載のワンタッチ折り畳み式収納ボックス。
【請求項１４５】
前項により、それぞれ係止している移動式係止部材の係止の解除後に、移動する側の係止部材を収納するための係止部材収納止め部を拡張床板部底部に備えたことを特徴とする請求項１２７又は１３０記載のワンタッチ折り畳み式収納ボックス
【請求項１４６】
この収納ボックスの床下部に、使用時の際の移動、また、不使用時の際の収納移動のため、一部ストップ機能付き脱着式キャスターを備えたことを特徴とする請求項１２７記載のワンタッチ折り畳み式収納ボックス。
【請求項１４７】
固定床板部の高さの位置で、固定長辺側壁外壁部又は固定床板部両縁部に、別の同型のワンタッチ折り畳み式収納ボックスと接続するための、脱着式接続部材を備え付けることができることを特徴とする請求項１２７、１２９又は１３０記載のワンタッチ折り畳み式収納ボックス。
【請求項１４８】
・上蓋を形成する場合の上蓋部
・中折れ式側壁を含む４面からなる側壁部
・固定床板部と拡張床板部からなる床板部
・側壁と側壁又は固定床板部と拡張床板部又は側壁と上蓋部とを回転可能に連結する連結手段
・側壁部に床板部を固定する固定手段
・前部上蓋と後部上蓋又は側壁と一体式上蓋とをロックする固定手段
からなるワンタッチ折り畳み式二段収納ボックス。
【請求項１４９】
上蓋部が、両開きする形態を持つ
・前部長辺側壁上部縁部に連結された前部上蓋
・一体式固定長辺側壁上部縁部に連結された後部上蓋
上蓋部が、片開きする形態を持つ
・一体式固定長辺側壁上部縁部に連結された一体式上蓋
からなる請求項１４８記載のワンタッチ折り畳み式二段収納ボックス。
【請求項１５０】
側壁部が、一段目と二段目とも
・一体式固定長辺側壁
・前部長辺側壁
・中折れ式短辺側壁
からなる請求項１４８記載のワンタッチ折り畳み式二段収納ボックス。
【請求項１５１】
床板部が、一段目と二段目とも
・側壁を格納する固定床板部
・格納された側壁を前方開口縁部側に拡張し、その拡張完了後に、側壁として形成するための基礎部の役割を持ち、上記の固定床板部とともに収納ボックスの床板となる拡張床板部
からなる請求項１４８記載のワンタッチ折り畳み式二段収納ボックス。
【請求項１５２】
連結手段が
・前部長辺側壁上部縁部と前部上蓋縁部及び一体式固定長辺側壁上部縁部と後部上蓋縁部とを連結し、両開きを可能にする回転式連結部材
・一体式固定長辺側壁上部縁部と一体式上蓋縁部とを連結し、両開きを可能にする回転式連結部材
・長辺側壁と中折れ式短辺側壁とを連結する回転式連結部材
・一段目と二段目の中折れ式短辺側壁の中折れ部を連結する開閉可能な回転式連結部材
・固定床板部と拡張床板部とを連結する回転式弾性連結部材
からなる請求項１４８記載のワンタッチ折り畳み式二段収納ボックス。
【請求項１５３】
固定手段が
・一体式固定長辺側壁と一段目と二段目の固定床板部とを固定する固定部材
・一段目の前部長辺側壁上部縁部と二段目の拡張床板部底部前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・一体式固定長辺側壁上部縁部に連結された一体式上蓋縁部と二段目の前部長辺側壁外壁上部縁部とをロックする脱着式固定部材
・側壁収納時に、一体式固定長辺側壁外壁と後部上蓋外壁又は前部長辺側壁外壁と前部上蓋外壁又は一体式固定長辺側壁外壁と一体式上蓋外壁とを固定する脱着式固定部材
からなる請求項１４８記載のワンタッチ折り畳み式二段収納ボックス。
【請求項１５４】
一段目と二段目を有するワンタッチ折り畳み式二段収納ボックスにおいて、一段目については、固定床板部と回転式弾性連結部材により連結され、折り畳まれた状態で収納されている拡張床板部を拡開した後、固定床板部上に固定された一体式固定長辺側壁の左右両端と他方の拡張時に前方開口縁部側へ、移動可能な前部長辺側壁の左右両端との間に、開閉可能な回転式連結部材により、また、二段目については、一段目の前部長辺側壁の上部縁部と二段目の拡張床板部底部の前縁部とを突起ピン式固定部材により接合固定した後、固定床板部に固定された一体式固定長辺側壁の左右両端と他方の拡張時に前方開口縁部側へ、移動可能な前部長辺側壁の左右両端との間に、開閉可能な回転式連結部材により、一段目と二段目とも、長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、中折れ式短辺側壁外壁下部に拡張床板部側部横縁部を脱着式固定部材により装着し固定することにより、また、両開き上蓋付き収納ボックスを形成する場合は、前部上蓋縁部と後部上蓋縁部とを、さらに、片開き上蓋付き収納ボックスを形成する場合は、一体式固定長辺側壁上部縁部に連結された一体式上蓋縁部と二段目の前部長辺側壁外壁上部縁部とを脱着式固定部材によりロックし固定することにより、形成されることを特徴とする請求項１４８記載のワンタッチ折り畳み式二段収納ボックス。
【請求項１５５】
二段収納ボックスを形成する場合には、上蓋が、両開きの形態を持つ、両開き上蓋を、また、一体式上蓋で片開きの形態を持つ、片開き上蓋を設けることができることを特徴とする請求項１４９記載のワンタッチ折り畳み式二段収納ボックス。
【請求項１５６】
固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックス及び片開き上蓋付き収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたこと。更に、側壁の拡張及び収納を円滑にするため、必要に応じて、前部長辺側壁下部縁部に滑り部材を、床板部上に埋め込み式レールを備え付けることができることを特徴とする請求項１４８、１４９又は１５０記載のワンタッチ折り畳み式二段収納ボックス。
【請求項１５７】
短辺側壁中折れ部を中折れ式にするための回転式連結部材は、収納物品の出し入れ等の際に、中折れ式短辺側壁の中折れ部を、一体式固定長辺側壁及び前部長辺側壁の外側に、両開きできる開閉機能を併せて持つことを特徴とする請求項１４８又は１５０記載のワンタッチ折り畳み式二段収納ボックス。
【請求項１５８】
収納物品の出し入れ等のため、中折れ式短辺側壁の中折れ部を一体式固定長辺側壁及び前部長辺側壁の外側に、両開きするときの角度がより大きくなるよう長辺側壁と中折れ式短辺側壁とを連結する両縦縁部に、それぞれカットを施したことを特徴とする請求項１４８又は１５０記載のワンタッチ折り畳み式二段収納ボックス。
【請求項１５９】
一段目の側壁が開口縁部側に拡張された状態で、この一段目の前部長辺側壁上部縁部と二段目の拡張床板部底部前縁部とを突起ピン式固定部材により、接合固定することで、より安全性を備えたことを特徴とする請求項１４８、１５０又は１５３記載のワンタッチ折り畳み式二段収納ボックス。
【請求項１６０】
中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする請求項１４８、１５０又は１５３記載のワンタッチ折り畳み式二段収納ボックス。
【請求項１６１】
中折れ式短辺側壁外壁下部に拡張床板部側部横縁部を固定する場合の脱着式固定部材の取り付け位置は、収納物品の出し入れ等の際に、中折れ式短辺側壁の中折れ部を、一体式固定長辺側壁及び前部長辺側壁の外側に両開きするとき、中折れ部の開閉が支障なくできる位置に取り付けたことを特徴とする請求項１４８、１５０又は１５３記載のワンタッチ折り畳み式二段収納ボックス。
【請求項１６２】
この収納ボックスの収納・移動方式は、狭い場所でも立てたまま収納移動ができる立ちスタンド式であることを特徴とする請求項１４８記載のワンタッチ折り畳み式二段収納ボックス。
【請求項１６３】
この収納ボックスの固定床板部の幅は、前部長辺側壁及び中折れ式短辺側壁板部を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項１４８、１５０又は１５１記載のワンタッチ折り畳み式二段収納ボックス。
【請求項１６４】
固定床板部と拡張床板部とを連結する回転式弾性連結部材は、拡張床板部の拡開及び収納時に、危険防止のため回転式弾性連結部材の弾力により、拡張床板部をスローダウン、スローアップできる機能を持つとともに、併せて拡張床板部を収納のため折り畳んだとき、拡張床板部がスローアップすることで、既に固定床板部上に格納されている側壁が格納位置側に押し込められることにより、側壁が不用意に開いたり、拡張床板部が倒れたりすることを防止できることを特徴とする請求項１４８、１５０又は１５２記載のワンタッチ折り畳み式二段収納ボックス。
【請求項１６５】
この収納ボックスの一段目と二段目の側壁を、同段の固定床板部の格納位置に収納したときの側壁の高さと、折り畳まれたときの拡張床板部の高さとが同じであることを特徴とする請求項１４８、１５０又は１５１記載のワンタッチ折り畳み式二段収納ボックス。
【請求項１６６】
この収納ボックスの側壁及び拡張床板部を固定床板部上に格納した際に、これら折り畳まれた側壁及び拡張床板部が不用意に開いたり、倒れたりすることがないようにその折り畳み状態を保持するため、上蓋付きでない収納ボックスを形成する場合は、二段目の一体式固定長辺側壁外壁上部と拡張床板部底部上部とを、両開き上蓋付き収納ボックスを形成する場合は、一体式固定長辺側壁上部縁部に連結された後部上蓋の裏側上部と拡張床板部底部上部とを、片開き上蓋付き収納ボックスを形成する場合は、一体式固定長辺側壁上部縁部に連結された一体式上蓋の裏側上部と拡張床板部底部上部とを、また、一段目の拡張床板部底部上部縁部と二段目の拡張床板部連結側底部縁部とを係止するための係止部材を備えていることを特徴とする請求項１４８、１４９、１５０又は１５１記載のワンタッチ折り畳み式二段収納ボックス。
【請求項１６７】
前項により、一段目の拡張床板部底部上部縁部と二段目の拡張床板部連結側底部縁部とを係止するための係止部材を除き、それぞれ係止している移動式係止部材の係止解除後に、移動する側の係止部材を収納するための、係止部材収納止め部を拡張床板部底部に備えたことを特徴とする請求項１４８又は１５０記載のワンタッチ折り畳み式二段収納ボックス。
【請求項１６８】
一段目の床下部に、使用時の際の移動、また、不使用時の際の収納移動のため、一部ストップ機能付き脱着式キャスターを備えたことを特徴とする請求項１４８記載のワンタッチ折り畳み式二段収納ボックス。
【請求項１６９】
一段目と二段目の固定床板部の高さの位置で、一体式長辺側壁外壁部又は固定床板部両縁部に、別の同型のワンタッチ折り畳み式二段収納ボックスと接続するための、脱着式接続部材を備え付けることができることを特徴とする請求項１４８、１５０又は１５１記載のワンタッチ折り畳み式二段収納ボックス。
【手続補正２】
【補正対象書類名】明細書
【補正対象項目名】全文
【補正方法】変更
【補正の内容】
【考案の詳細な説明】
【技術分野】
【０００１】  この考案は、ベビーベッド等を使用及び収納する際に、工具を一切使用しないで、使用時におけるセット及び不使用時における収納が、ワンタッチで簡単に、極めて短時間（数分以内）にできることにより、工具による組立て及び解体作業が一切不要のワンタッチ折り畳み式ベビーベッド兼ベビーサークル、二段ベビーベッド、ペットサークル、ペットケージ、二段ペットケージ、収納ボックス及び二段収納ボックスに関するものである。
【背景技術】
【０００２】▲１▼従来、ベビーベッド等を購入した後に使用する際は、その必要とする側柵を工具により組み立てた後、その床板をセットして使用していた。そして、不使用時の際の収納時には、再び、工具により解体する作業が必要であった。また、ベビーベッド等の側柵のうち短辺側柵が中折れ式と独立した床板又は床板の一部が折り畳まれる一体式でない折り畳み式ベビーベッド等は既にあるが、それでも一部の箇所は、まだ、工具による使用時の組立て及び不使用時の際の解体作業が必要であり、工具による組立て及び解体作業が一切不要のベビーベッド等はなかった。
▲２▼ペットサークル、ペットケージ及び収納ボックスについても、既に折り畳み式のものはあるが、側柵と側柵又は固定床板部と拡張床板部とに分離された床板が、連結部材により連結され、一体式の形態を持ち、さらに、立ちスタンド式による収納・移動方式を取るものはなかった。
【考案の開示】
【考案が解決しようとする課題】
【０００３】これは、次のような問題点があった。
▲１▼ベビーベッド等を購入後、使用する際には、その側柵等を工具により組み立て、また、不使用時の際の収納時には、再び、工具により側柵等を解体し、収納する作業が必要となり、大変面倒で手間の掛かることであった。特に女性にとっては、その組立て及び解体作業は、手間がかかり、一苦労するものであった。また、既に作られているベビーベッド等の側柵のうち短辺側柵が中折れ式と独立した床板又は床板の一部が折り畳まれる一体式でない折り畳み式ベビーベッド等は、それでも一部の箇所は、まだ、工具による組立て及び解体作業が必要であるため、手間がかかり不便であった。さらにベビーベッド等の不使用時の収納にも場所を必要とした。
▲２▼既にある折り畳み式収納ボックスは、小型化したものが多く、物品を収納できる量が少なかった。また、収納ボックスの空ボックスの収納も、立ちスタンド式のものがなかった。
▲３▼既にある折り畳み式ペットサークル又はペットケージは、床板付きでないものが多く、室内でペットを飼う場合は、床板がないと家の床等を汚す心配があった。この場合、専用トレーを使用することになるが、ペットサークル又はペットケージの場所移動には、ペットサークル又はペットケージと専用トレーとを別々に移動する必要があった。また、ペットサークル又はペットケージの不使用時の際の収納にも場所を必要とした。
【課題を解決するための手段】
【０００４】上述の課題を解決する本考案の構成要件について、次に説明する。
以下は、ワンタッチ折り畳み式ベビーベッド兼ベビーサークルについての説明【０００５】・中折れ式側壁を含む４面からなる側壁部
・固定床板部と拡張床板部からなる床板部
・側壁と側壁又は固定床板部と拡張床板部とを回転可能に連結する連結手段
・側壁部に床板部を固定する固定手段
からなる。【０００６】側壁部が
・固定長辺側壁
・前部長辺側壁
・中折れ式短辺側壁
からなる。【０００７】床板部が
・側壁を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる。【０００８】連結手段が
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる。【０００９】固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる。【００１０】  固定床板部と回転式弾性連結部材により連結され、折り畳まれた状態で収納されている拡張床板部を拡開した後、固定床板部上に固定された固定長辺側壁の左右両端と他方の拡張時に前方開口縁部側へ、移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により装着し固定することにより、形成されることを特徴とする。【００１１】  固定長辺側壁及び前部長辺側壁にのみ、ベビーベッド内の乳幼児の様子を見る覗き窓としての役割を持つ、格子窓を設けたことを特徴とする。【００１２】  固定床板部上に格納されている側壁を容易にかつ安全に、前方開口縁部側に拡張するため、並びにベビーベッドの側壁収納時に、既に拡張している側壁を容易にかつ安全に、固定床板部上に格納するため、開口縁部側に移動可能な前部長辺側壁外壁上部に、ガイド用取っ手を備えたこと。更に、側壁の拡張及び収納を円滑にするため、必要に応じて、前部長辺側壁下部縁部に滑り部材を、床板部上に埋め込み式レールを備え付けることができることを特徴とする。【００１３】  前部長辺側壁の格子窓の両側に、脱着可能な小物入れを設けたことを特徴とする。【００１４】  前項の小物入れの内、薄型ティシュペーパー箱を前後に２箱入れることが可能なティシュペーパー専用の小物入れに、予備のティシュペーパー箱を使用中のティシュペーパー箱の後ろ側に入れた状態で、前にある使用中のティシュペーパー箱本体を小物入れから取り出す際に、既に箱から出ているティシュペーパーが破れないようにするために、小物入れのティシュペーパー取り出し口上部をカットしていることを特徴とする。【００１５】  中折れ式短辺側壁の中折れ部を中折れ式にするための回転式連結部材は、乳幼児のオムツを取り替える際に、中折れ式短辺側壁の中折れ部を固定長辺側壁及び前部長辺側壁の外側に、両開きできる開閉機能を併せて持つことを特徴とする。【００１６】  乳幼児のオムツを取り替える際に、中折れ式短辺側壁の中折れ部を、固定長辺側壁及び前部長辺側壁の外側に、両開きするときの角度がより大きくなるよう、長辺側壁と中折れ式短辺側壁とを連結する縦縁部に、それぞれカットを施したことを特徴とする。【００１７】  前項の長辺側壁と中折れ式短辺側壁とを連結する縦縁部のカットは、併せて指詰め防止にも役立つことを特徴とする。【００１８】  中折れ式短辺側壁内側の中折れ部の縦縁部についても指詰め防止のため、それぞれカットを施したことを特徴とする。【００１９】  中折れ式短辺側壁外壁下部に、拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けた���とを特徴とする。【００２０】  中折れ式短辺側壁外壁下部に、拡張床板部側部横縁部を固定する場合の脱着式固定部材の取り付け位置は、乳幼児のオムツを取り替える際に、中折れ式短辺側壁の中折れ部を固定長辺側壁及び前部長辺側壁の外側に両開きするときに、中折れ部の開閉が支障なくできる位置に取り付けたことを特徴とする。【００２１】  このベビーベッドの収納・移動方式は、狭い場所でも立てたまま、収納移動ができる立ちスタンド式であることを特徴とする。【００２２】  このベビーベッドの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする。【００２３】  固定床板部と拡張床板部には、通気性を保つため、通気孔を設けたことを特徴とする。【００２４】  固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて拡張床板部を収納のため折り畳んだとき、この拡張床板部がスローアップすることで、既に固定床板部上に格納されている側壁等が格納位置側に押し込められることにより、側壁が不用意に開いたり、拡張床板部が倒れたりすることを防止できることを特徴とする。【００２５】  このベビーベッドの側壁を格納位置に収納したときの側壁の高さと、折り畳まれたときの拡張床板部の高さとが同じであることを特徴とする。【００２６】  このベビーベッドの側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを係止する係止部材を備えていることを特徴とする。【００２７】  前項により、係止している移動式係止部材の係止解除後に、移動する側の係止部材を収納するための係止部材収納止め部を拡張床板部底部に備えたことを特徴とする。【００２８】  このベビーベッドの床下部に、使用時の際の移動、また、不使用時の際の収納移動のため、一部ストップ機能付き脱着式キャスターを備えたことを特徴とする。【００２９】  固定床板部の高さの位置で、固定長辺側壁外壁部又は固定床板部両縁部に、別の同型のワンタッチ折り畳み式ベビーベッド兼ベビーサークルと接続するための、脱着式接続部材を備え付けることができることを特徴とする。【００３０】  このベビーベッドは、立ちスタンド式収納時において、脱着可能な小物入れを前部長辺側壁の両側に装着したまま、固定床板部上に収納できることを特徴とする。【００３１】  このベビーベッドは、専用縦折れ式マットレス及び搬送用収納バッグを備えることができることを特徴とする。【００３２】  このベビーベッドは、立ちスタンド式収納時において、固定床板部に格納された側壁と拡張床板部の間に、前部長辺側壁の両側に装着した脱着式小物入れを取り外し、横向きに収��した後、更に、その上に、専用縦折れ式マットレスを折り畳んで収納できることを特徴とする。【００３３】  使用しなくなったベビーベッドは、収納ボックス等としても利用することができることを特徴とする。【００３４】  以下は、ワンタッチ折り畳み式二段ベビーベッドについての説明【００３５】・中折れ式側壁を含む４面からなる側壁部
・固定床板部と拡張床板部からなる床板部
・側壁と側壁又は固定床板部と拡張床板部とを回転可能に連結する連結手段
・側壁部に床板部を固定する固定手段
からなる。【００３６】側壁部が一段目と二段目とも
・一体式固定長辺側壁
・前部長辺側壁
・中折れ式短辺側壁
からなる。【００３７】床板部が一段目と二段目とも
・側壁を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる。【００３８】連結手段が
・長辺側壁と中折れ式短辺側壁とを連結する回転式連結部材
・一段目の中折れ式短辺側壁の中折れ部を連結する回転式連結部材
・二段目の中折れ式短辺側壁の中折れ部を連結する開閉可能な回転式連結部材
・固定床板部と拡張床板部とを連結する回転式弾性連結部材
からなる。【００３９】固定手段が
・一体式固定長辺側壁と一段目と二段目の固定床板部とを固定する固定部材
・一段目の中折れ式短辺側壁及び前部長辺側壁の上部縁部と二段目の拡張床板部底部の左右縁部及び前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる。【００４０】  一段目と二段目を有するワンタッチ折り畳み式二段ベビーベッドにおいて、一段目についは、固定床板部と回転式弾性連結部材により連結され、折り畳まれた状態で収納されている拡張床板部を拡開した後、固定床板部上に固定された一体式固定長辺側壁の左右両端と他方の拡張時に前方開口縁部側へ、移動可能な前部長辺側壁の左右両端との間に、回転式連結部材により、また、二段目については、一段目の中折れ式短辺側壁及び前部長辺側壁の上部縁部と二段目の拡張床板部底部の左右縁部と前縁部とを突起ピン式固定部材により接合固定した後、固定床板部に固定された一体式固定長辺側壁の左右両端と他方の拡張時に前方開口縁部側へ、移動可能な前部長辺側壁の左右両端との間に、開閉可能な回転式連結部材により、一段目と二段目とも、長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により装着し固定することにより、一段目は、小物専用収納スペースとして、二段目はベビーベッドとして形成されることを特徴とする。【００４１】  二段目の一体式固定長辺側壁及び前部長辺側壁にのみ、ベビーベッド内の乳幼児の様子を見る覗き窓としての役割を持つ、格子窓を設けたことを特徴とする。【００４２】  一段目の拡張後の前部長辺側壁を、小物取り出し口として使用するため、この側壁を開口し、この開口部に必要に応じて目隠しを設けることができることを特徴とする。【００４３】  固定床板部上に格納されている側壁を容易にかつ安全に、前方開口縁部側に拡張するため並びに側壁収納時に、既に拡張している側壁を容易にかつ安全に、固定床板部上に収納するため、一段目と二段目の開口縁部側に移動可能な前部長辺側壁外壁上部に、ガイド用取っ手を備えたこと。更に、側壁の拡張及び収納を円滑にするため、必要に応じて、一段目と二段目の前部長辺側壁下部縁部に滑り部材を、当該床板部上に埋め込み式レールを備え付けることができることを特徴とする。【００４４】  短辺側壁中折れ部を中折れ式にするための回転式連結部材は、二段目については、乳幼児のオムツを取り替える際に、中折れ式短辺側壁の中折れ部を一体式固定長辺側壁及び前部長辺側壁の外側に、両開きできる開閉機能を併せて持つことを特徴とする。【００４５】  乳幼児のオムツを取り替える際に、二段目の中折れ式短辺側壁の中折れ部を、一体式固定長辺側壁及び前部長辺側壁の外側に、両開きするときの角度がより大きくなるよう、長辺側壁と中折れ式短辺側壁とを連結する縦縁部にそれぞれカットを施したことを特徴とする。【００４６】  前項の長辺側壁と中折れ式短辺側壁とを連結する縦縁部のカットは、併せて指詰め防止にも役立つことを特徴とする。【００４７】  二段目の中折れ式短辺側壁内側の中折れ部の縦縁部についても、指詰め防止のため、それぞれカットを施したことを特徴とす��。【００４８】  一段目の側壁が開口縁部側に拡張された状態で、この一段目の中折れ式短辺側壁及び前部長辺側壁の上部縁部と二段目の拡張床板部底部の左右縁部及び前縁部とを突起ピン式固定部材により接合固定することで、より安全性を備えたことを特徴とする。【００４９】  中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする。【００５０】  二段目の中折れ式短辺側壁外壁下部に拡張床板部側部横縁部を固定する場合の脱着式固定部材の取り付け位置は、乳幼児のオムツを取り替える際に、中折れ式短辺側壁の中折れ部を、一体式固定長辺側壁及び前部長辺側壁の外側に両開きするとき、中折れ部の開閉が支障なくできる位置に取り付けたことを特徴とする。【００５１】  このベビーベッドの収納・移動方式は、狭い場所でも、立てたまま、収納移動ができる立ちスタンド式であることを特徴とする。【００５２】  このベビーベッドの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする。【００５３】  一段目と二段目の固定床板部と拡張床板部に、通気性を保つため、通気孔を設けたことを特徴とする。【００５４】  固定床板部と拡張床板部とを連結する回転式弾性連結部材は、拡張床板部の拡開及び収納時に、危険防止のため、回転式弾性連結部材の弾力により、拡張床板部をスローダウン、スローアップできる機能を持つとともに、併せて、拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする。【００５５】  このベビーベッドの一段目と二段目の側壁を、同段の固定床板部の格納位置に収納したときの側壁の高さと、折り畳まれたときの拡張床板部の高さとが、同じであることを特徴とする。【００５６】  このベビーベッドの側壁及び拡張床板部を固定床板部上に格納した際に、これら折り畳まれた側壁及び拡張床板部が不用意に開いたり、倒れたりすることがないようにその折り畳み状態を保持するため、二段目のベビーベッドの一体式固定長辺側壁外壁上部と拡張床板部底部上部とを、また、一段目の拡張床板部底部上部と二段目の拡張床板部連結側底部縁部とを係止するための係止部材を備えていることを特徴とする。【００５７】  前項により、一段目の拡張床板部底部上部と二段目の拡張床板部連結側底部縁部とを係止するための係止部材を除き、それぞれ係止している移動式係止部材の係止解除後に、移動する側の係止部材を収納するための係止部材収納止め部を当該拡張床板部底部に備えたことを特徴とする。【００５８】  一段目の床下部に、使用時の際の移動、また、不使用時の際の収納���動のため、一部ストップ機能付き脱着式キャスターを備えたことを特徴とする。【００５９】  一段目と二段目の固定床板部の高さの位置で、一体式長辺側壁外壁部又は固定床板部両縁部に、別の同型のワンタッチ折り畳み式二段ベビーベッドと接続するための脱着式接続部材を備え付けることができることを特徴とする。【００６０】  このベビーベッドには、専用縦折れ式マットレス及び搬送用収納バッグを備えることができることを特徴とする。【００６１】  このベビーベッドは、立ちスタンド式収納時において、二段目の固定床板部に格納された側壁と拡張床板部の間に、専用縦折れ式マットレスを折り畳んで収納できることを特徴とする。【００６２】  使用しなくなったベビーベッドは、収納ボックス等としても利用できることを特徴とする。【００６３】  以下は、ワンタッチ折り畳み式ペットサークルについての説明【００６４】・中折れ式側柵を含む４面からなる側柵部
・固定床板部と拡張床板部からなる床板部
・側柵と側柵及び固定床板部と拡張床板部とを回転可能に連結する連結手段
・側柵部に床板部を固定する固定手段
からなる。【００６５】側柵部が
・固定長辺側柵
・前部長辺側柵
・中折れ式短辺側柵
からなる。【００６６】床板部が
・側柵を格納する固定床板部
・格納された側柵を前方開口縁部側に拡張しその拡張完了後に側柵として形成するための基礎部の役割を持ち、上記の固定床板部とともにペットサークルの床板となる拡張床板部
からなる。【００６７】連結手段が
・長辺側柵と中折れ式短辺側柵とを連結する回転式連結部材
・中折れ式短辺側柵の中折れ部を連結する開閉可能な回転式連結部材
・固定床板部と拡張床板部とを連結する回転式弾性連結部材
からなる。【００６８】固定手段が
・固定長辺側柵下部と固定床板部とを固定する固定部材
・前部長辺側柵外柵下部に拡張床板部側部前縁部を固定する脱着式固定部材
・中折れ式短辺側柵外柵下部に拡張床板部側部横縁部を固定する脱着式固定部材
からなる。【００６９】  固定床板部と回転式弾性連結部材により連結され、折り畳まれた状態で収納されている拡張床板部を拡開した後、固定床板部上に固定された固定長辺側柵の左右両端と他方の拡張時に前方開口縁部側へ、移動可能な前部長辺側柵の左右両端との間に、開閉可能な回転式連結部材により、両長辺側柵部間の内側へ折り込み可能な中折れ式短辺側柵が連結された状態で、固定床板部上に折り畳まれて格納されている、これらの側柵を前部長辺側柵とともに、その格納位置から固定床板部と回転式弾性連結部材により連結された拡張床板部上をスライドさせながら、前方開口縁部側に拡張し、その拡張完了後に、前部長辺側柵外柵下部に拡張床板部側部前縁部を、また、中折れ式短辺側柵外柵下部に拡張床板部側部横縁部を脱着式固定部材により装着し固定することにより、形成されることを特徴とする。【００７０】  固定床板部上に格納されている側柵を容易にかつ安全に、前方開口縁部側に拡張するため、並びに側柵収納時に、既に拡張している側柵を容易にかつ安全に、固定床板部上に収納するため、開口縁部側に移動可能な前部長辺側柵の上部に、ガイド用取っ手を備えたこと。更に、側柵の拡張及び収納を円滑にするため、必要に応じて、前部長辺側柵下部縁部に滑り部材を、床板部上に埋め込み式レールを備え付けることができることを特徴とする。【００７１】  ペットサークルの前部長辺側柵にペットの出入り口扉を設けることができることを特徴とする。【００７２】  短辺側柵中折れ部を中折れ式にするための回転式連結部材は、ペット及びトレーの出し入れ等をする際に、中折れ式短辺側柵の中折れ部を固定長辺側柵及び前部長辺側柵の外側に、両開きできる開閉機能を併せて持つことを特徴とする。【００７３】  ペット及びトレーの出し入れ等をする際に、中折れ式短辺側柵の中折れ部を、固定長辺側柵及び前部長辺側柵の外側に、両開きするときの角度がより大きくなるよう長辺側柵と中折れ式短辺側柵とを連結する両縦縁部に、それぞれカットを施したことを特徴とする。【００７４】  中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側にそれぞれ取り付けたことを特徴とする。【００７５】  中折れ式短辺側柵外柵下部に拡張床板部側部横縁部を固定する場合の脱着式固定部材の取り付け位置は、ペット及びトレーの出し入れ等をする際に、中折れ式短辺側柵の中折れ部を固定長辺側柵及び前部長辺側柵の外側に両開きするとき、中折れ部の開閉が支障なくできる位置に取り付けたことを特徴とする。【００７６】  このペットサークルの収納・移動方式は、狭い場所でも立てたまま、収納移動ができる立ちスタンド式であることを特徴とする。【００７７】  このペットサークルの固定床板部の幅は、前部長辺側柵及び中折れ式短辺側柵を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを、備え付けることができることを特徴とする。【００７８】  固定床板部と拡張床板部とを連結する回転式弾性連結部材は、拡張床板部の拡開及び収納時に、危険防止のため回転式弾性連結部材の弾力により拡張床板部をスローダウン、スローアップできる機能を持つとともに、併せて拡張床板部を収納のため折り畳んだとき、この拡張床板部がスローアップすることで、既に固定床板部上に格納されている側柵が、格納位置側に押し込められることにより、側柵が不用意に開いたり、拡張床板部が倒れたりすることを防止できることを特徴とする。【００７９】  このペットサークルの側柵を格納位置に収納したときの側柵の高さと、折り畳まれたときの拡張床板部の高さとが同じであることを特徴とする。【００８０】  このペットサークルの側柵及び拡張床板部を固定床板部上に格納した際に、これら折り畳まれた側柵及び拡張床板部が不用意に開いたり、倒れたりすることがないように、その折り畳み状態を保持するため、固定長辺側柵外柵上部と拡張床板部底部上部とを係止する係止部材を備えていることを特徴とする。【００８１】  前項により、係止している移動式係止部材の係止の解除後に、移動する側の係止部材を収納するための係止部材収納止め部を拡張床板部底部に備えたことを特徴とする。【００８２】  このペットサークルの床下部に、使用時の際の移動、また、不使用時の際の収納移動のため、一部ストップ機能付き脱着式キャスターを備えたことを特徴とする。【００８３】  固定床板部の高さの位置で、固定長辺側柵外柵部又は固定床板部両縁部に、別の同型のワンタッチ折り畳み式ペットサークルと接続するための脱着式接続部材を備え付けることができることを特徴とする。【００８４】  このペットサークルには、専用トレー及び搬送用収納バッグを備えることができることを特徴とする。【００８５】  以下は、ワンタッチ折り畳み式ペットケージについての説明【００８６】・天面柵扉の形態を持つ上蓋部
・中折れ式側柵を含む４面からなる側柵部
・固定床板部と拡張床板部からなる床板部
・側柵と側柵又は固定床板部と拡張床板部又は側柵と上蓋部とを回転可能に連結する連結手段
・側柵部に床板部を固定する固定手段
・前部上蓋と後部上蓋及び側柵部と一体式上蓋とをロックする固定手段
からなる。【００８７】上蓋部が、両開きの形態を持つ
・前部長辺側柵上部縁部に連結された前部上蓋
・固定長辺側柵上部縁部に連結された後部上蓋
上蓋部が、片開きする形態を持つ
・固定長辺側柵上部縁部に連結された一体式上蓋
からなる。【００８８】側柵部が
・固定長辺側柵
・前部長辺側柵
・中折れ式短辺側柵
からなる。【００８９】床板部が
・側柵を格納する固定床板部
・格納された側柵を前方開口縁部側に拡張し、その拡張完了後に、側柵として形成するための基礎部の役割を持ち、上記の固定床板部とともにペットケージの床板となる拡張床板部
からなる。【００９０】連結手段が
・前部長辺側柵上部縁部と前部上蓋縁部及び固定長辺側柵上部縁部と後部上蓋縁部とを連結する両開き可能な回転式連結部材
・固定長辺側柵上部縁部と一体式上蓋縁部とを連結する両開き可能な回転式連結部材
・長辺側柵と中折れ式短辺側柵とを連結する回転式連結部材
・中折れ式短辺側柵の中折れ部を連結する開閉可能な回転式連結部材
・固定床板部と拡張床板部とを連結する回転式弾性連結部材
からなる。【００９１】固定手段が
・固定長辺側柵下部と固定床板部とを固定する固定部材
・前部長辺側柵外柵下部に拡張床板部側部前縁部を固定する脱着式固定部材
・中折れ式短辺側柵外柵下部に拡張床板部側部横縁部を固定する脱着式固定部材
・前部上蓋縁部と後部上蓋縁部とをロックする脱着式固定部材
・固定長辺側柵上部縁部に連結された一体式上蓋縁部と前部長辺側柵上部とをロックする脱着式固定部材
・側壁収納時に、固定長辺側柵外柵と後部上蓋外柵又は前部長辺側柵外柵と前部上蓋外柵とを固定する脱着式固定部材
からなる。【００９２】  固定床板部と回転式弾性連結部材により連結され、折り畳まれた状態で収納されている拡張床板部を拡開した後、固定床板部上に固定された固定長辺側柵の左右両端と他方の拡張時に前方開口縁部側へ、移動可能な前部長辺側柵の左右両端との間に、開閉可能な回転式連結部材により、両長辺側柵部間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により連結された拡張床板部上をスライドさせながら、前方開口縁部側に拡張し、その拡張完了後に、前部長辺側柵外柵下部に拡張床板部側部前縁部を、また、中折れ式短辺側柵外柵下部に拡張床板部側部横縁部を脱着式固定部材により装着し固定することにより、また、両開き天面柵扉付きペットケージを形成する場合は、前部上蓋縁部と後部上蓋縁部とを脱着式固定部材によりロックし固定することにより、さらに、片開き天面柵扉付きペットケージを形成する場合は、固定長辺側柵上部縁部に連結された一体式上蓋縁部と前部長辺側柵上部縁部とを脱着式固定部材によりロックし固定することにより、形成されることを特徴とする。【００９３】  ペットケージを形成する場合には、上蓋が、両開きの形態を持つ、両開き天面柵扉を、また、一体式上蓋で片開きの形態を持つ、片開き天面柵扉を設けることができることを特徴とする。【００９４】  固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合には、開口縁部側に移動可能な前部長辺側柵の上部に、また、両開き天面柵扉付きペットケージを形成する場合には、前部長辺側柵上部縁部に連結された前部上蓋の裏側上部に、ガイド用取っ手を備えたこと。更に、側柵の拡張及び収納を円滑にするため、必要に応じて、前部長辺側柵下部縁部に滑り部材を、床板部上に埋め込み式レールを備え付けることができることを特徴とする。【００９５】  ペットケージの前部長辺側柵に、ペットの出入り口扉を設けることができることを特徴とする。【００９６】  短辺側柵中折れ部を中折れ式にするための回転式連結部材は、ペット及びトレーの出し入れ等をする際に、中折れ式短辺側柵の中折れ部を固定長辺側柵及び前部長辺側柵の外側に、両開きできる開閉機能を併せて持つことを特徴とする。【００９７】  ペット及びトレーの出し入れ等をする際に、中折れ式短辺側柵の中折れ部を固定長辺側柵及び前部長辺側柵の外側に、両開きするときの角度がより大きくなるよう長辺側柵と中折れ式短辺側柵とを連結する両縦縁部に、それぞれカットを施したことを特徴とする。【００９８】  中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側に、それぞれ取り付けたことを特徴とする。【００９９】  中折れ式短辺側柵外柵下部に拡張床板部側部横縁部を固定する場合の脱着式固定部材の取り付け位置は、ペ��ト及びトレーの出し入れ等をする際に、中折れ式短辺側柵の中折れ部を固定長辺側柵及び前部長辺側柵の外側に両開きするとき、中折れ部の開閉が支障なくできる位置に取り付けたことを特徴とする。【０１００】  このペットケージの収納・移動方式は、狭い場所でも立てたまま、収納移動ができる立ちスタンド式であることを特徴とする。【０１０１】  このペットケージの固定床板部の幅は、前部長辺側柵及び中折れ式短辺側柵部を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする。【０１０２】  固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて、拡張床板部を収納のため折り畳んだとき、この拡張床板部がスローアップすることで、既に固定床板部上に格納されている側柵が、格納位置側に押し込められることにより、側柵が不用意に開いたり、拡張床板部が倒れたりすることを防止できることを特徴とする。【０１０３】  このペットケージの側柵を格納位置に収納したときの側柵の高さと、折り畳まれたときの拡張床板部の高さとが同じであることを特徴とする。【０１０４】  このペットケージの側柵及び拡張床板部を固定床板部上に格納した際に、これら折り畳まれた側柵及び拡張床板部が不用意に開いたり、倒れたりすることがないように、その折り畳み状態を保持するため、両開き天面柵扉付きペットケージを形成する場合には、固定長辺側柵上部縁部に連結された後部上蓋の裏側上部と拡張床板部底部上部とを、また、片開き天面柵扉付きペットケージを形成する場合は、一体式固定長辺側柵上部縁部に連結された一体式上蓋の裏側上部と拡張床板部底部上部とを係止する係止部材を備えていることを特徴とする。【０１０５】  前項により、それぞれ係止している移動式係止部材の係止の解除後に、移動する側の係止部材を収納するための係止部材収納止め部を拡張床板部底部に備えたことを特徴とする。【０１０６】  このペットケージの床下部に、使用時の際の移動、また、不使用時の際の収納移動のため、一部ストップ機能付き脱着式キャスターを備えたことを特徴とする。【０１０７】  固定床板部の高さの位置で、固定長辺側柵外柵部又は固定床板部両縁部に、別の同型のワンタッチ折り畳み式ペットケージと接続するための脱着式接続部材を備え付けることができることを特徴とする。【０１０８】  このペットケージには、専用トレー及び搬送用収納バッグを、備えることができることを特徴とする。【０１０９】  以下は、ワンタッチ折り畳み式二段ペットケージについての説明【０１１０】・天面柵扉の形態を持つ上蓋部
・中折れ式側柵を含む４面からなる側柵部
・固定床板部と拡張床板部からなる床板部
・側柵と側柵又は固定床板部と拡張床板部又は側柵と上蓋部とを回転可能に連結する連結手段
・側柵部に床板部を固定する固定手段
・前部上蓋と後部上蓋又は側柵と一体式上蓋とをロックする固定手段
からなる。【０１１１】上蓋部が、両開きする形態を持つ
・前部長辺側柵上部縁部に連結された前部上蓋
・一体式固定長辺側柵上部縁部に連結された後部上蓋
上蓋部が、片開きする形態を持つ
・一体式固定長辺側柵上部縁部に連結された一体式上蓋
からなる。【０１１２】側柵部が、一段目と二段目とも
・一体式固定長辺側柵
・前部長辺側柵
・中折れ式短辺側柵
からなる。【０１１３】床板部が、一段目と二段目とも
・側柵を格納する固定床板部
・格納された側柵を前方開口縁部側に拡張し、その拡張完了後に、側柵として形成するための基礎部の役割を持ち、上記の固定床板部とともにペットケージの床板となる拡張床板部
からなる。【０１１４】連結手段が
・前部長辺側柵上部縁部と前部上蓋縁部及び一体式固定長辺側柵上部縁部と後部上蓋縁部とを連結し、両開きを可能にする回転式連結部材
・一体式固定長辺側柵上部縁部と一体式上蓋縁部とを連結し、両開きを可能にする回転式連結部材
・長辺側柵と中折れ式短辺側柵とを連結する回転式連結部材
・一段目と二段目の中折れ式短辺側柵の中折れ部を連結する開閉可能な回転式連結部材
・固定床板部と拡張床板部とを連結する回転式弾性連結部材
からなる。【０１１５】固定手段が
・一体式固定長辺側柵と一段目と二段目の固定床板部とを固定する固定部材
・一段目の前部長辺側柵上部縁部と二段目の拡張床板部底部前縁部とを接合固定する突起ピン式固定部材
・前部長辺側柵外柵下部に拡張床板部側部前縁部を固定する脱着式固定部材
・中折れ式短辺側柵外柵下部に拡張床板部側部横縁部を固定する脱着式固定部材
・前部上蓋縁部と後部上蓋縁部とをロックする脱着式固定部材
・一体式固定長辺側柵上部縁部に連結された一体式上蓋縁部と二段目の前部長辺側柵上部とをロックする脱着式固定部材
・側柵収納時に、一体式固定長辺側柵外柵と後部上蓋外柵又は前部長辺側柵外柵と前部上蓋外柵又は一体式固定長辺側柵外柵と一体式上蓋外柵とを固定する脱着式固定部材
からなる。【０１１６】  一段目と二段目を有するワンタッチ折り畳み式二段ペットケージにおいて、一段目については、固定床板部と回転式弾性連結部材により連結され、折り畳まれた状態で収納されている拡張床板部を拡開した後、固定床板部上に固定された一体式固定長辺側柵の左右両端と他方の拡張時に前方開口縁部側へ、移動可能な前部長辺側柵の左右両端との間に、開閉可能な回転式連結部材により、また、二段目については、一段目の前部長辺側柵の上部縁部と二段目の拡張床板部底部の前縁部とを突起ピン式固定部材により接合固定した後、固定床板部に固定された一体式固定長辺側柵の左右両端と他方の拡張時に前方開口縁部側へ、移動可能な前部長辺側柵の左右両端との間に、開閉可能な回転式連結部材により、一段目と二段目とも、長辺側柵間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により、連結された拡張床板部上をスライドさせながら前方開口縁部側に拡張し、拡張完了後に、前部長辺側柵外柵下部に拡張床板部側部前縁部を、中折れ式短辺側柵外柵下部に拡張床板部側部横縁部を脱着式固定部材により装着し固定することにより、また、両開き天面柵扉付きペットケージを形成する場合は、前部上蓋縁部と後部上蓋縁部とを、さらに、片開き天面柵扉付きペットケージを形成する場合は、一体式固定長辺側柵上部縁部に連結された一体式上蓋縁部と二段目の前部長辺側柵上部縁部とを脱着式固定部材によりロックし固定することにより、形成されることを特徴とする。【０１１７】  二段ペットケージを形成する場合には、上蓋が、両開きの形態を持つ、両開き天面柵扉を、また、一体式上蓋で片開きの形態を持つ、片開き天面柵扉を設けることができることを特徴とする。【０１１８】  固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合は、開口縁部側に移動可能な前部長辺側柵の上部に、また、両開き天面柵扉付きペットケージを形成する場合は、前部長辺側柵上部縁部に連結された前部上蓋の裏側上部に、ガイド用取っ手を備えたこと。更に、側柵の拡張及び収納を円滑にするため、必要に応じて、前部長辺側柵下部縁部に滑り部材を、床板部上に埋め込み式レールを備え付けることができることを特徴とする。【０１１９】  一段目又は二段目のペットケージの前部長辺側柵にペットの出入り口扉を設けることができることを特徴とする。【０１２０】  ペットケージの一段目又は二段目を、小物専用収納スペースとしても形成することができるものとし、この場合、拡張後の前部長辺側柵を小物取り出し口として使用するため、この側柵を開口するとともに、この開口部に必要に応じて目隠しを設けることができることを特徴とする。【０１２１】  短辺側柵の中折れ部を中折れ式にするための回転式連結部材は、ペット及びトレーの出し入れ等の際に、中折れ式短辺側柵の中折れ部を、一体式固定長辺側柵及び前部長辺側柵の外側に、両開きできる開閉機能を、併せて持つことを特徴とする。【０１２２】  ペット及びトレーの出し入れ等のため、中折れ式短辺側柵の中折れ部を一体式固定長辺側柵及び前部長辺側柵の外側に、両開きするときの角度がより大きくなるよう、長辺側柵と中折れ式短辺側柵とを連結する両縦縁部に、それぞれカットを施したことを特徴とする。【０１２３】  一段目の側柵が開口縁部側に拡張された状態で、この一段目の前部長辺側柵上部縁部と二段目の拡張床板部底部前縁部とを突起ピン式固定部材により接合固定することで、より安全性を備えたことを特徴とする。【０１２４】  中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側に、それぞれ取り付けたことを特徴とする。【０１２５】  中折れ式短辺側柵外柵下部に拡張床板部側部横縁部を固定する場合の脱着式固定部材の取り付け位置は、ペット及びトレーの出し入れ等の際に、中折れ式短辺側柵の中折れ部を、一体式固定長辺側柵及び前部長辺側柵の外側に両開きするとき、中折れ部の開閉が支障なくできる位置に取り付けたことを特徴とする。【０１２６】  このペットケージの収納・移動方式は、狭い場所でも立てたまま、収納移動ができる立ちスタンド式であることを特徴とする。【０１２７】  このペットケージの固定床板部の幅は、前部長辺側柵及び中折れ式短辺側柵を折り畳んで収納するとき、固定床板部上に十分格納できる幅を備えるとともに、立ちスタンド式収納時において、立ちスタンドが転倒の危険のないよう、必要に応じて固定床板部底部に備えたキャスターの位置が調整できる伸縮式キャスターを備え付けることができることを特徴とする。【０１２８】  固定床板部と拡張床板部とを連結する回転式弾性連結部材は、拡張床板部の拡開及び収納時に、危険防止のため回転式弾性連結部材の弾力により、拡張床板部をスローダウン、スローアップできる機能を持つとともに、併せて拡張床板部を収納のため折り畳んだとき、拡張床板部がスローアップすることで、既に固定床板部上に格納されている側柵が、格納位置側に押し込められることにより、側柵が不用意に開いたり、拡張床板部が倒れたりすることを防止できることを特徴とする。【０１２９】  このペットケージの一段目と二段目の側柵を、同段の固定床板部の格納位置に収納したときの側柵の高さと、折り畳まれたときの拡張床板部の高さとが同じであることを特徴とする。【０１３０】  このペットケージの側柵及び拡張床板部を固定床板部上に格納した際に、これら折り畳まれた側柵及び拡張床板部が不用意に開いたり、倒れたりすることがないように、その折り畳み状態を保持するため、両開き天面柵扉付きペットケージを形成する場合は、一体式固定長辺側柵上部縁部に連結された後部上蓋の裏側上部と拡張床板部底部上部とを、また、片開き天面柵扉付きペットケージを形成する場合は、一体式固定長辺側柵上部縁部に連結された一体式上蓋の裏側上部と拡張床板部底部上部とを、さらに、一段目の拡張床板部底部上部縁部と二段目の拡張床板部連結側底部縁部とを係止するための係止部材を備えていることを特徴とする。【０１３１】  前項により、一段目の拡張床板部底部上部縁部と二段目の拡張床板部連結側底部縁部とを係止するための係止部材を除き、それぞれ係止している移動式係止部材の係止解除後に、移動する側の係止部材を収納するための、係止部材収納止め部を拡張床板部底部に備えたことを特徴とする。【０１３２】  一段目の床下部に、使用時の際の移動、また、不使用時の際の収納移動のため、一部ストップ機能付き脱着式キャスターを備えたことを特徴とする。【０１３３】  一段目と二段目の固定床板部の高さの位置で、一体式長辺側柵外柵部又は固定床板部両縁部に、別の同型のワンタッチ折り畳み式二段ペットケージ接続するための脱着式接続部材を備え付けることができることを特徴とする。【０１３４】  このペットケージには、専用トレー及び搬送用収納バッグを備えることができることを特徴とする。【０１３５】  以下は、ワンタッチ折り畳み式収納ボックスについての説明【０１３６】・上蓋を形成する場合の上蓋部
・中折れ式側壁を含む４面からなる側壁部
・固定床板部と拡張床板部からなる床板部
・側壁と側壁又は固定床板部と拡張床板部又は側壁と上蓋部とを回転可能に連結する連結手段
・側壁部に床板部を固定する固定手段
・前部上蓋と後部上蓋とをロックする固定手段
からなる。【０１３７】上蓋部が、両開きの形態を持つ
・前部長辺側壁上部縁部と連結された前部上蓋
・固定長辺側壁上部縁部と連結された後部上蓋
からなる。【０１３８】側壁部が
・固定長辺側壁
・前部長辺側壁
・中折れ式短辺側壁
からなる。【０１３９】床板部が
・側壁を格納する固定床板部
・格納された側壁を前方開口縁部側に拡張し、その拡張完了後に、側壁として形成するための基礎部の役割を持ち、上記の固定床板部とともに収納ボックスの床板となる拡張床板部
からなる。【０１４０】連結手段が
・前部長辺側壁上部縁部と前部上蓋縁部及び固定長辺側壁上部縁部と後部上蓋縁部とを連結する両開き可能な回転式連結部材
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる。【０１４１】固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・側壁収納時に、固定長辺側壁外壁と後部上蓋外壁又は前部長辺側壁外壁と前部上蓋外壁とを固定する脱着式固定部材
からなる。【０１４２】  固定床板部と回転式弾性連結部材により連結され、折り畳まれた状態で収納されている拡張床板部を拡開した後、固定床板部上に固定された固定長辺側壁の左右両端と他方の拡張時に前方開口縁部側へ、移動可能な前部長辺側壁の左右両端との間に、開閉可能な回転式連結部材により、両長辺側壁部間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、中折れ式短辺側壁外壁下部に拡張床板部側部横縁部を、脱着式固定部材により装着し固定するにより、また、両開き上蓋付き収納ボックスを形成する場合は、前部上蓋縁部と後部上蓋縁部とを脱着式固定部材によりロック固定することにより、形成されることを特徴とする。【０１４３】  収納ボックスを形成する場合には、上蓋が、両開きの形態を持つ、両開き上蓋を設けることができることを特徴とする。【０１４４】  固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたこと。更に、側壁の拡張及び収納を円滑にするため、必要に応じて、前部長辺側壁下部縁部に滑り部材を、床板部上に埋め込み式レールを備え付けることができることを特徴とする。【０１４５】  短辺側壁中折れ部を中折れ式にするための回転式連結部材は、収納物品の出し入れ等をする際に中折れ式短辺側壁の中折れ部を固定長辺側壁及び前部長辺側壁の外側に、両開きできる開閉機能を併せて持つことを特徴とする。【０１４６】  収納物品の出し入れ等をする際に、中折れ式短辺側壁の中折れ部を、固定長辺側壁及び前部長辺側壁の外側に、両開きするときの角度がより大きくなるよう長辺側壁と中折れ式短辺側壁とを連結する両縦縁部に、それぞれカットを施したことを特徴とする。【０１４７】  中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする。【０１４８】  中折れ式短辺側壁外壁下部に拡張床板部側部横縁部を固定する場合の脱着式固定部材の取り付け位置は、収納物品の出し入れ等をする際に、中折れ式短辺側壁の中折れ部を固定長辺側壁及び前部長辺側壁の外側に両開きするとき、中折れ部の開閉が支障なくできる位置に取り付けたことを特徴とする。【０１４９】  この収納ボックスの収納・移動方式は、狭い場所でも立てたまま、収納移動ができる立ちスタンド式であることを特徴とする。【０１５０】  この収納ボックスの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを、備え付けることができることを特徴とする。【０１５１】  固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて、拡張床板部を収納のため、折り畳んだとき、この拡張床板部がスローアップすることで、既に固定床板部上に格納されている側壁が、格納位置側に押し込められることにより、側壁が不用意に開いたり、拡張床板部が倒れたりすることを防止できることを特徴とする。【０１５２】  この収納ボックスの側壁を格納位置に収納したときの側壁の高さと、折り畳まれたときの拡張床板部の高さとが、同じであることを特徴とする。【０１５３】  この収納ボックスの側壁及び拡張床板部を固定床板部上に格納した際に、これら折り畳まれた側壁及び拡張床板部が不用意に開いたり、倒れたりすることがないように、その折り畳み状態を保持するため、上蓋付きでない収納ボックスを形成する場合は、固定長辺側壁外壁上部と拡張床板部底部上部とを、また、上蓋付き収納ボックスを形成する場合は、固定長辺側壁上部縁部に連結された後部上蓋裏側上部と拡張床板部底部上部とを係止する係止部材を備えていることを特徴とする。【０１５４】  前項により、それぞれ係止している移動式係止部材の係止の解除後に、移動する側の係止部材を収納するための係止部材収納止め部を拡張床板部底部に備えたことを特徴とする。【０１５５】  この収納ボックスの床下部に、使用時の際の移動、また、不使用時の際の収納移動のため、一部ストップ機能付き脱着式キャスターを備えたことを特徴とする。【０１５６】  固定床板部の高さの位置で、固定長辺側壁外壁部又は固定床板部両縁部に、別の同型のワンタッチ折り畳み式収納ボックスと接続するための、脱着式接続部材を備え付けることができることを特徴とする。【０１５７】  以下は、ワンタッチ折り畳み式二段収納ボックスについての説明【０１５８】・上蓋を形成する場合の上蓋部
・中折れ式側壁を含む４面からなる側壁部
・固定床板部と拡張床板部からなる床板部
・側壁と側壁又は固定床板部と拡張床板部又は側壁と上蓋部とを回転可能に連結する連結手段
・側壁部に床板部を固定する固定手段
・前部上蓋と後部上蓋又は側壁と一体式上蓋とをロックする固定手段
からなる。【０１５９】上蓋部が、両開きする形態を持つ
・前部長辺側壁上部縁部に連結された前部上蓋
・一体式固定長辺側壁上部縁部に連結された後部上蓋
上蓋部が、片開きする形態を持つ
・一体式固定長辺側壁上部縁部に連結された一体式上蓋
からなる。【０１６０】側壁部が、一段目と二段目とも
・一体式固定長辺側壁
・前部長辺側壁
・中折れ式短辺側壁
からなる。【０１６１】床板部が、一段目と二段目とも
・側壁を格納する固定床板部
・格納された側壁を前方開口縁部側に拡張し、その拡張完了後に、側壁として形成するための基礎部の役割を持ち、上記の固定床板部とともに収納ボックスの床板となる拡張床板部
からなる。【０１６２】連結手段が
・前部長辺側壁上部縁部と前部上蓋縁部及び一体式固定長辺側壁上部縁部と後部上蓋縁部とを連結し、両開きを可能にする回転式連結部材
・一体式固定長辺側壁上部縁部と一体式上蓋縁部とを連結し、両開きを可能にする回転式連結部材
・長辺側壁と中折れ式短辺側壁とを連結する回転式連結部材
・一段目と二段目の中折れ式短辺側壁の中折れ部を連結する開閉可能な回転式連結部材
・固定床板部と拡張床板部とを連結する回転式弾性連結部材
からなる。【０１６３】固定手段が
・一体式固定長辺側壁と一段目と二段目の固定床板部とを固定する固定部材
・一段目の前部長辺側壁上部縁部と二段目の拡張床板部底部前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・一体式固定長辺側壁上部縁部に連結された一体式上蓋縁部と二段目の前部長辺側壁外壁上部とをロックする脱着式固定部材
・側壁収納時に、一体式固定長辺側壁外壁と後部上蓋外壁又は前部長辺側壁外壁と前部上蓋外壁又は一体式固定長辺側壁外壁と一体式上蓋外壁とを固定する脱着式固定部材
からなる。【０１６４】  一段目と二段目を有するワンタッチ折り畳み式二段収納ボックスにおいて、一段目については、固定床板部と回転式弾性連結部材により連結され、折り畳まれた状態で収納されている拡張床板部を拡開した後、固定床板部上に固定された一体式固定長辺側壁の左右両端と他方の拡張時に前方開口縁部側へ、移動可能な前部長辺側壁の左右両端との間に、開閉可能な回転式連結部材により、また、二段目については、一段目の前部長辺側壁の上部縁部と二段目の拡張床板部底部の前縁部とを突起ピン式固定部材により接合固定した後、固定床板部に固定された一体式固定長辺側壁の左右両端と他方の拡張時に前方開口縁部側へ、移動可能な前部長辺側壁の左右両端との間に、開閉可能な回転式連結部材により、一段目と二段目とも、長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上を、スライドさせながら前方開口縁部側に拡張し、拡張完了後に、前部長辺側壁外壁下部に拡張床板部側部前縁部を、中折れ式短辺側壁外壁下部に拡張床板部側部横縁部を脱着式固定部材により装着し固定することにより、また、両開き上蓋付き収納ボックスを形成する場合は、前部上蓋縁部と後部上蓋縁部とを、さらに、片開き上蓋付き収納ボックスを形成する場合は、一体式上蓋縁部と二段目の前部長辺側壁外壁上部とを脱着式固定部材によりロックし固定することにより、形成されることを特徴とする。【０１６５】  二段収納ボックスを形成する場合には、上蓋が、両開きの形態を持つ、両開き上蓋を、また、一体式上蓋で片開きの形態を持つ、片開き上蓋を設けることができることを特徴とする。【０１６６】  固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックス及び片開き上蓋付き収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたこと。更に、側壁の拡張及び収納を円滑にするため、必要に応じて、前部長辺側壁下部縁部に滑り部材を、床板部上に埋め込み式レールを備え付けることができることを特徴とする。【０１６７】  短辺側壁中折れ部を中折れ式にするための回転式連結部材は、収納物品の出し入れ等の際に、中折れ式短辺側壁の中折れ部を、一体式固定長辺側壁及び前部長辺側壁の外側に、両開きできる開閉機能を併せて持つことを特徴とする。【０１６８】  収納物品の出し入れ等のため、中折れ式短辺側壁の中折れ部を一体式固定長辺側壁及び前部長辺側壁の外側に、両開きするときの角度がより大きくなるよう長辺側壁と中折れ式短辺側壁とを連結する両縦縁部に、それぞれカットを施したことを特徴とする。【０１６９】  一段目の側壁が開口縁部側に拡張された状態で、この一段目の前部長辺側壁上部縁部と二段目の拡張床板部底部前縁部とを突起ピン式固定部材により接合固定することで、より安全性を備えたことを特徴とする。【０１７０】  中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする。【０１７１】  中折れ式短辺側壁外壁下部に拡張床板部側部横縁部を固定する場合の脱着式固定部材の取り付け位置は、収納物品の出し入れ等の際に、中折れ式短辺側壁の中折れ部を、一体式固定長辺側壁及び前部長辺側壁の外側に両開きするとき、中折れ部の開閉が支障なくできる位置に取り付けたことを特徴とする。【０１７２】  この収納ボックスの収納・移動方式は、狭い場所でも立てたまま収納移動ができる立ちスタンド式であることを特徴とする。【０１７３】  この収納ボックスの固定床板部の幅は、前部長辺側壁及び中折れ式短辺側壁板部を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする。【０１７４】  固定床板部と拡張床板部とを連結する回転式弾性連結部材は、拡張床板部の拡開及び収納時に、危険防止のため回転式弾性連結部材の弾力により、拡張床板部をスローダウン、スローアップできる機能を持つとともに、併せて拡張床板部を収納のため折り畳んだとき、拡張床板部がスローアップすることで、既に固定床板部上に格納されている側壁が格納位置側に押し込められることにより、側壁が不用意に開いたり、拡張床板部が倒れたりすることを防止できることを特徴とする。【０１７５】  この収納ボックスの一段目と二段目の側壁を、同段の固定床板部の格納位置に収納したときの側壁の高さと、折り畳まれたときの拡張床板部の高さとが同じであることを特徴とする。【０１７６】  この収納ボックスの側壁及び拡張床板部を固定床板部上に格納した際に、これら折り畳まれた側壁及び拡張床板部が不用意に開いたり、倒れたりすることがないようにその折り畳み状態を保持するため、上蓋付きでない収納ボックスを形成する場合は、二段目の一体式固定長辺側壁外壁上部と拡張床板部底部上部とを、両開き上蓋付き収納ボックスを形成する場合は、一体式固定長辺側壁上部縁部に連結された後部上蓋の裏側上部と拡張床板部底部上部とを、片開き上蓋付き収納ボックスを形成する場合は、一体式固定長辺側壁上部縁部に連結された一体式上蓋の裏側上部と拡張床板部底部上部とを、また、一段目の拡張床板部底部上部縁部と二段目の拡張床板部連結側底部縁部とを係止するための係止部材を備えていることを特徴とする。【０１７７】  前項により、一段目の拡張床板部底部上部縁部と二段目の拡張床板部連結側底部縁部とを係止するための係止部材を除き、それぞれ係止している移動式係止部材の係止解除後に、移動する側の係止部材を収納するための、係止部材収納止め部を拡張床板部底部に備えたことを特徴とする。【０１７８】  一段目の床下部に、使用時の際の移動、また、不使用時の際の収納移動のため、一部ストップ機能付き脱着式キャスターを備えたことを特徴とする。【０１７９】  一段目と二段目の固定床板部の高さの位置で、一体式長辺側壁外壁部又は固定床板部両縁部に、別の同型のワンタッチ折り畳み式二段収納ボックスと接続するための、脱着式接続部材を備え付けることができることを特徴とする。
【考案の効果】
【０１８０】▲１▼ベビーベッド等を構成する長辺側壁と中折れ式短辺側壁及び固定床板部と拡張床板部とを連結部材で、それぞれ連結したことにより、それぞれ側壁等が折り畳めることができるようになったため、一体式の形態が取れるベビーベッド等が形成できた。
▲２▼一枚の床板部を固定床板部と折り畳みできる拡張床板部とに分離し、さらに、連結部材により連結したことにより、固定床板部上に側壁を折り畳んで格納した後、拡開している拡張床板部を折り畳んで、固定床板部上に収納できるようになったため、ベビーベッド等の収納が簡単にでき、コンパクト化できた。
▲３▼格納されている側壁を、固定床板部及び拡開した拡張床板部上の開口縁部側に、拡張し、拡張完了後に、これらの側壁の下部と、拡張床板部側部とを強固に固定することができる脱着式固定部材を装着することにより、より安全なベビーベッド等の形成が可能になった。
▲４▼上記のとおり、ベビーベッド等を構成する側壁等が折り畳める一体式の形態になり、また、ベビーベッド等の形成の手段に、脱着式固定部材が使用できることになったことから、工具を一切使用しないで、使用時におけるセット及び不使用時における収納がワンタッチで簡単に、数分以内にできるようになったため、女性でも手間をかけずに容易に、ベビーベッド等のセット及び収納ができるようになった。
▲５▼このため、従来、ベビーベッド等の使用時におけるセット及び不使用時における収納の際に必要としていた工具による組立て及び解体作業が一切不要となった。
▲６▼また、収納が立ちスタンド式で、かつ、移動式であるため、狭いスペースでもコンパクトに立てたまま、容易に収納及び移動ができるようになった。
▲７▼そして、収納ボックスを除き搬送用収納バッグを備えることができるので、自動車等で旅行するときにも、手軽にベビーベッド等の搬送ができるようになり、便利になった。
▲８▼収納ボックスの大きさを任意に設定できることから、小型から大型までのボックスが形成でき、収納できる物品量が増大できる。
▲９▼収納ボックスの空ボックスの収納も、立ちスタンド式なので、狭い場所でも保管できるとともに、空ボックスを搬送する場合にも大量に運搬ができる。
▲１０▼ペットサークル及びペットケージに床板と専用トレーを同時に備えることができたことから、室内で使用するときも、床を汚すことがなくなり、ペットサークル及びペットケージの床板に専用トレーをセットしたまま、使用時の場所移動も容易にできるようになった。また、収納が立ちスタンド式でキャスターが付いており、かつ、移動式であるため、狭いスペースでもコンパクトに立てたまま、容易に収納及び移動ができるようになった。
【考案を実施するための最良の形態】
【０１８１】  本考案であるワンタッチ折り畳み式ベビーベッド兼ベビーサークルの実施の形態について説明する。（図面参照）【０１８２】  固定床板部４と回転式弾性連結部材８により連結され、折り畳まれた状態で収納されている拡張床板部５を拡開した後、固定床板部４上にある固定長辺側壁１の左右両端と他方の拡張時に前方開口縁部側へ移動可能な前部長辺側壁２の左右両端との間に、開閉可能な回転式連結部材７により、両長辺側壁１，２間の内側へ折り込み可能な中折れ式の短辺側壁３ａ，３ｃと３ｂ，３ｄが連結された状態で、固定床板部４上に折り畳まれて格納されている、これらの側壁を、前部長辺側壁２とともに、その格納位置から固定床板部４と回転式弾性連結部材８により連結された拡張床板部５上をスライドさせながら、前方開口縁部側に拡張し、その拡張完了後に、前部長辺側壁２外壁下部に設けた脱着式固定部材９ｂに、拡張床板部５側部前縁部に設けた脱着式固定部材９ａを、中折れ式短辺側壁３ａ，３ｃと３ｂ，３ｄの外壁下部にそれぞれ設けた１０ｂに、拡張床板部５側部横縁部に設けた脱着式固定部材１０ａを装着し固定することにより、形成される。【０１８３】  本考案であるワンタッチ折り畳み式ペットサークルの実施の形態について説明する。（図面参照）【０１８４】  固定床板部４と回転式弾性連結部材８により連結され、折り畳まれた状態で収納されている拡張床板部５を拡開した後、固定床板部４上にある固定長辺側柵１の左右両端と他方の拡張時に前方開口縁部側へ移動可能な前部長辺側柵２の左右両端との間に、開閉可能な回転式連結部材７により、両長辺側柵１，２間の内側へ折り込み可能な中折れ式の短辺側柵３ａ，３ｃと３ｂ，３ｄが連結された状態で、固定床板部４上に折り畳まれて格納されている、これらの側柵を、前部長辺側柵２とともに、その格納位置から固定床板部４と回転式弾性連結部材８により連結された拡張床板部５上をスライドさせながら、前方開口縁部側に拡張し、その拡張完了後に、前部長辺側柵２外柵下部に設けた脱着式固定部材９ｂに、拡張床板部５側部前縁部に設けた脱着式固定部材９ａを、中折れ式短辺側柵３ａ，３ｃと３ｂ，３ｄの外柵下部にそれぞれ設けた１０ｂに、拡張床板部５側部横縁部に設けた脱着式固定部材１０ａを装着し固定することにより、形成される。【０１８５】  本考案であるワンタッチ折り畳み式ペットケージの実施の形態について説明する。（図面参照）【０１８６】  固定床板部４と回転式弾性連結部材８により連結され、折り畳まれた状態で収納されている拡張床板部５を拡開した後、固定床板部４上にある固定長辺側柵１の左右両端と他方の拡張時に前方開口縁部側へ移動可能な前部長辺側柵２の左右両端との間に、開閉可能な回転式連結部材７により、両長辺側柵１，２間の内側へ折り込み可能な中折れ式の短辺側柵３ａ，３ｃと３ｂ，３ｄが連結された状態で、固定床板部４上に折り畳まれて格納されている、これらの側柵を、前部長辺側柵２とともに、その格納位置から固定床板部４と回転式弾性連結部材８により連結された拡張床板部５上をスライドさせながら、前方開口縁部側に拡張し、その拡張完了後に、前部長辺側柵２外柵下部に設けた脱着式固定部材９ｂに、拡張床板部５側部前縁部に設けた脱着式固定部材９ａを、中折れ式短辺側柵３ａ，３ｃと３ｂ，３ｄの外柵下部にそれぞれ設けた１０ｂに、拡張床板部５側部横縁部に設けた脱着式固定部材１０ａを装着し固定することにより、また、両開き天面柵扉付きペットケージを形成する場合は、前部上蓋３７ａ縁部と後部上蓋３７ｂ縁部とを脱着式固定部材３９ａ，３９ｂによりロックし固定することにより、さらに、片開き天面柵扉付きペットケージを形成する場合は、固定長辺側柵１上部縁部に連結された一体式上蓋４１縁部と前部長辺側柵２上部縁部とを脱着式固定部材４３ａ，４３ｂによりロックし固定することにより、形成される。【０１８７】  本考案であるワンタッチ折り畳み式収納ボックスの実施の形態について説明する。（図面参照）【０１８８】  固定床板部４と回転式弾性連結部材８により連結され、折り畳まれた状態で収納されている拡張床板部５を拡開した後、固定床板部４上にある固定長辺側壁１の左右両端と他方の拡張時に前方開口縁部側へ移動可能な前部長辺側壁２の左右両端との間に、開閉可能な回転式連結部材７により、両長辺側壁１，２間の内側へ折り込み可能な中折れ式の短辺側壁３ａ，３ｃと３ｂ，３ｄが連結された状態で、固定床板部４上に折り畳まれて格納されているこれらの側壁を、前部長辺側壁２とともに、その格納位置から固定床板部４と回転式弾性連結部材８により連結された拡張床板部５上をスライドさせながら、前方開口縁部側に拡張し、その拡張完了後に、前部長辺側壁２外壁下部に設けた脱着式固定部材９ｂに、拡張床板部５側部前縁部に設けた脱着式固定部材９ａを、中折れ式短辺側壁３ａ，３ｃと３ｂ，３ｄの外壁下部にそれぞれ設けた１０ｂに、拡張床板部５側部横縁部に設けた脱着式固定部材１０ａを装着し固定することにより、また、両開き上蓋付き収納ボックスを形成する場合は、前部上蓋３７ａ縁部と後部上蓋３７ｂ縁部とを脱着式固定部材３９ａ、３９ｂによりロックし固定することにより、形成される。【０１８９】  本考案であるワンタッチ折り畳み式二段ベビーベッドの実施の形態について説明する。（図面参照）【０１９０】  一段目と二段目を有する形態において、一段目については、固定床板部２０ａと回転式弾性連結部材２５により連結され、折り畳まれた状態で収納されている拡張床板部２１ａを拡開した後、固定床板部２０ａ上に固定された一体式固定長辺側壁１７の左右両端と他方の拡張時に前方開口縁部側へ、移動可能な前部長辺側壁１８ａの左右両端との間に、回転式連結部材２３により、また、二段目については、一段目の中折れ式短辺側壁１９ａ１，１９ｃ１と１９ｂ１，１９ｄ１及び前部長辺側壁１８ａの上部縁部と二段目の拡張床板部２１ｂ底部の左右縁部と前縁部とを突起ピン式固定部材２６ａ，２６ｂにより接合固定した後、固定床板部２０ｂに固定された一体式固定長辺側壁１７の左右両端と他方の拡張時に前方開口縁部側へ、移動可能な前部長辺側壁１８ｂの左右両端との間に、開閉可能な回転式連結部材２４により、一段目と二段目とも、長辺側壁間１７と１８ａ及び１７と１８ｂの内側へ折り込み可能な中折れ式短辺側壁１９ａ，１９ｃと１９ｂ，１９ｄ及び１９ａ１，１９ｃ１と１９ｂ１，１９ｄ１が連結された状態で、固���床板部２０ａ，２０ｂ上に折り畳まれて格納されている、これらの側壁を、前部長辺側壁１８ａと１８ｂとともに、その格納位置から固定床板部２０ａ，２０ｂと回転式弾性連結部材２５により、連結された拡張床板部２１ａ，２１ｂ上をスライドさせながら前方開口縁部側に拡張し、拡張完了後に、前部長辺側壁１８ａ，１８ｂ外壁下部に拡張床板部２１ａ，２１ｂ側部前縁部を、また、中折れ式短辺側壁１９ａ，１９ｃと１９ｂ，１９ｄ及び１９ａ１，１９ｃ１と１９ｂ１，１９ｄ外壁下部に拡張床板部２１ａ，２１ｂ側部横縁部を脱着式固定部材２７ａ，２７ｂと２８ａ，２８ｂにより装着し固定することにより、一段目は、小物専用収納スペースとして、二段目はベビーベッドとして形成される。【０１９１】  本考案であるワンタッチ折り畳み式二段ペットケージ実施の形態について説明する。（図面参照）【０１９２】  一段目と二段目を有する形態において、一段目については、固定床板部２０ａと回転式弾性連結部材２５により連結され、折り畳まれた状態で収納されている拡張床板部２１ａを拡開した後、固定床板部２０ａ上に固定された一体式固定長辺側柵の左右両端と他方の拡張時に前方開口縁部側へ、移動可能な前部長辺側柵１８ａの左右両端との間に、開閉可能な回転式連結部材２４により、また、二段目については、一段目の前部長辺側柵１８ａの上部縁部と二段目の拡張床板部２１ｂ底部前縁部とを突起ピン式固定部材２６ａ，２６ｂにより接合固定した後、固定床板部２０ｂに固定された一体式固定長辺側柵１７の左右両端と他方の拡張時に前方開口縁部側へ、移動可能な前部長辺側柵１８ｂの左右両端との間に、開閉可能な回転式連結部材２４により、一段目と二段目とも、長辺側柵間１７，１８ａ及び１７，１８ｂの内側へ折り込み可能な中折れ式短辺側柵１９ａ，１９ｃと１９ｂ，１９ｄ及び１９ａ１，１９ｃ１と１９ｂ１，１９ｄ１が連結された状態で、固定床板部２０ａ、２０ｂ上に折り畳まれて格納されている、これらの側柵を、前部長辺側柵１８ａ、１８ｂとともに、その格納位置から固定床板部２０ａ、２０ｂと回転式弾性連結部材２５により、連結された拡張床板部２１ａ，２１ｂ上をスライドさせながら前方開口縁部側に拡張し、拡張完了後に、前部長辺側柵１８ａ，１８ｂ外壁下部に拡張床板部２１ａ，２１ｂ側部前縁部を、中折れ式短辺側柵１９ａ，１９ｃと１９ｂ，１９ｄ及び１９ａ１，１９ｃ１と１９ｂ１，１９ｄ外柵下部に拡張床板部２１ａ，２１ｂ側部横縁部を脱着式固定部材２７ａ，２７ｂと２８ａ，２８ｂにより装着し固定することにより、また、両開き天面柵扉付きペットケージを形成する場合は、前部上蓋３７ａ縁部と後部上蓋３７ｂ縁部とを、さらに、片開き天面柵扉付きペットケージを形成する場合は、一体式固定長辺側柵１７上部縁部に連結された一体式上蓋４１縁部と二段目の前部長辺側柵１８ｂ上部縁部とを脱着式固定部材４３ａ，４３ｂによりロックし固定することにより、形成される。【０１９３】  本考案であるワンタッチ折り畳み式二段収納ボックス実施の形態について説明する。（図面参照）【０１９４】  一段目と二段目を有する形態において、一段目については、固定床板部２０ａと回転式弾性連結部材２５により連結され、折��畳まれた状態で収納されている拡張床板部２１ａを拡開した後、固定床板部２０ａ上に固定された一体式固定長辺側壁の左右両端と他方の拡張時に前方開口縁部側へ、移動可能な前部長辺側壁１８ａの左右両端との間に、開閉可能な回転式連結部材２４により、また、二段目については、一段目の前部長辺側壁１８ａの上部縁部と二段目の拡張床板部２１ｂ底部の前縁部とを突起ピン式固定部材２６ａ，２６ｂにより接合固定した後、固定床板部２０ｂに固定された一体式固定長辺側壁１７の左右両端と他方の拡張時に前方開口縁部側へ、移動可能な前部長辺側壁１８ｂの左右両端との間に、開閉可能な回転式連結部材２４により、一段目と二段目とも、長辺側壁間１７，１８ａ及び１７，１８ｂの内側へ折り込み可能な中折れ式短辺側壁１９ａ，１９ｃと１９ｂ，１９ｄ及び１９ａ１，１９ｃ１と１９ｂ１，１９ｄ１が連結された状態で、固定床板部２０ａ，２０ｂ上に折り畳まれて格納されている、これらの側壁を、前部長辺側壁１８ａ，１８ｂとともに、その格納位置から固定床板部２０ａ，２０ｂと回転式弾性連結部材２５により、連結された拡張床板部２１ａ，２１ｂ上をスライドさせながら前方開口縁部側に拡張し、拡張完了後に、前部長辺側壁１８ａ、１８ｂ外壁下部に拡張床板部２１ａ、２１ｂ側部前縁部を、中折れ式短辺側壁１９ａ，１９ｃと１９ｂ，１９ｄ及び１９ａ１，１９ｃ１と１９ｂ１，１９ｄ外壁下部に拡張床板部２１ａ，２１ｂ側部横縁部を脱着式固定部材２７ａ，２７ｂと２８ａ，２８ｂにより装着し固定することにより、また、両開き上蓋付き収納ボックスを形成する場合は、前部上蓋３７ａ縁部と後部上蓋３７ｂ縁部とを、片開き上蓋付き収納ボックスを形成する場合は、一体式固定長辺側柵１７上部縁部に連結された一体式上蓋４１縁部と二段目の前部長辺側柵１８ｂ上部縁部とを脱着式固定部材４３ａ、４３ｂによりロックし固定することにより、形成される。【０１９５】  主な実施例について、次に説明する。（図面参照）
なお、説明文の中で、側壁とあるのは、形態に応じて、適宜、側柵と読み替えるものとする。（この読み替えは、以下の「図面の簡単な説明及び符号の説明」についても同じとする。）【０１９６】  固定長辺側壁下部と固定床板部及び一体式固定長辺側壁と固定床板部とを固定する固定部材については、ねじ釘、ボルトねじ、ボルトナット式固定部材、Ｌ字型補強金具、突起ピン式固定部材、その他の補強金具等で強度が保てる安全な部材を任意に選定するとともに、固定場所についても強度が保てる安全な場所を任意に選定する。【０１９７】  ベビーベッドの両長辺側壁１、２及び二段ベビーベッドの二段目の両長辺側壁１７、１８ｂに、乳幼児を監視するため、覗き窓としての役割を持つ、格子窓１１、２９を設けた。この格子窓については、必要に応じて、中折れ式短辺側壁にも設けることを可能とする。【０１９８】  各側壁を固定床板部上の格納位置に収納したときの側壁の高さと、折り畳まれたときの拡張床板部の高さとが同じであることを特徴とするが、必要に応じて、異なる高さのものを形成することも可能とする。【０１９９】  前部長辺側壁２、１８ａ、１８ｂ外壁の上部に、ベビーベッド等のセット及び収納が容易にできるようにするためのガイド用取っ手１２、３１ａ、３１ｂを設けた。天面柵扉付きペットケージ又は上蓋付き収納ボックスを形成する場合には、前部長辺側壁上部縁部に連結された前部上蓋の裏側上部にガイド用取っ手３６を設けた。この取っ手の形態については、任意に適当な取っ手を選定することができる。【０２００】  前部長辺側壁下部縁部に、滑り部材を必要に応じて備える付けることができる。滑り部材については、例えば、滑りピン、埋め込み式戸車等で滑り機能をもった任意の部材を選定することができる。【０２０１】  床板部上に、埋め込み式レールを備え付けることができる。埋め込み式レールの部材、形態、設置位置、設置するレール本数については、任意に選定することができる。【０２０２】  ベビーベッドの前部長辺側壁２格子窓１１の両側に脱着式小物入れ１３を設けた。この脱着式小物入れ１３の脱着手段については、任意に適当な方法を選定する。【０２０３】  側壁収納時には、小物入れ１３を前部長辺側壁２に装着したまま、収納できる。【０２０４】  回転式弾性連結部材８、２５は、弾力により、拡張床板部５、２１ａ、２１ｂをスローダウン、スローアップする機能を持つことにより安全性を備えた。この機能を有効に活用するため、適度な弾力効果が得られる弾性部材を選定する。ただし、拡張床板部が軽量な材料で形成される場合で、セット及び収納に危険がないときには、弾性のない回転式連結部材を選定することができる。【０２０５】  中折れ式短辺側壁中折れ部の回転式連結部材７、２４は、７ａ、７ｂ及び２４ａ、２４ｂに分離できることにより、中折れ部を開閉できる機能を持つものとするが、二段式ベビーベッドの一段目については、この機能を持たない部材を設けることもできる。また、この回転式連結部材が障碍になることなく、中折れ部の中折れがスムーズにでき、側壁を固定床板部に容易に収納できる開閉方式及び部材を選定するものとする。【０２０６】  突起ピン式固定部材２６ａ、２６ｂについては、突起��ン２６ａを突起ピン挿入口２６ｂにそれぞれ挿入することにより、側壁部と拡張床板部とを接合固定する。二段式ペットケージ及び二段式収納ボックスを形成する場合は、一段目の中折れ式短辺側壁上部縁部及び二段目の拡張床板部底部左右縁部には、両中折れ式短辺側壁中折れ部を外側に両開きするのに支障になるため、突起ピン式固定部材を設けていない。【０２０７】  ベビーベッドの中折れ式短辺側壁及び二段式ベビーベッドの二段目の中折れ式短辺側壁の中折れ部の両開き角度を大きくするため、長辺側壁と中折れ式短辺側壁とを連結する側壁の両縦縁部にカットを施した。ただし、長辺側壁と中折れ式短辺側壁とを連結する手段により、本カットを必要としない場合には、カットを施さないことができる。（カット状態を図９及び図１９のみに図示）【０２０８】  ベビーベッドの中折れ式短辺側壁及び二段式ベビーベッドの二段目の中折れ式短辺側壁の中折れ部両縦縁部に指詰め防止カットを施した。ただし、中折れ式短辺側壁の中折れ部両縦縁部を連結する手段により、本カットを必要としない場合には、カットを施さないことができる。（カット状態を図９及び図１９のみに図示）【０２０９】  二段式ベビーベッドの二段目のベビーベッドの床板部の高さについては、乳幼児のオムツを取り替える際、腰に負担がかからない高さに設定できるものとする。【０２１０】  使用中のティシュペーパー箱を小物入れ１３から取り出すとき、既に箱から出ているティシュペーパーが破れないように小物入れのティシュペーパー取り出し口の上部をカットしている。【０２１１】  ベビーベッドの立ちスタンド式収納時において、小物入れ１３及び専用縦折れ式マットレス１６とを合わせて収納できる。この場合、前部長辺側壁両側に装着している小物入れ１３を取り外し、固定床板部４上に横置きに収納した後、その上に専用縦折れ式マットレス１６を置いて収納することができる。【０２１２】  二段式ベビーベッドの一段目の小物専用収納スペース取り出し口３０を目隠しする手段については、片開き扉、両開き扉、上下開閉扉、スライド式扉、引き戸式扉、アコーデオンカーテン、布カーテン等を設けることができ、開閉方式及び部材も任意に適当なものを選定することができる。【０２１３】  ベビーベッド及び二段式ベビーベッドの固定床板部４、２０ａ、２０ｂと拡張床板部５、２１ａ、２１ｂに通気孔を設けた。通気孔の形状、大きさ等は、任意に選定することができる。ただし、必要のない場合には、通気孔を設けないことができる。【０２１４】  側壁収納時において、折り畳み状態を保持するための係止部材１４、３２、３３を設けた。【０２１５】  係止部材１４、３２の係止手段については、例えば、固定側を回動式にした強力面ファスナー、フック式ベルト、磁石式係止部材等の適当な部材を任意に選定できる。固定側の反対側の移動側が係止部材１４ａとなり、係止部材１４ｂ又は収納止め部材１４ｂ１と接着する。また、固定側の反対側の移動側が係止部材３２ａとなり、係止部材３２ｂ又は収納止め部材３２ｂ１と接着する。【０２１６】  係止部材３３の係止手段については、適当な任意の部材を選定することができる。この場合、逆に３３ｂを３３ａ側に装着し固定することも可能とする。【０２１７】  ベビーベッド等の固定長辺側壁外壁上部又は一体長辺側壁外壁上部と拡張床板部底部上部とを係止している係止部材の係止解除後に、解除した係止部材の移動側を収納するための係止部材収納止め部を拡張床板部底部に備えた。この場合、係止部材収納止め部の形態、部材等については、任意に適当なものを選定できる。【０２１８】  ベビーベッド等を別の同型のベビーベッド等と接続する脱着式接続部材は、任意に適当な部材を選定できる。【０２１９】  収納・移動方式は、コンパクトな立ちスタンド式である。【０２２０】  ベビーベッド等の使用時及び収納時の移動のため床下部に脱着式キャスター１５、３４を設けた。キャスターの一部は、ストップ機能付きを設けた。このキャスターについては、立ちスタンド式収納時において、立ちスタンドが転倒の危険のないよう、必要に応じて、固定床板部底部に備えたキャスターの位置が調整できる伸縮式キャスターを備え付けることができる。また、キャスターが必要のない場合には、設けないことができる。さらに、このキャスターは、形成する本考案の形態に応じて、適当な任意のものを選定できる。【０２２１】  ベビーベッドに専用縦折れ式マットレス１６を、また、二段式ベビーベッドの二段目に専用縦折れ式マットレス３５を備えることができる。【０２２２】  ペットサークル及びペットケージには、床板部上に専用トレーを備えることができる。【０２２３】  収納ボックスを除き、搬送用収納バッグを備えることができる。【０２２４】  ペットケージ及び収納ボックスについては、上蓋部を設けることができる。ペットケージを形成する場合は、上蓋部を天面柵扉部とする。ただし、天面柵扉部とする必要がない場合には、上蓋部のままで形成することができる。また、収納ボックスの形態についても、必要に応じて、上蓋部を天面柵扉部として、側壁部を側柵部として形成することも可能とする。【０２２５】  前部上蓋及び後部上蓋用取っ手及び一体式上蓋用取っ手の形態は、任意の適当なものを選定することができる。例えば、取り出し又は回転取っ手等を備えることができる。【０２２６】  前部上蓋縁部と後部上蓋縁部又は一体式上蓋縁部と前部長辺側壁上部縁部とをロックする脱着式固定部材の形態は、任意の適当なものを選定することができる。【０２２７】  側壁収納時に、前部上蓋外壁と前部長辺側壁外壁及び後部上蓋外壁と固定長辺側壁外壁とを、また、二段目の前部上蓋外壁と前部長辺側壁外壁及び後部上蓋外壁と一体式長辺側壁外壁とを、また、一体式上蓋外壁と一体式固定長辺側壁外壁とを固定する脱着式固定部材は、必要に応じて設けるものとする。その場合、脱着式固定部材の形態は、任意の適当なものを選定するものとする。例えば、強力面ファスナー、凹凸式固定部材、磁石式固定部材等を選定する。【０２２８】  ペットケージ及び収納ボックスを形成する段数の設定については、必要に応じて、任意に選定することができる。【０２２９】  収納ボックスの大きさについても、収納物品の形態に応じて任意に設定できる。【０２３０】  ペットサークル、ペットケージ及び二段式ペットケージの一段目又は二段目のペットケージの前部長辺側壁にペットの出入り口扉を設けることができる。この出入��口扉の形態、開閉方式及び部材については、任意に適当なものを選定することができる。【０２３１】  二段ペットケージの一段目又は二段目に小物専用収納スペースを設けることができる。この小物専用収納スペース取り出し口３０の目隠しをする手段については、片開き扉、両開き扉、上下開閉扉、スライド式扉、引き戸式扉等を設けることができる。また、この扉の開閉方式と部材等については、任意の適当なものを選定することができる。【０２３２】  前部長辺側壁上部縁部と前部上蓋縁部及び固定長辺側壁上部縁部又は一体式固定長辺側壁上部縁部と後部上蓋縁部とを連結する両開き可能な回転式連結部材４０については、このほかに、上蓋ができる手段及び部材を任意に選定することができる。例えば、心棒式回転蓋等を選定することができる。【０２３３】  二段ペットケージ及び二段収納ボックスを形成する場合には、前部上蓋と後部上蓋とが一体になった一体式上蓋の形態を設けることができるものとする。この場合、この一体式上蓋は、一体式固定長辺側壁上部縁部と一体式上蓋縁部とを両開き可能な回転式連結部材により連結するものとする。この両開き可能な回転式連結部材４０については、このほかに、上蓋ができる手段及び部材を任意に選定することができる。【０２３４】  以上、本考案の実施の形態及び実施例を説明したが、本考案の範囲は、これに限定されるものではない。本考案において使用する天面柵扉、上蓋、側壁、側柵、床板等の材料は、木材に限られるものではなく、例えば、合板、化粧合板、プラスチック、合成樹脂、アルミ、ステンレス、スチール、メタル、鋼材、鉄材等で、本考案を形成する上で強度が保てる安全な材料が使用できるとともに、本考案の形状、デザイン、大きさ、重さ等についても任意に選定することができる。また、室内用と屋外用の用途に応じて、適当な任意の材料及び部材を選定するものとする。
また、上記の本考案において使用する各種部材の材料等についても、金属に限られるものではなく、例えば、プラスチック、合成樹脂、布地等で、本考案を形成する上で、使い易い、また、強度が保てる安全で適当な任意の材質のものが利用でき、また、形状、大きさ、構造、機能性等についても任意に選定することができる。
搬送用収納バッグについても、丈夫な材料で機能的な形態のものを備えるものとする。その形態については、本考案に備えたキャスターが利用できる形態を選定することができる。
【図面の簡単な説明】
【０２３５】
【図１】本考案のベビーベッドのセット前の側面図（Ａ）である。（（Ａ）は小物入れを前部長辺側壁の格子窓両横に装着したまま収納した場合を示す。）（次へのセット順は、同じアルファベッド記号の図面に進む。次の図２以下についても同じ。）
【図２】本考案のベビーベッドのセット前の側面図（Ｂ）である。（（Ｂ）は小物入れを取り外し、固定床板部上に横置きに収納した後、その上に専用縦折れ式マットレスを合わせて収納した場合を示す。）
【図３】本考案のベビーベッドのセット前の斜視図（Ａ）である。
【図４】本考案のベビーベッドのセット前の斜視図（Ｂ）である。
【図５】本考案のベビーベッドのセット途中の斜視図（Ａ）である。
【図６】本考案のベビーベッドのセット途中の斜視図（Ｂ）である。
【図７】本考案のベビーベッドのセット途中の斜視図（Ａ）（Ｂ）である。
【図８】本考案のベビーベッドのセット完了後の斜視図（Ａ）（Ｂ）である。
【図９】本考案の中折れ部の一方を両開きした状態及び各側壁の縦縁部に施した指詰め防止カット状態を示す斜視図（Ａ）（Ｂ）である。
【図１０】本考案の二段ベビーベッドのセット前の側面図である。
【図１１】本考案の二段ベビーベッドのセット前の斜視図である。
【図１２】本考案の二段ベビーベッドのセット途中の斜視図である。
【図１３】本考案の二段ベビーベッドのセット途中の斜視図である。
【図１４】本考案の二段ベビーベッドのセット途中の斜視図である。
【図１５】本考案の二段ベビーベッドのセット途中の斜視図である。
【図１６】本考案の二段ベビーベッドのセット途中の斜視図である。
【図１７】本考案の二段ベビーベッドのセット途中の斜視図である。
【図１８】本考案の二段ベビーベッドのセット完了後の斜視図である。
【図１９】本考案の二段ベビーベッドの二段目の中折れ部の一方を両開きした状態及び各側壁の縦縁部に施した指詰め防止カット状態を示す斜視図である。
【図２０】本考案の収納ボックスのセット完了後の斜視図である。
【図２１】本考案の二段収納ボックスのセット完了後の斜視図である。
【図２２】本考案の両開き天面柵扉ペットケージ又は両開き上蓋付き収納ボックスのセット前の側面図である。
【図２３】本考案の両開き上蓋付き収納ボックスのセット完了後の斜視図である。
【図２４】本考案の両開き天面柵扉付き二段ペットケージ又は両開き上蓋付き二段収納ボックスのセット前の側面図である。
【図２５】本考案の両開き上蓋付き二段収納ボックスのセット完了後の斜視図である。
【図２６】本考案のペットサークルのセット完了後の斜視図である。
【図２７】本考案の二段ペットケージ（一段目が小物専用収納スペース）のセット完了後の斜視図である。
【図２８】本考案の二段ペットケージ（一、二段目ともペット入れ）のセット完了後の斜視図である。
【図２９】本考案の二段ペットケージ（一、二段目ともペット入れ）の一、二段目の中折れ部の一方を両開きした状態の斜視図である。
【図３０】本考案の両開き上蓋付きペットケージのセット完了後の斜視図である。
【図３１】本考案の両開き上蓋付き二段ペットケージ（一段目が小物専用収納スペース）のセット完了後の斜視図である。
【図３２】本考案の両開き上蓋付き二段ペットケージ（二段目が小物専用収納スペース）のセット完了後の斜視図である。
【図３３】本考案の両開き上蓋付き二段ペットケージ（一、二段目ともペット入れ）のセット完了後の斜視図である。
【図３４】本考案の片開き天面柵扉付き二段ペットケージ又は片開き上蓋付き二段収納ボックスのセット前の側面図である。
【図３５】本考案の片開き天面柵扉付き二段ペットケージ（一、二段目ともペット入れ）のセット完了後の斜視図である。
【符号の説明】
【０２３６】１                  固定長辺側壁
２                  前部長辺側壁
３ａ、３ｃ          左側の中折れ部短辺側壁
３ｂ、３ｄ          右側の中折れ部短辺側壁
４                  固定床板部
５                  拡張床板部
６                  回転連結部材
７ａ、７ｂ          中折れ部を両開きした状態の開閉可能な回転連結部材
７                  中折れ部を閉じた状態の開閉可能な回転連結部材
８                  回転弾性連結部材
９ａ、９ｂ          装着前の脱着式固定部材
９                  装着後の脱着式固定部材
１０ａ、１０ｂ      装着前の脱着式固定部材
１０                装着後の脱着式固定部材
１１                格子窓
１２                ガイド用取っ手
１３                小物入れ
１４ａ、１４ｂ      係止前の係止部材（部材１４ａは図示せず。）
１４                係止後の係止部材
１４ｂ１            係止解除後に、係止部材１４ａの移動側を収納固定する収納止め部材
１５                キャスター
１６                専用縦折れ式マットレス
１７                一体式固定長辺側壁
１８ａ、１８ｂ      前部長辺側壁
１９ａ、１９ｃ      左側の二段目中折れ式短辺側壁
１９ｂ、１９ｄ      右側の二段目中折れ式短辺側壁
１９ａ１、１９ｃ１  左側の一段目中折れ式短辺側壁
１９ｂ１、１９ｄ１  右側の一段目中折れ式短辺側壁
２０ａ、２０ｂ      固定床板部
２１ａ、２１ｂ      拡張床板部
２２                回転式連結部材
２３                中折れ部の回転式連結部材
２４ａ、２４ｂ      中折れ部を両開きした状態の開閉可能な回転式連結部材
２４                中折れ部を閉じた状態の開閉可能な回転連結部材
２５                回転式弾性連結部材
２６ａ、２６ｂ      装着前の突起ピン式固定部材
２６                装着後の突起ピン式固定部材（部材２６は図示せず。）
２７ａ、２７ｂ      装着前の脱着式固定部材
２７                装着後の脱着式固定部材
２８ａ、２８ｂ      装着前の脱着式固定部材
２８                装着後の脱着式固定部材
３０                小物取り出し口
３１ａ、３１ｂ      ガイド用取っ手
３２ａ、３２ｂ      係止前の係止部材
３２                係止後の係止部材
３２ｂ１            係止解除後に、係止部材３２ａの移動側を収納固定する収納止め部
３３ａ、３３ｂ      係止前の係止部材
３３                係止後の係止部材
３４                キャスター
３５                専用縦折れ式マットレス
３６                前部上蓋の裏側上部に設けたガイド用取っ手
３７ａ              前部上蓋
３７ｂ              後部上蓋
３８ａ              前部上蓋用取っ手（図２２、２４には図示せず。）
３８ｂ              後部上蓋用取っ手（図２２、２４には図示せず。）
３９ａ              前部上蓋のロック前の脱着式固定部材（部材４４と共通図）
３９ｂ              後部上蓋のロック前の脱着式固定部材（部材４４と共通図）
３９                前部上蓋と後部上蓋とをロックした脱着式固定部材
４０                両開き可能な回転式連結部材
４１                一体式上蓋
４２                一体式上蓋用取っ手（部材４４と共通図）
４３ａ、４３ｂ      ロック前の脱着式固定部材（一体式上蓋前縁部と前部長辺側壁上部縁部とをロックする。）
４３                ロック後の脱着式固定部材
４４ａ、４４ｂ      装着前の脱着式固定部材（この部材は図示せず。）
４４                装着後の脱着式固定部材（部材３９ａ、３９ｂ、４２と共通図）
側壁収納時に、前部上蓋外壁と前部長辺側壁外壁及び後部上蓋外壁と固定長辺側壁外壁とを、また、二段目の前部上蓋外壁と前部長辺側壁外壁及び二段目の後部上蓋外壁と一体式固定長辺側壁外壁とを、また、一体式上蓋外壁と一体式固定長辺側壁外壁とを固定する。
【手続補正書】
【提出日】平成18年5月12日(2006.5.12)
【手続補正１】
【補正対象書類名】実用新案登録請求の範囲
【補正対象項目名】全文
【補正方法】変更
【補正の内容】
【実用新案登録請求の範囲】
【請求項１】
・中折れ式側壁を含む４面からなる側壁部
・固定床板部と拡張床板部からなる床板部
・側壁と側壁又は固定床板部と拡張床板部とを回転可能に連結する連結手段
・側壁部に床板部を固定する固定手段
からなるワンタッチ折り畳み式ベビーベッド兼ベビーサークル。
【請求項２】
側壁部が
・固定長辺側壁
・前部長辺側壁
・中折れ式短辺側壁
からなる請求項１記載のワンタッチ折り畳み式ベビーベッド兼ベビーサークル。
【請求項３】
床板部が
・側壁を格納する固定床板部
・格納された側壁を前方開口縁部側に拡張し、その拡張完了後に、側壁として形成するための基礎部の役割を持ち、上記の固定床板部とともにベビーベッドの床板となる拡張床板部からなる請求項１記載のワンタッチ折り畳み式ベビーベッド兼ベビーサークル。
【請求項４】
連結手段が
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項１記載のワンタッチ折り畳み式ベビーベッド兼ベビーサークル。
【請求項５】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項１記載のワンタッチ折り畳み式ベビーベッド兼ベビーサークル。
【請求項６】
固定床板部と回転式弾性連結部材により連結され、折り畳まれた状態で収納されている拡張床板部を拡開した後、固定床板部上に固定された固定長辺側壁の左右両端と他方の拡張時に前方開口縁部側へ、移動可能な前部長辺側壁の左右両端との間に、開閉可能な回転式連結部材により、両長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、また、中折れ式短辺側壁外壁下部に拡張床板部側部横縁部を脱着式固定部材により装着し固定することにより、形成されることを特徴とする請求項１記載のワンタッチ折り畳み式ベビーベッド兼ベビーサークル。
【請求項７】
固定長辺側壁及び前部長辺側壁にのみ、ベビーベッド内の乳幼児の様子を見る覗き窓としての役割を持つ、格子窓を設けたことを特徴とする請求項１又は２記載のワンタッチ折り畳み式ベビーベッド兼ベビーサークル。
【請求項８】
固定床板部上に格納されている側壁を容易にかつ安全に、前方開口縁部側に拡張するため、並びにベビーベッドの側壁収納時に、既に拡張している側壁を容易にかつ安全に、固定床板部上に格納するため、開口縁部側に移動可能な前部長辺側壁外壁上部に、ガイド用取っ手を備えたとともに、必要に応じて、前部長辺側壁下部縁部に滑り部材を、床板部上に埋め込み式レールを備え付けることができることを特徴とする請求項１又は２記載のワンタッチ折り畳み式ベビーベッド兼ベビーサークル。
【請求項９】
前部長辺側壁の格子窓の両側に、脱着可能な小物入れを設けたことを特徴とする請求項１又は２記載のワンタッチ折り畳み式ベビーベッド兼ベビーサークル。
【請求項１０】
前項の小物入れの内、薄型ティシュペーパー箱を前後に２箱入れることが可能なティシュペーパー専用の小物入れに、予備のティシュペーパー箱を使用中のティシュペーパー箱の後ろ側に入れた状態で、前にある使用中のティシュペーパー箱本体を小物入れから取り出す際に、既に箱から出ているティシュペーパーが破れないようにするために、小物入れのティシュペーパー取り出し口上部をカットしていることを特徴とする請求項１又は９記載のワンタッチ折り畳み式ベビーベッド兼ベビーサークル。
【請求項１１】
中折れ式短辺側壁の中折れ部を中折れ式にするための回転式連結部材は、乳幼児のオムツを取り替える際に、中折れ式短辺側壁の中折れ部を固定長辺側壁及び前部長辺側壁の外側に、両開きできる開閉機能を併せて持つことを特徴とする請求項１、２又は４記載のワンタッチ折り畳み式ベビーベッド兼ベビーサークル。
【請求項１２】
乳幼児のオムツを取り替える際に、中折れ式短辺側壁の中折れ部を、固定長辺側壁及び前部長辺側壁の外側に、両開きするときの角度がより大きくなるよう、長辺側壁と中折れ式短辺側壁とを連結する縦縁部に、それぞれカットを施したことを特徴とする請求項１又は２記載のワンタッチ折り畳み式ベビーベッド兼ベビーサークル。
【請求項１３】
前項の長辺側壁と中折れ式短辺側壁とを連結する縦縁部のカットは、併せて指詰め防止にも役立つことを特徴とする請求項１又は２記載のワンタッチ折り畳み式ベビーベッド兼ベビーサークル。
【請求項１４】
中折れ式短辺側壁内側の中折れ部の縦縁部についても指詰め防止のため、それぞれカットを施したことを特徴とする請求項１又は２記載のワンタッチ折り畳み式ベビーベッド兼ベビーサークル。
【請求項１５】
中折れ式短辺側壁外壁下部に、拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする請求項１、２又は５記載のワンタッチ折り畳み式ベビーベッド兼ベビーサークル。
【請求項１６】
中折れ式短辺側壁外壁下部に、拡張床板部側部横縁部を固定する場合の脱着式固定部材の取り付け位置は、乳幼児のオムツを取り替える際に、中折れ式短辺側壁の中折れ部を固定長辺側壁及び前部長辺側壁の外側に両開きするときに、中折れ部の開閉が支障なくできる位置に取り付けたことを特徴とする請求項１、２又は５記載のワンタッチ折り畳み式ベビーベッド兼ベビーサークル。
【請求項１７】
このベビーベッドの収納・移動方式は、狭い場所でも立てたまま、収納移動ができる立ちスタンド式であることを特徴とする請求項１記載のワンタッチ折り畳み式ベビーベッド兼ベビーサークル。
【請求項１８】
このベビーベッドの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項１又は２記載のワンタッチ折り畳み式ベビーベッド兼ベビーサークル。
【請求項１９】
固定床板部と拡張床板部には、通気性を保つため、通気孔を設けたことを特徴とする請求項１又は３記載のワンタッチ折り畳み式ベビーベッド兼ベビーサークル。
【請求項２０】
固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて拡張床板部を収納のため折り畳んだとき、この拡張床板部がスローアップすることで、既に固定床板部上に格納されている側壁等が格納位置側に押し込められることにより、側壁が不用意に開いたり、拡張床板部が倒れたりすることを防止できることを特徴とする請求項１、２、３又は４記載のワンタッチ折り畳み式ベビーベッド兼ベビーサークル。
【請求項２１】
このベビーベッドの側壁を格納位置に収納したときの側壁の高さと、折り畳まれたときの拡張床板部の高さとが同じであることを特徴とする請求項１又は２記載のワンタッチ折り畳み式ベビーベッド兼ベビーサークル。
【請求項２２】
このベビーベッドの側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを係止する係止部材を備えていることを特徴とする請求項１、２又は３記載のワンタッチ折り畳み式ベビーベッド兼ベビーサークル。
【請求項２３】
前項により、係止している移動式係止部材の係止解除後に、移動する側の係止部材を収納するための係止部材収納止め部を拡張床板部底部に備えたことを特徴とする請求項１又は３記載のワンタッチ折り畳み式ベビーベッド兼ベビーサークル。
【請求項２４】
このベビーベッドの床下部に、使用時の際の移動、また、不使用時の際の収納移動のため、一部ストップ機能付き脱着式キャスターを備えたことを特徴とする請求項１記載のワンタッチ折り畳み式ベビーベッド兼ベビーサークル。
【請求項２５】
固定床板部の高さの位置で、固定長辺側壁外壁部又は固定床板部両縁部に、別の同型のワンタッチ折り畳み式ベビーベッド兼ベビーサークルと接続するための、脱着式接続部材を備え付けることができることを特徴とする請求項１、２又は３記載のワンタッチ折り畳み式ベビーベッド兼ベビーサークル。
【請求項２６】
このベビーベッドは、立ちスタンド式収納時において、脱着可能な小物入れを前部長辺側壁の両側に装着したまま、固定床板部上に収納できることを特徴とする請求項１、２又は９記載ワンタッチ折り畳み式ベビーベッド兼ベビーサークル。
【請求項２７】
このベビーベッドは、専用縦折れ式マットレス及び搬送用収納バッグを備えることができることを特徴とする請求項１記載のワンタッチ折り畳み式ベビーベッド兼ベビーサークル。
【請求項２８】
このベビーベッドは、立ちスタンド式収納時において、固定床板部に格納された側壁と拡張床板部の間に、前部長辺側壁の両側に装着した脱着式小物入れを取り外し、横向きに収納した後、更に、その上に、専用縦折れ式マットレスを折り畳んで収納できることを特徴とする請求項１、２、３又は９記載のワンタッチ折り畳み式ベビーベッド兼ベビーサークル。
【請求項２９】
使用しなくなったベビーベッドは、収納ボックス等としても利用することができることを特徴とする請求項１記載のワンタッチ折り畳み式ベビーベッド兼ベビーサークル。
【請求項３０】
・中折れ式側壁を含む４面からなる側壁部
・固定床板部と拡張床板部からなる床板部
・側壁と側壁又は固定床板部と拡張床板部とを回転可能に連結する連結手段
・側壁部に床板部を固定する固定手段
からなるワンタッチ折り畳み式二段ベビーベッド。
【請求項３１】
側壁部が一段目と二段目とも
・一体式固定長辺側壁
・前部長辺側壁
・中折れ式短辺側壁
からなる請求項３０記載のワンタッチ折り畳み式二段ベビーベッド。
【請求項３２】
床板部が一段目と二段目とも
・側壁を格納する固定床板部
・格納された側壁を前方開口縁部側に拡張し、その拡張完了後に、側壁として形成するための基礎部の役割を持ち、上記の固定床板部とともにベビーベッドの床板となる拡張床板部
からなる請求項３０記載のワンタッチ折り畳み式二段ベビーベッド。
【請求項３３】
連結手段が
・長辺側壁と中折れ式短辺側壁とを連結する回転式連結部材
・一段目の中折れ式短辺側壁の中折れ部を連結する回転式連結部材
・二段目の中折れ式短辺側壁の中折れ部を連結する開閉可能な回転式連結部材
・固定床板部と拡張床板部とを連結する回転式弾性連結部材
からなる請求項３０記載のワンタッチ折り畳み式二段ベビーベッド。
【請求項３４】
固定手段が
・一体式固定長辺側壁と一段目と二段目の固定床板部とを固定する固定部材
・一段目の中折れ式短辺側壁及び前部長辺側壁の上部縁部と二段目の拡張床板部底部の左右縁部及び前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
からなる請求項３０記載のワンタッチ折り畳み式二段ベビーベッド。
【請求項３５】
一段目と二段目を有するワンタッチ折り畳み式二段ベビーベッドにおいて、一段目については、固定床板部と回転式弾性連結部材により連結され、折り畳まれた状態で収納されている拡張床板部を拡開した後、固定床板部上に固定された一体式固定長辺側壁の左右両端と他方の拡張時に前方開口縁部側へ、移動可能な前部長辺側壁の左右両端との間に、回転式連結部材により、また、二段目については、一段目の中折れ式短辺側壁及び前部長辺側壁の上部縁部と二段目の拡張床板部底部の左右縁部と前縁部とを突起ピン式固定部材により接合固定した後、固定床板部に固定された一体式固定長辺側壁の左右両端と他方の拡張時に前方開口縁部側へ、移動可能な前部長辺側壁の左右両端との間に、開閉可能な回転式連結部材により、一段目と二段目とも、長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、また、中折れ式短辺側壁外壁下部に拡張床板部側部横縁部を脱着式固定部材により装着し固定することにより、一段目は、小物専用収納スペースとして、二段目はベビーベッドとして形成されることを特徴とする請求項３０記載のワンタッチ折り畳み式二段ベビーベッド。
【請求項３６】
二段目の一体式固定長辺側壁及び前部長辺側壁にのみ、ベビーベッド内の乳幼児の様子を見る覗き窓としての役割を持つ、格子窓を設けたことを特徴とする請求項３０又は３１記載のワンタッチ折り畳み式二段ベビーベッド。
【請求項３７】
一段目の拡張後の前部長辺側壁を、小物取り出し口として使用するため、この側壁を開口し、この開口部に必要に応じて目隠しを設けることができることを特徴とする請求項３０又は３１記載のワンタッチ折り畳み式二段ベビーベッド。
【請求項３８】
固定床板部上に格納されている側壁を容易にかつ安全に、前方開口縁部側に拡張するため並びに側壁収納時に、既に拡張している側壁を容易にかつ安全に、固定床板部上に収納するため、一段目と二段目の開口縁部側に移動可能な前部長辺側壁外壁上部に、ガイド用取っ手を備えたとともに、必要に応じて、一段目と二段目の前部長辺側壁下部縁部に滑り部材を、当該床板部上に埋め込み式レールを備え付けることができることを特徴とする請求項３０又は３１記載のワンタッチ折り畳み式二段ベビーベッド。
【請求項３９】
短辺側壁中折れ部を中折れ式にするための回転式連結部材は、二段目については、乳幼児のオムツを取り替える際に、中折れ式短辺側壁の中折れ部を一体式固定長辺側壁及び前部長辺側壁の外側に、両開きできる開閉機能を併せて持つことを特徴とする請求項３０、３１又は３３記載のワンタッチ折り畳み式二段ベビーベッド。
【請求項４０】
乳幼児のオムツを取り替える際に、二段目の中折れ式短辺側壁の中折れ部を、一体式固定長辺側壁及び前部長辺側壁の外側に、両開きするときの角度がより大きくなるよう、長辺側壁と中折れ式短辺側壁とを連結する縦縁部にそれぞれカットを施したことを特徴とする請求項３０又は３１記載のワンタッチ折り畳み式二段ベビーベッド。
【請求項４１】
前項の長辺側壁と中折れ式短辺側壁とを連結する縦縁部のカットは、併せて指詰め防止にも役立つことを特徴とする請求項３０又は３１記載のワンタッチ折り畳み式二段ベビーベッド。
【請求項４２】
二段目の中折れ式短辺側壁内側の中折れ部の縦縁部についても、指詰め防止のため、それぞれカットを施したことを特徴とする請求項３０又は３１記載のワンタッチ折り畳み式二段ベビーベッド。
【請求項４３】
一段目の側壁が開口縁部側に拡張された状態で、この一段目の中折れ式短辺側壁及び前部長辺側壁の上部縁部と二段目の拡張床板部底部の左右縁部及び前縁部とを突起ピン式固定部材により接合固定することで、より安全性を備えたことを特徴とする請求項３０又は３１記載のワンタッチ折り畳み式二段ベビーベッド。
【請求項４４】
中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする請求項３０、３１又は３４記載のワンタッチ折り畳み式二段ベビーベッド。
【請求項４５】
二段目の中折れ式短辺側壁外壁下部に拡張床板部側部横縁部を固定する場合の脱着式固定部材の取り付け位置は、乳幼児のオムツを取り替える際に、中折れ式短辺側壁の中折れ部を、一体式固定長辺側壁及び前部長辺側壁の外側に両開きするとき、中折れ部の開閉が支障なくできる位置に取り付けたことを特徴とする請求項３０、３１又は３４記載のワンタッチ折り畳み式二段ベビーベッド。
【請求項４６】
このベビーベッドの収納・移動方式は、狭い場所でも、立てたまま、収納移動ができる立ちスタンド式であることを特徴とする請求項３０記載のワンタッチ折り畳み式二段ベビーベッド。
【請求項４７】
このベビーベッドの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項３０、３１又は３２記載のワンタッチ折り畳み式二段ベビーベッド。
【請求項４８】
一段目と二段目の固定床板部と拡張床板部に、通気性を保つため、通気孔を設けたことを特徴とする請求項３０又は３２記載のワンタッチ折り畳み式二段ベビーベッド。
【請求項４９】
固定床板部と拡張床板部とを連結する回転式弾性連結部材は、拡張床板部の拡開及び収納時に、危険防止のため、回転式弾性連結部材の弾力により、拡張床板部をスローダウン、スローアップできる機能を持つとともに、併せて、拡張床板部を収納のため折り畳んだとき、この拡張床板部がスローアップすることで、既に固定床板部上に格納されている側壁等が、格納位置側に押し込められることにより、側壁が不用意に開いたり、拡張床板部が倒れたりすることを防止できることを特徴とする請求項３０、３１、３２又は３３記載のワンタッチ折り畳み式二段ベビーベッド。
【請求項５０】
このベビーベッドの一段目と二段目の側壁を、同段の固定床板部の格納位置に収納したときの側壁の高さと、折り畳まれたときの拡張床板部の高さとが、同じであることを特徴とする請求項３０、３１又は３２記載のワンタッチ折り畳み式二段ベビーベッド。
【請求項５１】
このベビーベッドの側壁及び拡張床板部を固定床板部上に格納した際に、これら折り畳まれた側壁及び拡張床板部が不用意に開いたり、倒れたりすることがないようにその折り畳み状態を保持するため、二段目のベビーベッドの一体式固定長辺側壁外壁上部と拡張床板部底部上部とを、また、一段目の拡張床板部底部上部と二段目の拡張床板部連結側底部縁部とを係止するための係止部材を備えていることを特徴とする請求項３０、３１又は３２記載のワンタッチ折り畳み式二段ベビーベッド。
【請求項５２】
前項により、一段目の拡張床板部底部上部と二段目の拡張床板部連結側底部縁部とを係止するための係止部材を除き、それぞれ係止している移動式係止部材の係止解除後に、移動する側の係止部材を収納するための係止部材収納止め部を当該拡張床板部底部に備えたことを特徴とする請求項３０又は３２記載のワンタッチ折り畳み式二段ベビーベッド。
【請求項５３】
一段目の床下部に、使用時の際の移動、また、不使用時の際の収納移動のため、一部ストップ機能付き脱着式キャスターを備えたことを特徴とする請求項３０記載のワンタッチ折り畳み式二段ベビーベッド。
【請求項５４】
一段目と二段目の固定床板部の高さの位置で、一体式長辺側壁外壁部又は固定床板部両縁部に、別の同型のワンタッチ折り畳み式二段ベビーベッドと接続するための脱着式接続部材を備え付けることができることを特徴とする請求項３０、３１又は３２記載のワンタッチ折り畳み式二段ベビーベッド。
【請求項５５】
このベビーベッドには、専用縦折れ式マットレス及び搬送用収納バッグを備えることができることを特徴とする請求項３０記載のワンタッチ折り畳み式二段ベビーベッド。
【請求項５６】
このベビーベッドは、立ちスタンド式収納時において、二段目の固定床板部に格納された側壁と拡張床板部の間に、専用縦折れ式マットレスを折り畳んで収納できることを特徴とする請求項３０、３１又は３２記載のワンタッチ折り畳み式二段ベビーベッド。
【請求項５７】
使用しなくなったベビーベッドは、収納ボックス等としても利用できることを特徴とする請求項３０記載のワンタッチ折り畳み式二段ベビーベッド。
【請求項５８】
・中折れ式側柵を含む４面からなる側柵部
・固定床板部と拡張床板部からなる床板部
・側柵と側柵及び固定床板部と拡張床板部とを回転可能に連結する連結手段
・側柵部に床板部を固定する固定手段
からなるワンタッチ折り畳み式ペットサークル。
【請求項５９】
側柵部が
・固定長辺側柵
・前部長辺側柵
・中折れ式短辺側柵
からなる請求項５８記載のワンタッチ折り畳み式ペットサークル。
【請求項６０】
床板部が
・側柵を格納する固定床板部
・格納された側柵を前方開口縁部側に拡張しその拡張完了後に、側柵として形成するための基礎部の役割を持ち、上記の固定床板部とともにペットサークルの床板となる拡張床板部
からなる請求項５８記載のワンタッチ折り畳み式ペットサークル。
【請求項６１】
連結手段が
・長辺側柵と中折れ式短辺側柵とを連結する回転式連結部材
・中折れ式短辺側柵の中折れ部を連結する開閉可能な回転式連結部材
・固定床板部と拡張床板部とを連結する回転式弾性連結部材
からなる請求項５８記載のワンタッチ折り畳み式ペットサークル。
【請求項６２】
固定手段が
・固定長辺側柵下部と固定床板部とを固定する固定部材
・前部長辺側柵外柵下部に拡張床板部側部前縁部を固定する脱着式固定部材
・中折れ式短辺側柵外柵下部に拡張床板部側部横縁部を固定する脱着式固定部材
からなる請求項５８記載のワンタッチ折り畳み式ペットサークル。
【請求項６３】
固定床板部と回転式弾性連結部材により連結され、折り畳まれた状態で収納されている拡張床板部を拡開した後、固定床板部上に固定された固定長辺側柵の左右両端と他方の拡張時に前方開口縁部側へ、移動可能な前部長辺側柵の左右両端との間に、開閉可能な回転式連結部材により、両長辺側柵部間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により連結された拡張床板部上をスライドさせながら、前方開口縁部側に拡張し、その拡張完了後に、前部長辺側柵外柵下部に拡張床板部側部前縁部を、また、中折れ式短辺側柵外柵下部に拡張床板部側部横縁部を脱着式固定部材により装着し固定することにより、形成されることを特徴とする請求項５８記載のワンタッチ折り畳み式ペットサークル。
【請求項６４】
固定床板部上に格納されている側柵を容易にかつ安全に、前方開口縁部側に拡張するため、並びに側柵収納時に、既に拡張している側柵を容易にかつ安全に、固定床板部上に収納するため、開口縁部側に移動可能な前部長辺側柵の上部に、ガイド用取っ手を備えたとともに、必要に応じて、前部長辺側柵下部縁部に滑り部材を、床板部上に埋め込み式レールを、備え付けることができることを特徴とする請求項５８、５９又は６０記載のワンタッチ折り畳み式ペットサークル。
【請求項６５】
ペットサークルの前部長辺側柵にペットの出入り口扉を設けることができることを特徴とする請求項５８又は５９記載のワンタッチ折り畳み式ペットサークル。
【請求項６６】
短辺側柵中折れ部を中折れ式にするための回転式連結部材は、ペット及びトレー出し入れ等をする際に、中折れ式短辺側柵の中折れ部を固定長辺側柵及び前部長辺側柵の外側に、両開きできる開閉機能を併せて持つことを特徴とする請求項５８、５９又は６１記載のワンタッチ折り畳み式ペットサークル。
【請求項６７】
ペット及びトレーの出し入れ等をする際に、中折れ式短辺側柵の中折れ部を、固定長辺側柵及び前部長辺側柵の外側に、両開きするときの角度がより大きくなるよう長辺側柵と中折れ式短辺側柵とを連結する両縦縁部に、それぞれカットを施したことを特徴とする請求項５８又は５９記載のワンタッチ折り畳み式ペットサークル。
【請求項６８】
中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側にそれぞれ取り付けたことを特徴とする請求項５８又は６２記載のワンタッチ折り畳み式ペットサークル。
【請求項６９】
中折れ式短辺側柵外柵下部に拡張床板部側部横縁部を固定する場合の脱着式固定部材の取り付け位置は、ペット及びトレーの出し入れ等をする際に、中折れ式短辺側柵の中折れ部を固定長辺側柵及び前部長辺側柵の外側に両開きするとき、中折れ部の開閉が支障なくできる位置に取り付けたことを特徴とする請求項５８又は６２記載のワンタッチ折り畳み式ペットサークル。
【請求項７０】
このペットサークルの収納・移動方式は、狭い場所でも立てたまま、収納移動ができる立ちスタンド式であることを特徴とする請求項５８記載のワンタッチ折り畳み式ペットサークル。
【請求項７１】
このペットサークルの固定床板部の幅は、前部長辺側柵及び中折れ式短辺側柵を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを、備え付けることができることを特徴とする請求項５８、５９又は６０記載のワンタッチ折り畳み式ペットサークル。
【請求項７２】
固定床板部と拡張床板部とを連結する回転式弾性連結部材は、拡張床板部の拡開及び収納時に、危険防止のため回転式弾性連結部材の弾力により拡張床板部をスローダウン、スローアップできる機能を持つとともに、併せて拡張床板部を収納のため折り畳んだとき、この拡張床板部がスローアップすることで、既に固定床板部上に格納されている側柵が、格納位置側に押し込められることにより、側柵が不用意に開いたり、拡張床板部が倒れたりすることを防止できることを特徴とする請求項５８、６０又は６１記載のワンタッチ折り畳み式ペットサークル。
【請求項７３】
このペットサークルの側柵を格納位置に収納したときの側柵の高さと、折り畳まれたときの拡張床板部の高さとが同じであることを特徴とする請求項５８、５９又は６０記載のワンタッチ折り畳み式ペットサークル。
【請求項７４】
このペットサークルの側柵及び拡張床板部を固定床板部上に格納した際に、これら折り畳まれた側柵及び拡張床板部が不用意に開いたり、倒れたりすることがないように、その折り畳み状態を保持するため、固定長辺側柵外柵上部と拡張床板部底部上部とを係止する係止部材を備えていることを特徴とする請求項５８、５９又は６０記載のワンタッチ折り畳み式ペットサークル。
【請求項７５】
前項により、係止している移動式係止部材の係止の解除後に、移動する側の係止部材を収納するための係止部材収納止め部を拡張床板部底部に備えたことを特徴とする請求項５８又は６０記載のワンタッチ折り畳み式ペットサークル。
【請求項７６】
このペットサークルの床下部に、使用時の際の移動、また、不使用時の際の収納移動のため、一部ストップ機能付き脱着式キャスターを備えたことを特徴とする請求項５８記載のワンタッチ折り畳み式ペットサークル。
【請求項７７】
固定床板部の高さの位置で、固定長辺側柵外柵部又は固定床板部両縁部に、別の同型のワンタッチ折り畳み式ペットサークルと接続するための脱着式接続部材を備え付けることができることを特徴とする請求項５８、５９又は６０記載のワンタッチ折り畳み式ペットサークル。
【請求項７８】
このペットサークルには、専用トレー及び搬送用収納バッグを備えることができることを特徴とする請求項５８記載のワンタッチ折り畳み式ペットサークル。
【請求項７９】
・天面柵扉の形態を持つ上蓋部
・中折れ式側柵を含む４面からなる側柵部
・固定床板部と拡張床板部からなる床板部
・側柵と側柵又は固定床板部と拡張床板部又は側柵と上蓋部とを回転可能に連結する連結手段
・側柵部に床板部を固定する固定手段
・前部上蓋と後部上蓋又は側柵部と一体式上蓋とをロックする固定手段
からなる請求項７９記載のワンタッチ折り畳み式ペットケージ。
【請求項８０】
上蓋部が、両開きの形態を持つ
・前部長辺側柵上部縁部に連結された前部上蓋
・固定長辺側柵上部縁部に連結された後部上蓋
上蓋部が、片開きする形態を持つ
・固定長辺側柵上部縁部に連結された一体式上蓋
からなる請求項７９記載のワンタッチ折り畳み式ペットケージ。
【請求項８１】
側柵部が
・固定長辺側柵
・前部長辺側柵
・中折れ式短辺側柵
からなる請求項７９記載のワンタッチ折り畳み式ペットケージ。
【請求項８２】
床板部が
・側柵を格納する固定床板部
・格納された側柵を前方開口縁部側に拡張し、その拡張完了後に、側柵として形成するための基礎部の役割を持ち、上記の固定床板部とともにペットケージの床板となる拡張床板部
からなる請求項７９記載のワンタッチ折り畳み式ペットケージ。
【請求項８３】
連結手段が
・前部長辺側柵上部縁部と前部上蓋縁部及び固定長辺側柵上部縁部と後部上蓋縁部とを連結する両開き可能な回転式連結部材
・固定長辺側柵上部縁部と一体式上蓋縁部とを連結する両開き可能な回転式連結部材
・長辺側柵と中折れ式短辺側柵とを連結する回転式連結部材
・中折れ式短辺側柵の中折れ部を連結する開閉可能な回転式連結部材
・固定床板部と拡張床板部とを連結する回転式弾性連結部材
からなる請求項７９記載のワンタッチ折り畳み式ペットケージ。
【請求項８４】
固定手段が
・固定長辺側柵下部と固定床板部とを固定する固定部材
・前部長辺側柵外柵下部に拡張床板部側部前縁部を固定する脱着式固定部材
・中折れ式短辺側柵外柵下部に拡張床板部側部横縁部を固定する脱着式固定部材
・前部上蓋縁部と後部上蓋縁部とをロックする脱着式固定部材
・固定長辺側柵上部縁部に連結された一体式上蓋縁部と前部長辺側柵上部とをロックする脱着式固定部材
・側壁収納時に、固定長辺側柵外柵と後部上蓋外柵又は前部長辺側柵外柵と前部上蓋外柵とを固定する脱着式固定部材
からなる請求項７９記載のワンタッチ折り畳み式ペットケージ。
【請求項８５】
固定床板部と回転式弾性連結部材により連結され、折り畳まれた状態で収納されている拡張床板部を拡開した後、固定床板部上に固定された固定長辺側柵の左右両端と他方の拡張時に前方開口縁部側へ、移動可能な前部長辺側柵の左右両端との間に、開閉可能な回転式連結部材により、両長辺側柵部間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により連結された拡張床板部上をスライドさせながら、前方開口縁部側に拡張し、その拡張完了後に、前部長辺側柵外柵下部に拡張床板部側部前縁部を、また、中折れ式短辺側柵外柵下部に拡張床板部側部横縁部を脱着式固定部材により装着し固定することにより、また、両開き天面柵扉付きペットケージを形成する場合は、前部上蓋縁部と後部上蓋縁部とを脱着式固定部材によりロックし固定することにより、さらに、片開き天面柵扉付きペットケージを形成する場合は、固定長辺側柵上部縁部に連結された一体式上蓋縁部と前部長辺側柵上部とを脱着式固定部材によりロックし固定することにより、形成されることを特徴とする請求項７９記載のワンタッチ折り畳み式ペットケージ。
【請求項８６】
ペットケージを形成する場合には、上蓋が、両開きの形態を持つ、両開き天面柵扉を、また、一体式上蓋で片開きの形態を持つ、片開き天面柵扉を設けることができることを特徴とする請求項７９又は８０記載のワンタッチ折り畳み式ペットケージ。
【請求項８７】
固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合には、開口縁部側に移動可能な前部長辺側柵の上部に、また、両開き天面柵扉付きペットケージを形成する場合には、前部長辺側柵上部縁部に連結された前部上蓋の裏側上部に、ガイド用取っ手を備えたとともに、必要に応じて、前部長辺側柵下部縁部に滑り部材を、床板部上に埋め込み式レールを備え付けることができることを特徴とする請求項７９、８０又は８１記載のワンタッチ折り畳み式ペットケージ。
【請求項８８】
ペットケージの前部長辺側柵に、ペットの出入り口扉を設けることができることを特徴とする請求項７９又は８１記載のワンタッチ折り畳み式ペットケージ。
【請求項８９】
短辺側柵中折れ部を中折れ式にするための回転式連結部材は、ペット及びトレーの出し入れ等をする際に、中折れ式短辺側柵の中折れ部を固定長辺側柵及び前部長辺側柵の外側に、両開きできる開閉機能を併せて持つことを特徴とする請求項７９、８１又は８３記載のワンタッチ折り畳み式ペットケージ。
【請求項９０】
ペット及びトレーの出し入れ等をする際に、中折れ式短辺側柵の中折れ部を固定長辺側柵及び前部長辺側柵の外側に、両開きするときの角度がより大きくなるよう長辺側柵と中折れ式短辺側柵とを連結する両縦縁部に、それぞれカットを施したことを特徴とする請求項７９又は８１記載のワンタッチ折り畳み式ペットケージ。
【請求項９１】
中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側に、それぞれ取り付けたことを特徴とする請求項７９、８１又は８４記載のワンタッチ折り畳み式ペットケージ。
【請求項９２】
中折れ式短辺側柵外柵下部に拡張床板部側部横縁部を固定する場合の脱着式固定部材の取り付け位置は、ペット及びトレーの出し入れ等をする際に、中折れ式短辺側柵の中折れ部を固定長辺側柵及び前部長辺側柵の外側に両開きするとき、中折れ部の開閉が支障なくできる位置に取り付けたことを特徴とする請求項７９、８１又は８４記載のワンタッチ折り畳み式ペットケージ。
【請求項９３】
このペットケージの収納・移動方式は、狭い場所でも立てたまま、収納移動ができる立ちスタンド式であることを特徴とする請求項７９記載のワンタッチ折り畳み式ペットケージ。
【請求項９４】
このペットケージの固定床板部の幅は、前部長辺側柵及び中折れ式短辺側柵部を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項７９、８１又は８２記載のワンタッチ折り畳み式ペットケージ。
【請求項９５】
固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて、拡張床板部を収納のため折り畳んだとき、この拡張床板部がスローアップすることで、既に固定床板部上に格納されている側柵が、格納位置側に押し込められることにより、側柵が不用意に開いたり、拡張床板部が倒れたりすることを防止できることを特徴とする請求項７９、８１、８２又は８３記載のワンタッチ折り畳み式ペットケージ。
【請求項９６】
このペットケージの側柵を格納位置に収納したときの側柵の高さと、折り畳まれたときの拡張床板部の高さとが同じであることを特徴とする請求項７９、８１又は８２記載のワンタッチ折り畳み式ペットケージ。
【請求項９７】
このペットケージの側柵及び拡張床板部を固定床板部上に格納した際に、これら折り畳まれた側柵及び拡張床板部が不用意に開いたり、倒れたりすることがないように、その折り畳み状態を保持するため、両開き天面柵扉付きペットケージを形成する場合には、固定長辺側柵上部縁部に連結された後部上蓋の裏側上部と拡張床板部底部上部とを、また、片開き天面柵扉付きペットケージを形成する場合は、一体式固定長辺側柵上部縁部に連結された一体式上蓋の裏側上部と拡張床板部底部上部とを係止する係止部材を備えていることを特徴とする請求項５８又は６０記載のワンタッチ折り畳み式ペットケージ。
【請求項９８】
前項により、それぞれ係止している移動式係止部材の係止の解除後に、移動する側の係止部材を収納するための係止部材収納止め部を拡張床板部底部に備えたことを特徴とする請求項７９、８１又は８２記載のワンタッチ折り畳み式ペットケージ
【請求項９９】
このペットケージの床下部に、使用時の際の移動、また、不使用時の際の収納移動のため、一部ストップ機能付き脱着式キャスターを備えたことを特徴とする請求項７９又は８２記載のワンタッチ折り畳み式ペットケージ。
【請求項１００】
固定床板部の高さの位置で、固定長辺側柵外柵部又は固定床板部両縁部に、別の同型のワンタッチ折り畳み式ペットケージと接続するための脱着式接続部材を備え付けることができることを特徴とする請求項７９、８１又は８２記載のワンタッチ折り畳み式ペットケージ。
【請求項１０１】
このペットケージには、専用トレー及び搬送用収納バッグを備えることができることを特徴とする請求項７９記載のワンタッチ折り畳み式ペットケージ。
【請求項１０２】
・天面柵扉の形態を持つ上蓋部
・中折れ式側柵を含む４面からなる側柵部
・固定床板部と拡張床板部からなる床板部
・側柵と側柵又は固定床板部と拡張床板部又は側柵と上蓋部とを回転可能に連結する連結手段
・側柵部に床板部を固定する固定手段
・前部上蓋と後部上蓋又は側柵と一体式上蓋とをロックする固定手段
からなるワンタッチ折り畳み式二段ペットケージ
【請求項１０３】
上蓋部が、両開きする形態を持つ
・前部長辺側柵上部縁部に連結された前部上蓋
・一体式固定長辺側柵上部縁部に連結された後部上蓋
上蓋部が、片開きする形態を持つ
・一体式固定長辺側柵上部縁部に連結された一体式上蓋
からなる請求項１０２記載のワンタッチ折り畳み式二段ペットケージ。
【請求項１０４】
側柵部が、一段目と二段目とも
・一体式固定長辺側柵
・前部長辺側柵
・中折れ式短辺側柵
からなる請求項１０２記載のワンタッチ折り畳み式二段ペットケージ。
【請求項１０５】
床板部が、一段目と二段目とも
・側柵を格納する固定床板部
・格納された側柵を前方開口縁部側に拡張し、その拡張完了後に、側柵として形成するための基礎部の役割を持ち、上記の固定床板部とともにペットケージの床板となる拡張床板部
からなる請求項１０２記載のワンタッチ折り畳み式二段ペットケージ。
【請求項１０６】
連結手段が
・前部長辺側柵上部縁部と前部上蓋縁部及び一体式固定長辺側柵上部縁部と後部上蓋縁部とを連結し、両開きを可能にする回転式連結部材
・一体式固定長辺側柵上部縁部と一体式上蓋縁部とを連結し、両開きを可能にする回転式連結部材
・長辺側柵と中折れ式短辺側柵とを連結する回転式連結部材
・一段目と二段目の中折れ式短辺側柵の中折れ部を連結する開閉可能な回転式連結部材
・固定床板部と拡張床板部とを連結する回転式弾性連結部材
からなる請求項１０２記載のワンタッチ折り畳み式二段ペットケージ。
【請求項１０７】
固定手段が
・一体式固定長辺側柵と一段目と二段目の固定床板部とを固定する固定部材
・一段目の前部長辺側柵上部縁部と二段目の拡張床板部底部前縁部とを接合固定する突起ピン式固定部材
・前部長辺側柵外柵下部に拡張床板部側部前縁部を固定する脱着式固定部材
・中折れ式短辺側柵外柵下部に拡張床板部側部横縁部を固定する脱着式固定部材
・前部上蓋縁部と後部上蓋縁部とをロックする脱着式固定部材
・一体式固定長辺側柵上部縁部に連結された一体式上蓋縁部と二段目の前部長辺側柵上部縁部とをロックする脱着式固定部材
・側柵収納時に、一体式固定長辺側柵外柵と後部上蓋外柵又は前部長辺側柵外柵と前部上蓋外柵又は一体式固定長辺側柵外柵と一体式上蓋外柵とを固定する脱着式固定部材
からなる請求項１０２記載のワンタッチ折り畳み式二段ペットケージ。
【請求項１０８】
一段目と二段目を有するワンタッチ折り畳み式二段ペットケージにおいて、一段目については、固定床板部と回転式弾性連結部材により連結され、折り畳まれた状態で収納されている拡張床板部を拡開した後、固定床板部上に固定された一体式固定長辺側柵の左右両端と他方の拡張時に前方開口縁部側へ、移動可能な前部長辺側柵の左右両端との間に、開閉可能な回転式連結部材により、また、二段目については、一段目の前部長辺側柵の上部縁部と二段目の拡張床板部底部の前縁部とを突起ピン式固定部材により接合固定した後、固定床板部に固定された一体式固定長辺側柵の左右両端と他方の拡張時に前方開口縁部側へ、移動可能な前部長辺側柵の左右両端との間に、開閉可能な回転式連結部材により、一段目と二段目とも、長辺側柵間の内側へ折り込み可能な中折れ式短辺側柵が連結された状態で、固定床板部上に折り畳まれて格納されている、これらの側柵を、前部長辺側柵とともに、その格納位置から固定床板部と回転式弾性連結部材により、連結された拡張床板部上をスライドさせながら前方開口縁部側に拡張し、拡張完了後に、前部長辺側柵外柵下部に拡張床板部側部前縁部を、中折れ式短辺側柵外柵下部に拡張床板部側部横縁部を脱着式固定部材により装着し固定することにより、また、両開き天面柵扉付きペットケージを形成する場合は、前部上蓋縁部と後部上蓋縁部とを、さらに、片開き天面柵扉付きペットケージを形成する場合は、一体式固定長辺側柵上部縁部に連結された一体式上蓋縁部と二段目の前部長辺側柵上部縁部とを脱着式固定部材によりロックし固定することにより、形成されることを特徴とする請求項３０記載のワンタッチ折り畳み式二段ペットケージ。
【請求項１０９】
二段ペットケージを形成する場合には、上蓋が、両開きの形態を持つ、両開き天面柵扉を、また、一体式上蓋で片開きの形態を持つ、片開き天面柵扉を設けることができることを特徴とする請求項１０３記載のワンタッチ折り畳み式二段ペットケージ。
【請求項１１０】
固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合は、開口縁部側に移動可能な前部長辺側柵の上部に、また、両開き天面柵扉付きペットケージを形成する場合は、前部長辺側柵上部縁部に連結された前部上蓋の裏側上部に、ガイド用取っ手を備えたとともに、必要に応じて、前部長辺側柵下部縁部に滑り部材を、床板部上に埋め込み式レールを備え付けることができることを特徴とする請求項１０２、１０３又は１０４記載のワンタッチ折り畳み式二段ペットケージ。
【請求項１１１】
一段目又は二段目のペットケージの前部長辺側柵にペットの出入り口扉を設けることができることを特徴とする請求項１０２又は１０４記載のワンタッチ折り畳み式二段ペットケージ。
【請求項１１２】
ペットケージの一段目又は二段目を、小物専用収納スペースとしても形成することができるものとし、この場合、拡張後の前部長辺側柵を小物取り出し口として使用するため、この側柵を開口するとともに、この開口部に必要に応じて目隠しを設けることができることを特徴とする請求項１０２又は１０４記載のワンタッチ折り畳み式二段ペットケージ。
【請求項１１３】
短辺側柵の中折れ部を中折れ式にするための回転式連結部材は、ペット及びトレーの出し入れ等の際に、中折れ式短辺側柵の中折れ部を、一体式固定長辺側柵及び前部長辺側柵の外側に、両開きできる開閉機能を、併せて持つことを特徴とする請求項１０２、１０４又は１０６記載のワンタッチ折り畳み式二段ペットケージ。
【請求項１１４】
ペット及びトレーの出し入れ等のため、中折れ式短辺側柵の中折れ部を一体式固定長辺側柵及び前部長辺側柵の外側に、両開きするときの角度がより大きくなるよう、長辺側柵と中折れ式短辺側柵とを連結する両縦縁部に、それぞれカットを施したことを特徴とする請求項１０２又は１０４記載のワンタッチ折り畳み式二段ペットケージ。
【請求項１１５】
一段目の側柵が開口縁部側に拡張された状態で、この一段目の前部長辺側柵上部縁部と二段目の拡張床板部底部前縁部とを突起ピン式固定部材により接合固定することで、より安全性を備えたことを特徴とする請求項１０２、１０４又は１０７記載のワンタッチ折り畳み式二段ペットケージ。
【請求項１１６】
中折れ式短辺側柵外柵下部に拡張床板部側部横縁部を固定する場合の脱着式固定部材の取り付け位置は、側柵をより強固に固定するため、中折れ式短辺側柵の中折れ部に近接した位置で、中折れ部下部の両側に、それぞれ取り付けたことを特徴とする請求項１０２、１０４又は１０７記載のワンタッチ折り畳み式二段ペットケージ。
【請求項１１７】
中折れ式短辺側柵外柵下部に拡張床板部側部横縁部を固定する場合の脱着式固定部材の取り付け位置は、ペット及びトレーの出し入れ等の際に、中折れ式短辺側柵の中折れ部を、一体式固定長辺側柵及び前部長辺側柵の外側に両開きするとき、中折れ部の開閉が支障なくできる位置に取り付けたことを特徴とする請求項１０２、１０４又は１０７記載のワンタッチ折り畳み式二段ペットケージ。
【請求項１１８】
このペットケージの収納・移動方式は、狭い場所でも立てたまま、収納移動ができる立ちスタンド式であることを特徴とする請求項１０２記載のワンタッチ折り畳み式二段ペットケージ。
【請求項１１９】
このペットケージの固定床板部の幅は、前部長辺側柵及び中折れ式短辺側柵を折り畳んで収納するとき、固定床板部上に十分格納できる幅を備えるとともに、立ちスタンド式収納時において、立ちスタンドが転倒の危険のないよう、必要に応じて固定床板部底部に備えたキャスターの位置が調整できる伸縮式キャスターを備え付けることができることを特徴とする請求項１０２又は１０４記載のワンタッチ折り畳み式二段ペットケージ。
【請求項１２０】
固定床板部と拡張床板部とを連結する回転式弾性連結部材は、拡張床板部の拡開及び収納時に、危険防止のため、回転式弾性連結部材の弾力により、拡張床板部をスローダウン、スローアップできる機能を持つとともに、併せて拡張床板部を収納のため折り畳んだとき、拡張床板部がスローアップすることで、既に固定床板部上に格納されている側柵が、格納位置側に押し込められることにより、側柵が不用意に開いたり拡張床板部が倒れたりすることを防止できることを特徴とする請求項１０２、１０４又は１０６記載のワンタッチ折り畳み式二段ペットケージ。
【請求項１２１】
このペットケージの一段目と二段目の側柵を、同段の固定床板部の格納位置に収納したときの側柵の高さと、折り畳まれたときの拡張床板部の高さとが同じであることを特徴とする請求項１０２、１０４又は１０５記載のワンタッチ折り畳み式二段ペットケージ。
【請求項１２２】
このペットケージの側柵及び拡張床板部を固定床板部上に格納した際に、これら折り畳まれた側柵及び拡張床板部が不用意に開いたり、倒れたりすることがないように、その折り畳み状態を保持するため、二段目の一体式固定長辺側柵外柵上部と拡張床板部底部上部とを、両開き天面柵扉付きペットケージを形成する場合は、一体式固定長辺側柵上部縁部に連結された後部上蓋の裏側上部と拡張床板部底部上部とを、また、片開き天面柵扉付きペットケージを形成する場合は、一体式固定長辺側柵上部縁部に連結された一体式上蓋の裏側上部と拡張床板部底部上部とを、さらに、一段目の拡張床板部底部上部縁部と二段目の拡張床板部連結側底部縁部とを係止するための係止部材を備えていることを特徴とする請求項１０２、１０３、１０４又は１０５記載のワンタッチ折り畳み式二段ペットケージ。
【請求項１２３】
前項により、一段目の拡張床板部底部上部縁部と二段目の拡張床板部連結側底部縁部とを係止するための係止部材を除き、それぞれ係止している移動式係止部材の係止解除後に、移動する側の係止部材を収納するための、係止部材収納止め部を拡張床板部底部に備えたことを特徴とする請求項１０２又は１０５記載のワンタッチ折り畳み式二段ペットケージ。
【請求項１２４】
一段目の床下部に、使用時の際の移動、また、不使用時の際の収納移動のため、一部ストップ機能付き脱着式キャスターを備えたことを特徴とする請求項１０２記載のワンタッチ折り畳み式二段ペットケージ。
【請求項１２５】
一段目と二段目の固定床板部の高さの位置で、一体式長辺側柵外柵部又は固定床板部両縁部に、別の同型のワンタッチ折り畳み式二段ペットケージ接続するための脱着式接続部材を備え付けることができることを特徴とする請求項１０２、１０４又は１０５記載のワンタッチ折り畳み式二段ペットケージ。
【請求項１２６】
このペットケージには、専用トレー及び搬送用収納バッグを備えることができることを特徴とする請求項１０２記載のワンタッチ折り畳み式二段ペットケージ。
【請求項１２７】
・上蓋を形成する場合の上蓋部
・中折れ式側壁を含む４面からなる側壁部
・固定床板部と拡張床板部からなる床板部
・側壁と側壁又は固定床板部と拡張床板部又は側壁と上蓋部とを回転可能に連結する連結手段
・側壁部に床板部を固定する固定手段
・前部上蓋と後部上蓋とをロックする固定手段
からなるワンタッチ折り畳み式収納ボックス。
【請求項１２８】
上蓋部が、両開きの形態を持つ
・前部長辺側壁上部縁部と連結された前部上蓋
・固定長辺側壁上部縁部と連結された後部上蓋
からなる請求項１２７記載のワンタッチ折り畳み式収納ボックス。
【請求項１２９】
側壁部が
・固定長辺側壁
・前部長辺側壁
・中折れ式短辺側壁
からなる請求項１２７記載のワンタッチ折り畳み式収納ボックス。
【請求項１３０】
床板部が
・側壁を格納する固定床板部
・格納された側壁を前方開口縁部側に拡張し、その拡張完了後に、側壁として形成するための基礎部の役割を持ち、上記の固定床板部とともに収納ボックスの床板となる拡張床板部
からなる請求項１２７記載のワンタッチ折り畳み式収納ボックス。
【請求項１３１】
連結手段が
・前部長辺側壁上部縁部と前部上蓋縁部及び固定長辺側壁上部縁部と後部上蓋縁部とを連結する両開き可能な回転式連結部材
・長辺側壁と中折れ式短辺側壁とを連結する回転式連結部材
・中折れ式短辺側壁の中折れ部を連結する開閉可能な回転式連結部材
・固定床板部と拡張床板部とを連結する回転式弾性連結部材
からなる請求項１２７記載のワンタッチ折り畳み式収納ボックス。
【請求項１３２】
固定手段が
・固定長辺側壁下部と固定床板部とを固定する固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・側壁収納時に、固定長辺側壁外壁と後部上蓋外壁又は前部長辺側壁外壁と前部上蓋外壁とを固定する脱着式固定部材
からなる請求項１２７記載のワンタッチ折り畳み式収納ボックス。
【請求項１３３】
固定床板部と回転式弾性連結部材により連結され、折り畳まれた状態で収納されている拡張床板部を拡開した後、固定床板部上に固定された固定長辺側壁の左右両端と他方の拡張時に前方開口縁部側へ、移動可能な前部長辺側壁の左右両端との間に、開閉可能な回転式連結部材により、両長辺側壁部間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により連結された拡張床板部上をスライドさせながら、前方開口縁部側に拡張し、その拡張完了後に、前部長辺側壁外壁下部に拡張床板部側部前縁部を、中折れ式短辺側壁外壁下部に拡張床板部側部横縁部を、脱着式固定部材により装着し固定するにより、また、両開き上蓋付き収納ボックスを形成する場合は、前部上蓋縁部と後部上蓋縁部とを脱着式固定部材によりロック固定することにより、形成されることを特徴とする請求項１２７記載のワンタッチ折り畳み式収納ボックス。
【請求項１３４】
収納ボックスを形成する場合には、上蓋が、両開きの形態を持つ、両開き上蓋を設けることができることを特徴とする請求項１２８記載のワンタッチ折り畳み式収納ボックス。
【請求項１３５】
固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたとともに、必要に応じて、前部長辺側壁下部縁部に滑り部材を、床板部上に埋め込み式レールを備え付けることができることを特徴とする請求項１２７、１２８又は１２９記載のワンタッチ折り畳み式収納ボックス。
【請求項１３６】
短辺側壁中折れ部を中折れ式にするための回転式連結部材は、収納物品の出し入れ等をする際に中折れ式短辺側壁の中折れ部を固定長辺側壁及び前部長辺側壁の外側に、両開きできる開閉機能を併せて持つことを特徴とする請求項１２７、１２９又は１３１記載のワンタッチ折り畳み式収納ボックス。
【請求項１３７】
収納物品の出し入れ等をする際に、中折れ式短辺側壁の中折れ部を、固定長辺側壁及び前部長辺側壁の外側に、両開きするときの角度がより大きくなるよう長辺側壁と中折れ式短辺側壁とを連結する両縦縁部に、それぞれカットを施したことを特徴とする請求項１２７又は１２９記載のワンタッチ折り畳み式収納ボックス。
【請求項１３８】
中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側にそれぞれ取り付けたことを特徴とする請求項１２７又は１３２記載のワンタッチ折り畳み式収納ボックス。
【請求項１３９】
中折れ式短辺側壁外壁下部に拡張床板部側部横縁部を固定する場合の脱着式固定部材の取り付け位置は、収納物品の出し入れ等をする際に、中折れ式短辺側壁の中折れ部を固定長辺側壁及び前部長辺側壁の外側に両開きするとき、中折れ部の開閉が支障なくできる位置に取り付けたことを特徴とする請求項１２７又は１３２記載のワンタッチ折り畳み式収納ボックス。
【請求項１４０】
この収納ボックスの収納・移動方式は、狭い場所でも立てたまま、収納移動ができる立ちスタンド式であることを特徴とする請求項１２７記載のワンタッチ折り畳み式収納ボックス。
【請求項１４１】
この収納ボックスの固定床板部の幅は、前部長辺側壁及び中折れ式短辺側壁を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを、備え付けることができることを特徴とする請求項１２７、１２９又は１３０記載のワンタッチ折り畳み式収納ボックス。
【請求項１４２】
固定床板部と拡張床板部とを連結する回転式弾性連結部材は、拡張床板部の拡開及び収納時に、危険防止のため、回転式弾性連結部材の弾力により拡張床板部をスローダウン、スローアップできる機能を持つとともに、併せて、拡張床板部を収納のため、折り畳んだとき、この拡張床板部がスローアップすることで、既に固定床板部上に格納されている側壁が、格納位置側に押し込められることにより、側壁が不用意に開いたり、拡張床板部が倒れたりすることを防止できることを特徴とする請求項１２７、１２９、１３０又は１３１記載のワンタッチ折り畳み式収納ボックス。
【請求項１４３】
この収納ボックスの側壁を格納位置に収納したときの側壁の高さと、折り畳まれたときの拡張床板部の高さとが、同じであることを特徴とする請求項１２７、１２９又は１３０記載のワンタッチ折り畳み式収納ボックス。
【請求項１４４】
この収納ボックスの側壁及び拡張床板部を固定床板部上に格納した際に、これら折り畳まれた側壁及び拡張床板部が不用意に開いたり、倒れたりすることがないように、その折り畳み状態を保持するため、固定長辺側壁外壁上部と拡張床板部底部上部とを、また、上蓋付き収納ボックスを形成する場合は、固定長辺側壁上部縁部に連結された後部上蓋裏側上部と拡張床板部底部上部とを係止する係止部材を備えていることを特徴とする請求項１２７、１２９又は１３０記載のワンタッチ折り畳み式収納ボックス。
【請求項１４５】
前項により、それぞれ係止している移動式係止部材の係止の解除後に、移動する側の係止部材を収納するための係止部材収納止め部を拡張床板部底部に備えたことを特徴とする請求項１２７又は１３０記載のワンタッチ折り畳み式収納ボックス
【請求項１４６】
この収納ボックスの床下部に、使用時の際の移動、また、不使用時の際の収納移動のため、一部ストップ機能付き脱着式キャスターを備えたことを特徴とする請求項１２７記載のワンタッチ折り畳み式収納ボックス。
【請求項１４７】
固定床板部の高さの位置で、固定長辺側壁外壁部又は固定床板部両縁部に、別の同型のワンタッチ折り畳み式収納ボックスと接続するための、脱着式接続部材を備え付けることができることを特徴とする請求項１２７、１２９又は１３０記載のワンタッチ折り畳み式収納ボックス。
【請求項１４８】
・上蓋を形成する場合の上蓋部
・中折れ式側壁を含む４面からなる側壁部
・固定床板部と拡張床板部からなる床板部
・側壁と側壁又は固定床板部と拡張床板部又は側壁と上蓋部とを回転可能に連結する連結手段
・側壁部に床板部を固定する固定手段
・前部上蓋と後部上蓋又は側壁と一体式上蓋とをロックする固定手段
からなるワンタッチ折り畳み式二段収納ボックス。
【請求項１４９】
上蓋部が、両開きする形態を持つ
・前部長辺側壁上部縁部に連結された前部上蓋
・一体式固定長辺側壁上部縁部に連結された後部上蓋
上蓋部が、片開きする形態を持つ
・一体式固定長辺側壁上部縁部に連結された一体式上蓋
からなる請求項１４８記載のワンタッチ折り畳み式二段収納ボックス。
【請求項１５０】
側壁部が、一段目と二段目とも
・一体式固定長辺側壁
・前部長辺側壁
・中折れ式短辺側壁
からなる請求項１４８記載のワンタッチ折り畳み式二段収納ボックス。
【請求項１５１】
床板部が、一段目と二段目とも
・側壁を格納する固定床板部
・格納された側壁を前方開口縁部側に拡張し、その拡張完了後に、側壁として形成するための基礎部の役割を持ち、上記の固定床板部とともに収納ボックスの床板となる拡張床板部
からなる請求項１４８記載のワンタッチ折り畳み式二段収納ボックス。
【請求項１５２】
連結手段が
・前部長辺側壁上部縁部と前部上蓋縁部及び一体式固定長辺側壁上部縁部と後部上蓋縁部とを連結し、両開きを可能にする回転式連結部材
・一体式固定長辺側壁上部縁部と一体式上蓋縁部とを連結し、両開きを可能にする回転式連結部材
・長辺側壁と中折れ式短辺側壁とを連結する回転式連結部材
・一段目と二段目の中折れ式短辺側壁の中折れ部を連結する開閉可能な回転式連結部材
・固定床板部と拡張床板部とを連結する回転式弾性連結部材
からなる請求項１４８記載のワンタッチ折り畳み式二段収納ボックス。
【請求項１５３】
固定手段が
・一体式固定長辺側壁と一段目と二段目の固定床板部とを固定する固定部材
・一段目の前部長辺側壁上部縁部と二段目の拡張床板部底部前縁部とを接合固定する突起ピン式固定部材
・前部長辺側壁外壁下部に拡張床板部側部前縁部を固定する脱着式固定部材
・中折れ式短辺側壁外壁下部に拡張床板部側部横縁部を固定する脱着式固定部材
・前部上蓋縁部と後部上蓋縁部とをロックする脱着式固定部材
・一体式固定長辺側壁上部縁部に連結された一体式上蓋縁部と二段目の前部長辺側壁外壁上部縁部とをロックする脱着式固定部材
・側壁収納時に、一体式固定長辺側壁外壁と後部上蓋外壁又は前部長辺側壁外壁と前部上蓋外壁又は一体式固定長辺側壁外壁と一体式上蓋外壁とを固定する脱着式固定部材
からなる請求項１４８記載のワンタッチ折り畳み式二段収納ボックス。
【請求項１５４】
一段目と二段目を有するワンタッチ折り畳み式二段収納ボックスにおいて、一段目については、固定床板部と回転式弾性連結部材により連結され、折り畳まれた状態で収納されている拡張床板部を拡開した後、固定床板部上に固定された一体式固定長辺側壁の左右両端と他方の拡張時に前方開口縁部側へ、移動可能な前部長辺側壁の左右両端との間に、開閉可能な回転式連結部材により、また、二段目については、一段目の前部長辺側壁の上部縁部と二段目の拡張床板部底部の前縁部とを突起ピン式固定部材により接合固定した後、固定床板部に固定された一体式固定長辺側壁の左右両端と他方の拡張時に前方開口縁部側へ、移動可能な前部長辺側壁の左右両端との間に、開閉可能な回転式連結部材により、一段目と二段目とも、長辺側壁間の内側へ折り込み可能な中折れ式短辺側壁が連結された状態で、固定床板部上に折り畳まれて格納されている、これらの側壁を、前部長辺側壁とともに、その格納位置から固定床板部と回転式弾性連結部材により、連結された拡張床板部上をスライドさせながら前方開口縁部側に拡張し、拡張完了後に、前部長辺側壁外壁下部に拡張床板部側部前縁部を、中折れ式短辺側壁外壁下部に拡張床板部側部横縁部を脱着式固定部材により装着し固定することにより、また、両開き上蓋付き収納ボックスを形成する場合は、前部上蓋縁部と後部上蓋縁部とを、さらに、片開き上蓋付き収納ボックスを形成する場合は、一体式固定長辺側壁上部縁部に連結された一体式上蓋縁部と二段目の前部長辺側壁外壁上部縁部とを脱着式固定部材によりロックし固定することにより、形成されることを特徴とする請求項１４８記載のワンタッチ折り畳み式二段収納ボックス。
【請求項１５５】
二段収納ボックスを形成する場合には、上蓋が、両開きの形態を持つ、両開き上蓋を、また、一体式上蓋で片開きの形態を持つ、片開き上蓋を設けることができることを特徴とする請求項１４９記載のワンタッチ折り畳み式二段収納ボックス。
【請求項１５６】
固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックス及び片開き上蓋付き収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたとともに、必要に応じて、前部長辺側壁下部縁部に滑り部材を、床板部上に埋め込み式レールを備え付けることができることを特徴とする請求項１４８、１４９又は１５０記載のワンタッチ折り畳み式二段収納ボックス。
【請求項１５７】
短辺側壁中折れ部を中折れ式にするための回転式連結部材は、収納物品の出し入れ等の際に、中折れ式短辺側壁の中折れ部を、一体式固定長辺側壁及び前部長辺側壁の外側に、両開きできる開閉機能を併せて持つことを特徴とする請求項１４８又は１５０記載のワンタッチ折り畳み式二段収納ボックス。
【請求項１５８】
収納物品の出し入れ等のため、中折れ式短辺側壁の中折れ部を一体式固定長辺側壁及び前部長辺側壁の外側に、両開きするときの角度がより大きくなるよう長辺側壁と中折れ式短辺側壁とを連結する両縦縁部に、それぞれカットを施したことを特徴とする請求項１４８又は１５０記載のワンタッチ折り畳み式二段収納ボックス。
【請求項１５９】
一段目の側壁が開口縁部側に拡張された状態で、この一段目の前部長辺側壁上部縁部と二段目の拡張床板部底部前縁部とを突起ピン式固定部材により、接合固定することで、より安全性を備えたことを特徴とする請求項１４８、１５０又は１５３記載のワンタッチ折り畳み式二段収納ボックス。
【請求項１６０】
中折れ式短辺側壁外壁下部に拡張床板部側部横縁部を固定する場合の脱着式固定部材の取り付け位置は、側壁をより強固に固定するため、中折れ式短辺側壁の中折れ部に近接した位置で、中折れ部下部の両側に、それぞれ取り付けたことを特徴とする請求項１４８、１５０又は１５３記載のワンタッチ折り畳み式二段収納ボックス。
【請求項１６１】
中折れ式短辺側壁外壁下部に拡張床板部側部横縁部を固定する場合の脱着式固定部材の取り付け位置は、収納物品の出し入れ等の際に、中折れ式短辺側壁の中折れ部を、一体式固定長辺側壁及び前部長辺側壁の外側に両開きするとき、中折れ部の開閉が支障なくできる位置に取り付けたことを特徴とする請求項１４８、１５０又は１５３記載のワンタッチ折り畳み式二段収納ボックス。
【請求項１６２】
この収納ボックスの収納・移動方式は、狭い場所でも立てたまま収納移動ができる立ちスタンド式であることを特徴とする請求項１４８記載のワンタッチ折り畳み式二段収納ボックス。
【請求項１６３】
この収納ボックスの固定床板部の幅は、前部長辺側壁及び中折れ式短辺側壁板部を折り畳んで収納するとき、固定床板部上に十分格納できる幅を備えるとともに、立ちスタンド式収納時において、立ちスタンドが転倒の危険のないよう、必要に応じて、固定床板部底部に備えたキャスターの位置が調整できる伸縮式キャスターを備え付けることができることを特徴とする請求項１４８、１５０又は１５１記載のワンタッチ折り畳み式二段収納ボックス。
【請求項１６４】
固定床板部と拡張床板部とを連結する回転式弾性連結部材は、拡張床板部の拡開及び収納時に、危険防止のため回転式弾性連結部材の弾力により、拡張床板部をスローダウン、スローアップできる機能を持つとともに、併せて拡張床板部を収納のため折り畳んだとき、拡張床板部がスローアップすることで、既に固定床板部上に格納されている側壁が格納位置側に押し込められることにより、側壁が不用意に開いたり、拡張床板部が倒れたりすることを防止できることを特徴とする請求項１４８、１５０又は１５２記載のワンタッチ折り畳み式二段収納ボックス。
【請求項１６５】
この収納ボックスの一段目と二段目の側壁を、同段の固定床板部の格納位置に収納したときの側壁の高さと、折り畳まれたときの拡張床板部の高さとが同じであることを特徴とする請求項１４８、１５０又は１５１記載のワンタッチ折り畳み式二段収納ボックス。
【請求項１６６】
この収納ボックスの側壁及び拡張床板部を固定床板部上に格納した際に、これら折り畳まれた側壁及び拡張床板部が不用意に開いたり、倒れたりすることがないようにその折り畳み状態を保持するため、上蓋付きでない収納ボックスを形成する場合は、二段目の一体式固定長辺側壁外壁上部と拡張床板部底部上部とを、両開き上蓋付き収納ボックスを形成する場合は、一体式固定長辺側壁上部縁部に連結された後部上蓋の裏側上部と拡張床板部底部上部とを、片開き上蓋付き収納ボックスを形成する場合は、一体式固定長辺側壁上部縁部に連結された一体式上蓋の裏側上部と拡張床板部底部上部とを、また、一段目の拡張床板部底部上部縁部と二段目の拡張床板部連結側底部縁部とを係止するための係止部材を備えていることを特徴とする請求項１４８、１４９、１５０又は１５１記載のワンタッチ折り畳み式二段収納ボックス。
【請求項１６７】
前項により、一段目の拡張床板部底部上部縁部と二段目の拡張床板部連結側底部縁部とを係止するための係止部材を除き、それぞれ係止している移動式係止部材の係止解除後に、移動する側の係止部材を収納するための、係止部材収納止め部を拡張床板部底部に備えたことを特徴とする請求項１４８又は１５０記載のワンタッチ折り畳み式二段収納ボックス。
【請求項１６８】
一段目の床下部に、使用時の際の移動、また、不使用時の際の収納移動のため、一部ストップ機能付き脱着式キャスターを備えたことを特徴とする請求項１４８記載のワンタッチ折り畳み式二段収納ボックス。
【請求項１６９】
一段目と二段目の固定床板部の高さの位置で、一体式長辺側壁外壁部又は固定床板部両縁部に、別の同型のワンタッチ折り畳み式二段収納ボックスと接続するための、脱着式接続部材を備え付けることができることを特徴とする請求項１４８、１５０又は１５１記載のワンタッチ折り畳み式二段収納ボックス。
【手続補正２】
【補正対象書類名】明細書
【補正の内容】
0003125560.tif 000038
0003125560.tif 000039
【手続補正書】
【提出日】平成18年7月6日(2006.7.6)
【手続補正１】
【補正対象書類名】手続補正書
【補正対象項目名】手続補正２
【補正方法】変更
【補正の内容】
【手続補正２】
【補正対象書類名】明細書
【補正対象項目名】００１２
【補正方法】変更
【補正の内容】
【００１２】  固定床板部上に格納されている側壁を容易にかつ安全に、前方開口縁部側に拡張するため、並びにベビーベッドの側壁収納時に、既に拡張している側壁を容易にかつ安全に、固定床板部上に格納するため、開口縁部側に移動可能な前部長辺側壁外壁上部に、ガイド用取っ手を備えたとともに、必要に応じて、前部長辺側壁下部縁部に滑り部材を、床板部上に埋め込み式レールを備え付けることができることを特徴とする。


【手続補正２】
【補正対象書類名】手続補正書
【補正対象項目名】手続補正３
【補正方法】追加
【補正の内容】
【手続補正３】
【補正対象書類名】明細書
【補正対象項目名】００４３
【補正方法】変更
【補正の内容】
【００４３】  固定床板部上に格納されている側壁を容易にかつ安全に、前方開口縁部側に拡張するため並びに側壁収納時に、既に拡張している側壁を容易にかつ安全に、固定床板部上に収納するため、一段目と二段目の開口縁部側に移動可能な前部長辺側壁外壁上部に、ガイド用取っ手を備えたとともに、必要に応じて、一段目と二段目の前部長辺側壁下部縁部に滑り部材を、当該床板部上に埋め込み式レールを備え付けることができることを特徴とする。


【手続補正３】
【補正対象書類名】手続補正書
【補正対象項目名】手続補正４
【補正方法】追加
【補正の内容】
【手続補正４】
【補正対象書類名】明細書
【補正対象項目名】００７０
【補正方法】変更
【補正の内容】
【００７０】  固定床板部上に格納されている側柵を容易にかつ安全に、前方開口縁部側に拡張するため、並びに側柵収納時に、既に拡張している側柵を容易にかつ安全に、固定床板部上に収納するため、開口縁部側に移動可能な前部長辺側柵の上部に、ガイド用取っ手を備えたとともに、必要に応じて、前部長辺側柵下部縁部に滑り部材を、床板部上に埋め込み式レールを備え付けることができることを特徴とする。


【手続補正４】
【補正対象書類名】手続補正書
【補正対象項目名】手続補正５
【補正方法】追加
【補正の内容】
【手続補正５】
【補正対象書類名】明細書
【補正対象項目名】００９４
【補正方法】変更
【補正の内容】
【００９４】  固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合には、開口縁部側に移動可能な前部長辺側柵の上部に、また、両開き天面柵扉付きペットケージを形成する場合には、前部長辺側柵上部縁部に連結された前部上蓋の裏側上部に、ガイド用取っ手を備えたとともに、必要に応じて、前部長辺側柵下部縁部に滑り部材を、床板部上に埋め込み式レールを備え付けることができることを特徴とする。


【手続補正５】
【補正対象書類名】手続補正書
【補正対象項目名】手続補正６
【補正方法】追加
【補正の内容】
【手続補正６】
【補正対象書類名】明細書
【補正対象項目名】０１１８
【補正方法】変更
【補正の内容】
【０１１８】  固定床板部上に格納されている側柵を容易にかつ安全に、前方開口縁部側に拡張するため、並びに側柵収納時に、既に拡張している側柵を容易にかつ安全に、固定床板部上に収納するため、片開き天面柵扉付きペットケージを形成する場合は、開口縁部側に移動可能な前部長辺側柵の上部に、また、両開き天面柵扉付きペットケージを形成する場合は、前部長辺側柵上部縁部に連結された前部上蓋の裏側上部に、ガイド用取っ手を備えたとともに、必要に応じて、前部長辺側柵下部縁部に滑り部材を、床板部上に埋め込み式レールを備え付けることができることを特徴とする。


【手続補正６】
【補正対象書類名】手続補正書
【補正対象項目名】手続補正７
【補正方法】追加
【補正の内容】
【手続補正７】
【補正対象書類名】明細書
【補正対象項目名】０１４４
【補正方法】変更
【補正の内容】
【０１４４】  固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたとともに、必要に応じて、前部長辺側壁下部縁部に滑り部材を、床板部上に埋め込み式レールを備え付けることができることを特徴とする。


【手続補正７】
【補正対象書類名】手続補正書
【補正対象項目名】手続補正８
【補正方法】追加
【補正の内容】
【手続補正８】
【補正対象書類名】明細書
【補正対象項目名】０１６６
【補正方法】変更
【補正の内容】
【０１６６】  固定床板部上に格納されている側壁を容易にかつ安全に、前方開口縁部側に拡張するため、並びに側壁収納時に、既に拡張している側壁を容易にかつ安全に、固定床板部上に収納するため、上蓋付きでない収納ボックス及び片開き上蓋付き収納ボックスを形成する場合は、開口縁部側に移動可能な前部長辺側壁の上部に、また、両開き上蓋付き収納ボックスを形成する場合は、前部長辺側壁上部縁部に連結された前部上蓋の裏側上部に、ガイド用取っ手を備えたとともに、必要に応じて、前部長辺側壁下部縁部に滑り部材を、床板部上に埋め込み式レールを備え付けることができることを特徴とする。